(57)【要約】  本発明は、ローカルエリアレンジのネットワークノードにおける低消費電力化を実現することができる移動体通信システムを提供することを目的とする。本発明では、ローカルｅＮＢは、ステップＳＴ１５０３で移行トリガが有ると判断すると、ステップＳＴ１５０４で、通常動作から消費電力低減動作（ＥｎｅｒｇｙＳａｖｉｎｇ動作）へ移行する。ＥｎｅｒｇｙＳａｖｉｎｇ動作では、移動端末（ＵＥ）に送信すべき下り送信信号のうち、少なくとも一部の下り送信信号の送信動作を停止するとともに、ＵＥから送信される上り送信信号の受信動作を行う。ＥｎｅｒｇｙＳａｖｉｎｇ動作状態で、ステップＳＴ１５１０において、上り送信信号（ＲＡＣＨ）を受信したと判断すると、ステップＳＴ１５１１で通常動作へ移行する。
2011099513.tif 000002
【特許請求の範囲】
【請求項１】
ローカル基地局装置と、前記ローカル基地局装置と無線通信可能な移動端末装置とを含む移動体通信システムであって、
前記ローカル基地局装置は、
予め定める移行条件を満足すると、前記移動端末装置に送信すべき下り送信信号の送信動作および前記移動端末装置から送信される上り送信信号の受信動作を行う通常動作状態から、前記下り送信信号のうち、少なくとも一部の下り送信信号の送信動作を停止するとともに、前記受信動作を行う低電力動作状態に移行することを特徴とする移動体通信システム。
【請求項２】
前記ローカル基地局装置は、前記低電力動作状態のときに、前記上り送信信号を受信すると、前記低電力動作状態から前記通常動作状態に移行することを特徴とする請求項１に記載の移動体通信システム。
【請求項３】
前記移動体通信システムは、無線通信または有線通信可能な通信装置をさらに含み、
前記ローカル基地局装置は、前記低電力動作状態のときに、前記通信装置から予め定める信号を受信すると、前記低電力動作状態から前記通常動作状態に移行することを特徴とする請求項１に記載の移動体通信システム。
【請求項４】
前記予め定める信号は、ページング信号であることを特徴とする請求項３に記載の移動体通信システム。
【請求項５】
前記ローカル基地局装置は、前記低電力動作状態では、予め定めるタイミングで、前記受信動作を行うことを特徴とする請求項１〜４のいずれか１つに記載の移動体通信システム。
【請求項６】
前記移動体通信システムは、前記ローカル基地局装置に無線通信または有線通信可能な通信装置をさらに含み、
前記移行条件は、
（ａ）前記ローカル基地局装置と接続状態にある前記移動端末装置が、予め定める期間存在しないこと、
（ｂ）前記ローカル基地局装置の前記送信動作および前記受信動作のための電源を切断する指示が与えられたこと、および
（ｃ）前記ローカル基地局装置以外の基地局装置あるいは通信装置から、前記通常動作状態から前記低電力動作状態に移行する指示が与えられたことのうちの少なくとも１つを含むことを特徴とする請求項１〜４のいずれか１つに記載の移動体通信システム。
【発明の詳細な説明】
【技術分野】
【０００１】
本発明は、複数の移動端末と基地局との間で無線通信を実施する移動体通信システムに関する。
【背景技術】
【０００２】
第３世代と呼ばれる通信方式のうち、Ｗ−ＣＤＭＡ（Wideband Code division Multiple Access）方式が２００１年から日本で商用サービスが開始されている。また、下りリンク（個別データチャネル、個別制御チャネル）にパケット伝送用のチャネル（High Speed-Downlink Shared Channel：ＨＳ−ＤＳＣＨ）を追加することにより、下りリンクを用いたデータ送信の更なる高速化を実現するＨＳＤＰＡ（High Speed Down Link Packet Access）のサービスが開始されている。さらに、上り方向のデータ送信をより高速化するためＨＳＵＰＡ（High Speed Up Link Packet Access）方式についてもサービスが開始されている。Ｗ−ＣＤＭＡは、移動体通信システムの規格化団体である３ＧＰＰ（3rd Generation Partnership Project）により定められた通信方式であり、リリース８版の規格書がとりまとめられている。【０００３】
また、３ＧＰＰにおいて、Ｗ−ＣＤＭＡとは別の通信方式として、無線区間についてはロングタームエボリューション（Long Term Evolution：ＬＴＥ）、コアネットワーク（単にネットワークとも称する）を含めたシステム全体構成については、システムアーキテクチャエボリューション（System Architecture Evolution：ＳＡＥ）と称される新たな通信方式が検討されている。【０００４】
ＬＴＥでは、アクセス方式、無線のチャネル構成やプロトコルが、現在のＷ−ＣＤＭＡ（ＨＳＤＰＡ／ＨＳＵＰＡ）とは全く異なるものになる。例えば、アクセス方式は、Ｗ−ＣＤＭＡが符号分割多元接続（Code Division Multiple Access）を用いているのに対して、ＬＴＥは下り方向はＯＦＤＭ（Orthogonal Frequency Division Multiplexing）、上り方向はＳＣ−ＦＤＭＡ（Single Career Frequency Division Multiple Access）を用いる。また、帯域幅は、Ｗ−ＣＤＭＡが５ＭＨｚであるのに対し、ＬＴＥでは１．４ＭＨｚ，３ＭＨｚ，５ＭＨｚ，１０ＭＨｚ，１５ＭＨｚ，２０ＭＨｚの中で基地局毎に選択可能となっている。また、ＬＴＥでは、Ｗ−ＣＤＭＡのように回線交換を含まず、パケット通信方式のみになる。【０００５】
ＬＴＥは、Ｗ−ＣＤＭＡのコアネットワーク（General Packet Radio Service：ＧＰＲＳ）とは異なる新たなコアネットワークを用いて通信システムが構成されるため、Ｗ−ＣＤＭＡ網とは別の独立した無線アクセス網として定義される。したがって、Ｗ−ＣＤＭＡの通信システムと区別するため、ＬＴＥの通信システムでは、移動端末（User Equipment：ＵＥ）と通信を行う基地局（Base station）はｅＮＢ（E-UTRAN NodeB）と称され、複数の基地局と制御データやユーザデータのやり取りを行う基地局制御装置（Radio Network Controller）は、ＥＰＣ（Evolved Packet Core）またはａＧＷ（Access Gateway）と称される。このＬＴＥの通信システムでは、ユニキャスト（Unicast）サービスとＥ-ＭＢＭＳサービス（Evolved Multimedia Broadcast Multicast Service）とが提供される。Ｅ−ＭＢＭＳサービスとは、放送型マルチメディアサービスであり、単にＭＢＭＳと称される場合もある。複数の移動端末に対してニュースや天気予報、モバイル放送などの大容量放送コンテンツが送信される。これを１対多（Point to Multipoint）サービスともいう。【０００６】
３ＧＰＰでの、ＬＴＥシステムにおける全体的なアーキテクチャ（Architecture）に関する現在の決定事項が、非特許文献１（４．６．１章）に記載されている。全体的なアーキテクチャについて図１を用いて説明する。図１は、ＬＴＥ方式の通信システムの構成を示す説明図である。図１において、移動端末１０１に対する制御プロトコル、例えばＲＲＣ（Radio Resource Control）と、ユーザプレイン、例えばＰＤＣＰ（Packet Data Convergence Protocol）、ＲＬＣ（Radio Link Control）、ＭＡＣ（Medium Access Control）、ＰＨＹ（Physical layer）とが基地局１０２で終端するならば、Ｅ−ＵＴＲＡＮ（Evolved Universal Terrestrial Radio Access）は１つあるいは複数の基地局１０２によって構成される。【０００７】
基地局１０２は、ＭＭＥ（Mobility Management Entity）１０３から通知されるページング信号（Paging Signaling、ページングメッセージ（paging messages）とも称される）のスケジューリング（Scheduling）および送信を行う。基地局１０２は、Ｘ２インタフェースにより、互いに接続される。また基地局１０２は、Ｓ１インタフェースによりＥＰＣ（Evolved Packet Core）に接続される。より明確には、基地局１０２は、Ｓ１＿ＭＭＥインタフェースによりＭＭＥ（Mobility Management Entity）１０３に接続され、Ｓ１＿ＵインタフェースによりＳ−ＧＷ（Serving Gateway）１０４に接続される。【０００８】
ＭＭＥ１０３は、複数あるいは単数の基地局１０２へのページング信号の分配を行う。また、ＭＭＥ１０３は待受け状態（Idle State）のモビリティ制御（Mobility control）を行う。ＭＭＥ１０３は、移動端末が待ち受け状態および、アクティブ状態（Active State）の際に、トラッキングエリア（Tracking Area）リストの管理を行う。【０００９】
Ｓ−ＧＷ１０４は、ひとつまたは複数の基地局１０２とユーザデータの送受信を行う。Ｓ−ＧＷ１０４は、基地局間のハンドオーバの際、ローカルな移動性のアンカーポイント（Mobility Anchor Point）となる。ＥＰＣには、さらにＰ−ＧＷ（PDN Gateway）が存在し、ユーザ毎のパケットフィルタリングやＵＥ−ＩＤアドレスの割当などを行う。【００１０】
移動端末１０１と基地局１０２との間の制御プロトコルＲＲＣは、報知（Broadcast）、ページング（paging）、ＲＲＣ接続マネージメント（RRC connection management）などを行う。ＲＲＣにおける基地局と移動端末の状態として、ＲＲＣ＿Ｉｄｌｅ、ＲＲＣ＿ＣＯＮＮＥＣＴＥＤがある。ＲＲＣ＿ＩＤＬＥでは、ＰＬＭＮ（Public Land Mobile Network）選択、システム情報（System Information：ＳＩ）の報知、ページング（paging）、セル再選択（cell re-selection）、モビリティ等が行われる。ＲＲＣ＿ＣＯＮＮＥＣＴＥＤでは、移動端末はＲＲＣ接続（connection）を有し、ネットワークとのデータの送受信を行うことができ、また、ハンドオーバ（Handover：ＨＯ）、隣接セル（Neighbour cell）のメジャメント等が行われる。ＲＲＣ＿ＩＤＬＥを単にＩＤＬＥ、待ちうけ状態とも称する。ＲＲＣ＿ＣＯＮＮＥＣＴＥＤを単にＣＯＮＮＥＣＴＥＤ、接続状態とも称する。【００１１】
非特許文献１（５章）に記載される３ＧＰＰでの、ＬＴＥシステムにおけるフレーム構成に関する現在の決定事項について、図２を用いて説明する。図２は、ＬＴＥ方式の通信システムで使用される無線フレームの構成を示す説明図である。図２において、１つの無線フレーム（Radio frame）は１０ｍｓである。無線フレームは１０個の等しい大きさのサブフレーム（Sub-frame）に分割される。サブフレームは、２個の等しい大きさのスロット（slot）に分割される。無線フレーム毎に１番目と６番目のサブフレームに下り同期信号（Downlink Synchronization Signal：ＳＳ）が含まれる。同期信号には、第一同期信号（Primary Synchronization Signal：Ｐ−ＳＳ）と、第二同期信号（Secondary Synchronization Signal：Ｓ−ＳＳ）とがある。サブフレーム単位にてＭＢＳＦＮ（Multimedia Broadcast multicast service Single Frequency Network）用とＭＢＳＦＮ以外のチャネルの多重が行われる。以降、ＭＢＳＦＮ送信用のサブフレームをＭＢＳＦＮサブフレーム（MBSFN sub-frame）と称する。【００１２】
非特許文献２に、ＭＢＳＦＮサブフレームの割り当て時のシグナリング例が記載されている。図３は、ＭＢＳＦＮフレームの構成を示す説明図である。図３において、ＭＢＳＦＮフレーム（MBSFN frame）毎にＭＢＳＦＮサブフレームが割り当てられる。ＭＢＳＦＮフレームの集合（MBSFN frame Cluster）がスケジュールされる。ＭＢＳＦＮフレームの集合の繰り返し周期（Repetition Period）が割り当てられる。【００１３】
３ＧＰＰでの、ＬＴＥシステムにおけるチャネル構成に関する現在の決定事項が、非特許文献１（５章）に記載されている。ＣＳＧセル（Closed Subscriber Group cell）においてもｎｏｎ−ＣＳＧセルと同じチャネル構成が用いられると想定されている。物理チャネル（Physical channel）について、図４を用いて説明する。図４は、ＬＴＥ方式の通信システムで使用される物理チャネルを説明する説明図である。図４において、物理報知チャネル（Physical Broadcast channel：ＰＢＣＨ）４０１は、基地局１０２から移動端末１０１へ送信される下りチャネルである。ＢＣＨトランスポートブロック（transport block）は、４０ｍｓ間隔中の４個のサブフレームにマッピングされる。４０ｍｓタイミングの明白なシグナリングはない。物理制御チャネルフォーマットインジケータチャネル（Physical Control Format Indicator Channel：ＰＣＦＩＣＨ）４０２は、基地局１０２から移動端末１０１へ送信される。ＰＣＦＩＣＨは、ＰＤＣＣＨｓのために用いるＯＦＤＭシンボルの数について基地局１０２から移動端末１０１へ通知する。ＰＣＦＩＣＨは、サブフレーム毎に送信される。【００１４】
物理下り制御チャネル（Physical Downlink Control Channel：ＰＤＣＣＨ）４０３は、基地局１０２から移動端末１０１へ送信される下りチャネルである。ＰＤＣＣＨは、リソース割り当て（allocation）、ＤＬ−ＳＣＨ（後述の図５に示されるトランスポートチャネルの１つである下り共有チャネル）に関するＨＡＲＱ情報、ＰＣＨ（図５に示されるトランスポートチャネルの１つであるページングチャネル）を通知する。ＰＤＣＣＨは、上りスケジューリンググラント（Uplink Scheduling Grant）を運ぶ。ＰＤＣＣＨは、上り送信に対する応答信号であるＡｃｋ（Acknowledgement）／Ｎａｃｋ（Negative Acknowledgement）を運ぶ。ＰＤＣＣＨは、Ｌ１／Ｌ２制御信号とも呼ばれる。【００１５】
物理下り共有チャネル（Physical Downlink Shared Channel：ＰＤＳＣＨ）４０４は、基地局１０２から移動端末１０１へ送信される下りチャネルである。ＰＤＳＣＨは、トランスポートチャネルであるＤＬ-ＳＣＨ（下り共有チャネル）やトランスポートチャネルであるＰＣＨがマッピングされている。物理マルチキャストチャネル（Physical Multicast Channel：ＰＭＣＨ）４０５は、基地局１０２から移動端末１０１へ送信される下りチャネルである。ＰＭＣＨは、トランスポートチャネルであるＭＣＨ（マルチキャストチャネル）がマッピングされている。【００１６】
物理上り制御チャネル（Physical Uplink Control Channel：ＰＵＣＣＨ）４０６は、移動端末１０１から基地局１０２へ送信される上りチャネルである。ＰＵＣＣＨは、下り送信に対する応答信号（response）であるＡｃｋ／Ｎａｃｋを運ぶ。ＰＵＣＣＨは、ＣＱＩ（Channel Quality Indicator）レポートを運ぶ。ＣＱＩとは受信したデータの品質、もしくは通信路品質を示す品質情報である。またＰＵＣＣＨは、スケジューリングリクエスト（Scheduling Request：ＳＲ）を運ぶ。物理上り共有チャネル（Physical Uplink Shared Channel：ＰＵＳＣＨ）４０７は、移動端末１０１から基地局１０２へ送信される上りチャネルである。ＰＵＳＣＨは、ＵＬ−ＳＣＨ（図５に示されるトランスポートチャネルの１つである上り共有チャネル）がマッピングされている。【００１７】
物理ＨＡＲＱインジケータチャネル（Physical Hybrid ARQ Indicator Channel：ＰＨＩＣＨ）４０８は、基地局１０２から移動端末１０１へ送信される下りチャネルである。ＰＨＩＣＨは、上り送信に対する応答であるＡｃｋ／Ｎａｃｋを運ぶ。物理ランダムアクセスチャネル（Physical Random Access Channel：ＰＲＡＣＨ）４０９は、移動端末１０１から基地局１０２へ送信される上りチャネルである。ＰＲＡＣＨは、ランダムアクセスプリアンブル（random access preamble）を運ぶ。【００１８】
下りリファレンスシグナル（Reference signal）は、移動体通信システムとして既知のシンボルが、毎スロットの最初、３番目、最後のＯＦＤＭシンボルに挿入される。移動端末の物理レイヤの測定として、リファレンスシンボルの受信電力（Reference Symbol Received Power：ＲＳＲＰ）がある。【００１９】
非特許文献１（５章）に記載されるトランスポートチャネル（Transport channel）について、図５を用いて説明する。図５は、ＬＴＥ方式の通信システムで使用されるトランスポートチャネルを説明する説明図である。図５（Ａ）には、下りトランスポートチャネルと下り物理チャネルとの間のマッピングを示す。図５（Ｂ）には、上りトランスポートチャネルと上り物理チャネルとの間のマッピングを示す。下りトランスポートチャネルについて報知チャネル（Broadcast Channel：ＢＣＨ）は、その基地局（セル）全体に報知される。ＢＣＨは、物理報知チャネル（ＰＢＣＨ）にマッピングされる。【００２０】
下り共有チャネル（Downlink Shared Channel：ＤＬ−ＳＣＨ）には、ＨＡＲＱ（Hybrid ARQ）による再送制御が適用される。ＤＬ−ＳＣＨは、基地局（セル）全体への報知が可能である。ＤＬ−ＳＣＨは、ダイナミックあるいは準静的（Semi-static）なリソース割り当てをサポートする。準静的なリソース割り当ては、パーシステントスケジューリング（Persistent Scheduling）とも言われる。ＤＬ−ＳＣＨは、移動端末の低消費電力化のために移動端末のＤＲＸ（Discontinuous reception）をサポートする。ＤＬ−ＳＣＨは、物理下り共有チャネル（ＰＤＳＣＨ）へマッピングされる。【００２１】
ページングチャネル（Paging Channel：ＰＣＨ）は、移動端末の低消費電力を可能とするために移動端末のＤＲＸをサポートする。ＰＣＨは、基地局（セル）全体への報知が要求される。ＰＣＨは、動的にトラフィックに利用できる物理下り共有チャネル（ＰＤＳＣＨ）のような物理リソース、あるいは他の制御チャネルの物理下り制御チャネル（ＰＤＣＣＨ）のような物理リソースへマッピングされる。マルチキャストチャネル（Multicast Channel：ＭＣＨ）は、基地局（セル）全体への報知に使用される。ＭＣＨは、マルチセル送信におけるＭＢＭＳサービス（ＭＴＣＨとＭＣＣＨ）のＳＦＮ合成をサポートする。ＭＣＨは、準静的なリソース割り当てをサポートする。ＭＣＨは、ＰＭＣＨへマッピングされる。【００２２】
上り共有チャネル（Uplink Shared Channel：ＵＬ−ＳＣＨ）には、ＨＡＲＱ（Hybrid ARQ）による再送制御が適用される。ＵＬ−ＳＣＨは、ダイナミックあるいは準静的（Semi-static）なリソース割り当てをサポートする。ＵＬ−ＳＣＨは、物理上り共有チャネル（ＰＵＳＣＨ）へマッピングされる。図５（Ｂ）に示されるランダムアクセスチャネル（Random Access Channel：ＲＡＣＨ）は、制御情報に限られている。ＲＡＣＨは、衝突のリスクがある。ＲＡＣＨは、物理ランダムアクセスチャネル（ＰＲＡＣＨ）へマッピングされる。【００２３】
ＨＡＲＱについて説明する。ＨＡＲＱとは、自動再送（Automatic Repeat reQuest）と誤り訂正（Forward Error Correction）との組み合わせにより、伝送路の通信品質を向上させる技術である。通信品質が変化する伝送路に対しても、再送により誤り訂正が有効に機能するという利点がある。特に、再送にあたって初送の受信結果と再送の受信結果との合成をすることで、更なる品質向上を得ることも可能である。【００２４】
再送の方法の一例を説明する。受信側にて、受信データが正しくデコードできなかった場合、換言すればＣＲＣ（Cyclic Redundancy Check）エラーが発生した場合（ＣＲＣ＝ＮＧ）、受信側から送信側へ「Ｎａｃｋ」を送信する。「Ｎａｃｋ」を受信した送信側は、データを再送する。受信側にて、受信データが正しくデコードできた場合、換言すればＣＲＣエラーが発生しない場合（ＣＲＣ＝ＯＫ）、受信側から送信側へ「Ａｃｋ」を送信する。「Ａｃｋ」を受信した送信側は次のデータを送信する。【００２５】
ＨＡＲＱ方式の一例として、チェースコンバイニング（Chase Combining）がある。チェースコンバイニングとは、初送と再送に同じデータ系列を送信するもので、再送において初送のデータ系列と再送のデータ系列との合成を行うことで、利得を向上させる方式である。これは、初送データに誤りがあったとしても、部分的に正確なものも含まれており、正確な部分の初送データと再送データとを合成することで、より高精度にデータを送信できるという考え方に基づいている。また、ＨＡＲＱ方式の別の例として、ＩＲ（Incremental Redundancy）がある。ＩＲとは、冗長度を増加させるものであり、再送においてパリティビットを送信することで、初送と組み合わせて冗長度を増加させ、誤り訂正機能により品質を向上させるものである。【００２６】
非特許文献１（６章）に記載される論理チャネル（Logical channel、以下「ロジカルチャネル」という場合がある）について、図６を用いて説明する。図６は、ＬＴＥ方式の通信システムで使用される論理チャネルを説明する説明図である。図６（Ａ）には、下りロジカルチャネルと下りトランスポートチャネルとの間のマッピングを示す。図６（Ｂ）には、上りロジカルチャネルと上りトランスポートチャネルとの間のマッピングを示す。報知制御チャネル（Broadcast Control Channel：ＢＣＣＨ）は、報知システム制御情報のための下りチャネルである。論理チャネルであるＢＣＣＨは、トランスポートチャネルである報知チャネル（ＢＣＨ）、あるいは下り共有チャネル（ＤＬ−ＳＣＨ）へマッピングされる。【００２７】
ページング制御チャネル（Paging Control Channel：ＰＣＣＨ）は、ページング信号を送信するための下りチャネルである。ＰＣＣＨは、移動端末のセルロケーションをネットワークが知らない場合に用いられる。論理チャネルであるＰＣＣＨは、トランスポートチャネルであるページングチャネル（ＰＣＨ）へマッピングされる。共有制御チャネル（Common Control Channel：ＣＣＣＨ）は、移動端末と基地局との間の送信制御情報のためのチャネルである。ＣＣＣＨは、移動端末がネットワークとの間でＲＲＣ接続（connection）を持っていない場合に用いられる。下り方向では、ＣＣＣＨは、トランスポートチャネルである下り共有チャネル（ＤＬ−ＳＣＨ）へマッピングされる。上り方向では、ＣＣＣＨは、トランスポートチャネルである上り共有チャネル（ＵＬ−ＳＣＨ）へマッピングされる。【００２８】
マルチキャスト制御チャネル（Multicast Control Channel：ＭＣＣＨ）は、１対多の送信のための下りチャネルである。ＭＣＣＨは、ネットワークから移動端末への１つあるいはいくつかのＭＴＣＨ用のＭＢＭＳ制御情報の送信のために用いられる。ＭＣＣＨは、ＭＢＭＳ受信中の移動端末のみに用いられる。ＭＣＣＨは、トランスポートチャネルである下り共有チャネル（ＤＬ−ＳＣＨ）あるいはマルチキャストチャネル（ＭＣＨ）へマッピングされる。【００２９】
個別制御チャネル（Dedicated Control Channel：ＤＣＣＨ）は、移動端末とネットワークとの間の個別制御情報を送信するチャネルである。ＤＣＣＨは、上りでは上り共有チャネル（ＵＬ−ＳＣＨ）へマッピングされ、下りでは下り共有チャネル（ＤＬ−ＳＣＨ）にマッピングされる。【００３０】
個別トラフィックチャネル（Dedicate Traffic Channel：ＤＴＣＨ）は、ユーザ情報の送信のための個別移動端末への１対１通信のチャネルである。ＤＴＣＨは、上りおよび下りともに存在する。ＤＴＣＨは、上りでは上り共有チャネル（ＵＬ−ＳＣＨ）へマッピングされ、下りでは下り共有チャネル（ＤＬ−ＳＣＨ）へマッピングされる。【００３１】
マルチキャストトラフィックチャネル（Multicast Traffic channel：ＭＴＣＨ）は、ネットワークから移動端末へのトラフィックデータ送信のための下りチャネルである。ＭＴＣＨは、ＭＢＭＳ受信中の移動端末のみに用いられるチャネルである。ＭＴＣＨは、下り共有チャネル（ＤＬ−ＳＣＨ）あるいはマルチキャストチャネル（ＭＣＨ）へマッピングされる。【００３２】
ＧＣＩとは、グローバルセル識別子（Global Cell Identity）のことである。ＬＴＥおよびＵＭＴＳ（Universal Mobile Telecommunication System）において、ＣＳＧセル（Closed Subscriber Group cell）が導入される。ＣＳＧについて以下に説明する（非特許文献３  ３．１章参照）。ＣＳＧ（Closed Subscriber Group）とは、利用可能な加入者をオペレータが特定しているセルである（特定加入者用セル）。特定された加入者は、ＰＬＭＮ（Public Land Mobile Network）の１つ以上のＥ-ＵＴＲＡＮセルにアクセスすることが許可される。特定された加入者がアクセスを許可されている１つ以上のＥ−ＵＴＲＡＮセルを「ＣＳＧ  ｃｅｌｌ（ｓ）」と呼ぶ。ただし、ＰＬＭＮにはアクセス制限がある。ＣＳＧセルとは、固有のＣＳＧアイデンティティ（CSG identity：ＣＳＧ  ＩＤ；ＣＳＧ−ＩＤ）を報知するＰＬＭＮの一部である。予め利用登録し、許可された加入者グループのメンバーは、アクセス許可情報であるところのＣＳＧ−ＩＤを用いてＣＳＧセルにアクセスする。【００３３】
ＣＳＧ−ＩＤは、ＣＳＧセルまたはセルによって報知される。移動体通信システムにＣＳＧ−ＩＤは複数存在する。そして、ＣＳＧ−ＩＤは、ＣＳＧ関連のメンバーのアクセスを容易にするために、移動端末（ＵＥ）によって使用される。移動端末の位置追跡は、１つ以上のセルからなる区域を単位に行われる。位置追跡は、待受け状態であっても移動端末の位置を追跡し、呼び出す（移動端末が着呼する）ことを可能にするためである。この移動端末の位置追跡のための区域をトラッキングエリアと呼ぶ。ＣＳＧホワイトリスト（CSG White List）とは、加入者が属するＣＳＧセルのすべてのＣＳＧ  ＩＤが記録されている、ＵＳＩＭ（Universal Subscriber Identity Module）に格納されたリストである。ＣＳＧホワイトリストは、許可ＣＳＧリスト（Allowed CSG ID List）と呼ばれることもある。【００３４】
「適切なセル」（Suitable cell）について以下に説明する（非特許文献３  ４．３章参照）。「適切なセル」（Suitable cell）とは、ＵＥが通常（normal）サービスを受けるためにキャンプオン（Camp ON）するセルである。そのようなセルは、以下の条件を満たすものとする。【００３５】
（１）セルは、選択されたＰＬＭＮもしくは登録されたＰＬＭＮ、または「Ｅｑｕｉｖａｌｅｎｔ  ＰＬＭＮリスト」のＰＬＭＮの一部であること。【００３６】
（２）ＮＡＳ（Non-Access Stratum）によって提供された最新情報にて、さらに以下の条件を満たすこと
（ａ）そのセルが禁じられた（barred）セルでないこと
（ｂ）そのセルが「ローミングのための禁止されたＬＡｓ」リストの一部ではなく、少なくとも１つのトラッキングエリア（Tracking Area：ＴＡ）の一部であること。その場合、そのセルは上記（１）を満たす必要がある
（ｃ）そのセルが、セル選択評価基準を満たしていること
（ｄ）そのセルが、ＣＳＧセルとしてシステム情報（System Information：ＳＩ）によって特定されたセルに関しては、ＣＳＧ−ＩＤはＵＥの「ＣＳＧホワイトリスト」（CSG WhiteList）の一部であること（ＵＥのCSG WhiteList中に含まれること）。【００３７】
「アクセプタブルセル」（Acceptable cell）について以下に説明する（非特許文献３  ４．３章参照）。これは、ＵＥが限られたサービス（緊急通報）を受けるためにキャンプオンするセルである。そのようなセルは、以下のすべての要件を充足するものとする。つまり、Ｅ−ＵＴＲＡＮネットワークで緊急通報を開始するための最小のセットの要件を以下に示す。（１）そのセルが禁じられた（barred）セルでないこと。（２）そのセルが、セル選択評価基準を満たしていること。【００３８】
セルにキャンプオン（camp on）するとは、ＵＥがセル選択／再選択（cell selection/reselection）処理を完了し、ＵＥがシステム情報とページング情報をモニタするセルを選択した状態である。【００３９】
３ＧＰＰにおいて、Ｈｏｍｅ−ＮｏｄｅＢ（Ｈｏｍｅ−ＮＢ；ＨＮＢ）、Ｈｏｍｅ−ｅＮｏｄｅＢ（Ｈｏｍｅ−ｅＮＢ；ＨｅＮＢ）と称される基地局が検討されている。ＵＴＲＡＮにおけるＨＮＢ、またはＥ-ＵＴＲＡＮにおけるＨｅＮＢは、例えば家庭、法人、商業用のアクセスサービス向けの基地局である。非特許文献４には、ＨｅＮＢおよびＨＮＢへのアクセスの３つの異なるモードが開示されている。具体的には、オープンアクセスモード（Open access mode）と、クローズドアクセスモード（Closed access mode）と、ハイブリッドアクセスモード（Hybrid access mode）である。【００４０】
各々のモードは、以下のような特徴を有する。オープンアクセスモードでは、ＨｅＮＢやＨＮＢは通常のオペレータのノーマルセルとして操作される。クローズドアクセスモードでは、ＨｅＮＢやＨＮＢがＣＳＧセルとして操作される。これはＣＳＧメンバーのみアクセス可能なＣＳＧセルである。ハイブリッドアクセスモードでは、非ＣＳＧメンバーも同時にアクセス許可されているＣＳＧセルである。ハイブリッドアクセスモードのセル（ハイブリッドセルとも称する）は、言い換えれば、オープンアクセスモードとクローズドアクセスモードの両方をサポートするセルである。【００４１】
３ＧＰＰでは、全ＰＣＩ（Physical Cell Identity）を、ＣＳＧセル用とｎｏｎ−ＣＳＧセル用とに分割（ＰＣＩスプリットと称する）することが議論されている（非特許文献５参照）。またＰＣＩスプリット情報は、システム情報にて基地局から傘下の移動端末に対して報知されることが議論されている。非特許文献５は、ＰＣＩスプリットを用いた移動端末の基本動作を開示する。ＰＣＩスプリット情報を有していない移動端末は、全ＰＣＩを用いて（例えば５０４コード全てを用いて）セルサーチを行う必要がある。これに対して、ＰＣＩスプリット情報を有する移動端末は、当該ＰＣＩスプリット情報を用いてセルサーチを行うことが可能である。【００４２】
また３ＧＰＰでは、リリース１０として、ロングタームエボリューションアドヴァンスド（Long Term Evolution Advanced：ＬＴＥ−Ａ）の規格策定が進められている（非特許文献６、非特許文献７参照）。【００４３】
ＬＴＥ−Ａシステムでは、高い通信速度、セルエッジでの高いスループット、新たなカバレッジエリアなどを得るために、リレー（Relay：リレーノード（ＲＮ））をサポートすることが検討されている。リレーノードは、ドナーセル（Donor cell；Donor eNB；ＤｅＮＢ）を介して無線アクセスネットワークに無線で接続される。ドナーセルの範囲内で、ネットワーク（Network：ＮＷ）からリレーへのリンクは、ネットワークからＵＥへのリンクと同じ周波数バンドを共用する。この場合、リリース８のＵＥも該ドナーセルに接続することを可能とする。ドナーセルとリレーノードとの間のリンクをバックホールリンク（backhaul link）と称し、リレーノードとＵＥとの間のリンクをアクセスリンク（access link）と称す。【００４４】
ＦＤＤ（Frequency Division Duplex）におけるバックホールリンクの多重方法として、ＤｅＮＢからＲＮへの送信は下り（ＤＬ）周波数バンドで行われ、ＲＮからＤｅＮＢへの送信は上り（ＵＬ）周波数バンドで行われる。リレーにおけるリソースの分割方法として、ＤｅＮＢからＲＮへのリンクおよびＲＮからＵＥへのリンクが一つの周波数バンドで時分割多重され、ＲＮからＤｅＮＢへのリンクおよびＵＥからＲＮへのリンクも一つの周波数バンドで時分割多重される。こうすることで、リレーにおいて、リレーの送信が自リレーの受信へ干渉することを防ぐことができる。【００４５】
ＬＴＥ−Ａで検討される技術の一つとして、ヘテロジーニアスネットワークス（Heterogeneous networks：ＨｅｔＮｅｔｓ）が加えられた。３ＧＰＰでは、ピコｅＮＢ（ピコセル（pico cell））、ホットゾーンセル用のノード、ＨｅＮＢ／ＨＮＢ／ＣＳＧセル、リレーノード、リモートラジオヘッド（ＲＲＨ）のような低出力電力のローカルエリアレンジのネットワークノードを扱うことが決定されている。【００４６】
また、３ＧＰＰでは、インフラ（infrastructure）の消費電力低減（Energy Saving）について議論がされている。現在のインフラの消費電力低減の議論は、以下のとおりである。キャパシティーブースター（capacity booster）として採用された基地局、あるいはセルは、トラフィック負荷（traffic load）を監視し、トラフィックがある閾値以下で、ある期間その状態が続いた場合、スイッチオフ（switch off）できる（非特許文献８参照）。動作中の基地局にて負荷が高い場合、該基地局はスイッチオフされた基地局に対してスイッチオンを要求できる（非特許文献８参照）。スイッチオフできる基地局とは、基本的なカバレッジ（basic coverage）と基本的なキャパシティー（basic capacity）を提供するセルとされている（非特許文献９参照）。【００４７】
一般的に基本的なカバレッジと基本的なキャパシティーとを提供するセルは、ワイドエリアｅＮＢ（wide-area eNBs）と考えられている（非特許文献１０参照）。
【先行技術文献】
【非特許文献】
【００４８】
【非特許文献１】３ＧＰＰ  ＴＳ３６．３００  Ｖ９．１．０  ４．６．１章、４．６．２章、５章、６章、１０．７章
【非特許文献２】３ＧＰＰ  Ｒ１−０７２９６３
【非特許文献３】３ＧＰＰ  ＴＳ３６．３０４  Ｖ９．０．０  ３．１章、４．３章、５．２．４章
【非特許文献４】３ＧＰＰ  Ｓ１−０８３４６１
【非特許文献５】３ＧＰＰ  Ｒ２−０８２８９９
【非特許文献６】３ＧＰＰ  ＴＲ  ３６．８１４  Ｖ１.１.１
【非特許文献７】３ＧＰＰ  ＴＲ  ３６．９１２  Ｖ９.０.０
【非特許文献８】３ＧＰＰ  Ｒ３−０９３１０４
【非特許文献９】３ＧＰＰ  Ｒ３−０９３１０３
【非特許文献１０】３ＧＰＰ  ＲＰ−０９０６６５
【発明の概要】
【発明が解決しようとする課題】
【００４９】
前述のように、一般的に基本的なカバレッジと基本的なキャパシティーとを提供するセルは、ワイドエリアｅＮＢ（wide-area eNBs）と考えられている。このことから、非特許文献８に開示される技術では、ローカルエリアレンジのネットワークノードについては考慮されていない。よって従来の技術では、ローカルエリアレンジのネットワークノードにおける、低消費電力化が実現できないという問題が発生する。【００５０】
ローカルエリアレンジのネットワークノードの低消費電力化を効率良く行うことは、システムの低消費電力化を進めていく上で重要な課題である。【００５１】
本発明の目的は、ローカルエリアレンジのネットワークノードにおける低消費電力化を実現することができる移動体通信システムを提供することである。
【課題を解決するための手段】
【００５２】
本発明の移動体通信システムは、基地局装置と、前記基地局装置と無線通信可能な移動端末装置とを含む移動体通信システムであって、前記基地局装置は、予め定める移行条件を満足すると、前記移動端末装置に送信すべき下り送信信号の送信動作および前記移動端末装置から送信される上り送信信号の受信動作を行う通常動作状態から、前記下り送信信号のうち、少なくとも一部の下り送信信号の送信動作を停止するとともに、前記受信動作を行う低電力動作状態に移行することを特徴とする。
【発明の効果】
【００５３】
本発明の移動体通信システムによれば、基地局装置は、予め定める移行条件を満足すると、通常動作状態から低電力動作状態に移行し、移動端末装置に送信すべき下り送信信号のうち、少なくとも一部の下り送信信号の送信動作を停止する。これによって、たとえば基地局装置がローカルエリアレンジのネットワークノードである場合でも、基地局装置における低消費電力化を実現することができる。また基地局装置は、低電力動作状態でも、移動端末装置から送信される上り送信信号の受信を行うので、たとえば移動端末装置から送信された上り送信信号を受信したときに、低電力動作状態から通常動作状態に移行するように構成することができる。これによって、移動端末装置の位置および状態によらずに、低電力動作状態の基地局装置を通常動作状態に移行させることが可能である。【００５４】
この発明の目的、特徴、局面、および利点は、以下の詳細な説明と添付図面とによって、より明白となる。
【図面の簡単な説明】
【００５５】
【図１】ＬＴＥ方式の通信システムの構成を示す説明図である。
【図２】ＬＴＥ方式の通信システムで使用される無線フレームの構成を示す説明図である。
【図３】ＭＢＳＦＮフレームの構成を示す説明図である。
【図４】ＬＴＥ方式の通信システムで使用される物理チャネルを説明する説明図である。
【図５】ＬＴＥ方式の通信システムで使用されるトランスポートチャネルを説明する説明図である。
【図６】ＬＴＥ方式の通信システムで使用される論理チャネルを説明する説明図である。
【図７】現在３ＧＰＰにおいて議論されているＬＴＥ方式の移動体通信システムの全体的な構成を示すブロック図である。
【図８】本発明に係る移動端末（図７の移動端末７１）の構成を示すブロック図である。
【図９】本発明に係る基地局（図７の基地局７２）の構成を示すブロック図である。
【図１０】本発明に係るＭＭＥ（図７のＭＭＥ部７３）の構成を示すブロック図である。
【図１１】本発明に係るＨｅＮＢＧＷである図７に示すＨｅＮＢＧＷ７４の構成を示すブロック図である。
【図１２】ＬＴＥ方式の通信システムにおいて移動端末（ＵＥ）が行うセルサーチから待ち受け動作までの概略を示すフローチャートである。
【図１３】非特許文献８の課題を説明するロケーション図である。
【図１４】実施の形態１の解決策を説明するロケーション図である。
【図１５】実施の形態１の解決策を用いた場合の移動体通信システムのシーケンス例を説明する図である。
【図１６】実施の形態１の変形例１の課題を説明するロケーション図である。
【図１７】実施の形態１の変形例１の解決策を用いた場合の移動体通信システムのシーケンス例を説明する図である。
【図１８】実施の形態１の変形例２の課題を説明するロケーション図である。
【図１９】実施の形態１の変形例２の解決策を用いた場合の移動体通信システムのシーケンス例を説明する図である。
【図２０】実施の形態１の変形例３の解決策を用いた場合の移動体通信システムのシーケンス例を説明する図である。
【図２１】実施の形態１の変形例５の課題を説明するロケーション図である。
【図２２】実施の形態１の変形例５の解決策を用いた場合の概念図である。
【図２３】非特許文献１５に開示されているランダムアクセスプロシジャーを説明する移動体通信システムのシーケンス図である。
【図２４】実施の形態１の変形例６の解決策を用いた場合の移動体通信システムのシーケンス例を説明する図である。
【図２５】実施の形態１の変形例１０の解決策を用いた場合の移動体通信システムのシーケンス例を説明する図である。
【図２６】実施の形態１の変形例１１の課題を説明するロケーション図である。
【図２７】実施の形態１の変形例１１の解決策のパスロスの情報の具体例である。
【発明を実施するための形態】
【００５６】
実施の形態１．
図７は、現在３ＧＰＰにおいて議論されているＬＴＥ方式の移動体通信システムの全体的な構成を示すブロック図である。現在３ＧＰＰにおいては、ＣＳＧ（Closed Subscriber Group）セル（Ｅ−ＵＴＲＡＮのＨｏｍｅ−ｅＮｏｄｅＢ（Ｈｏｍｅ−ｅＮＢ；ＨｅＮＢ）、ＵＴＲＡＮのＨｏｍｅ−ＮＢ（ＨＮＢ））と、ｎｏｎ−ＣＳＧセル（Ｅ−ＵＴＲＡＮのｅＮｏｄｅＢ（ｅＮＢ）、ＵＴＲＡＮのＮｏｄｅＢ（ＮＢ）、ＧＥＲＡＮのＢＳＳ）とを含めたシステムの全体的な構成が検討されており、Ｅ−ＵＴＲＡＮについては、図７のような構成が提案されている（非特許文献１  ４．６．１.章参照）。
【００５７】
図７について説明する。移動端末装置（以下「移動端末」または「ＵＥ」という）７１は、基地局装置（以下「基地局」という）７２と無線通信可能であり、無線通信で信号の送受信を行う。基地局７２は、ｅＮＢ７２−１と、Ｈｏｍｅ−ｅＮＢ７２−２とに分類される。ｅＮＢ７２−１は、ＭＭＥ、あるいはＳ−ＧＷ、あるいはＭＭＥおよびＳ−ＧＷを含むＭＭＥ／Ｓ−ＧＷ部（以下「ＭＭＥ部」という）７３とＳ１インタフェースにより接続され、ｅＮＢ７２−１とＭＭＥ部７３との間で制御情報が通信される。ひとつのｅＮＢ７２−１に対して、複数のＭＭＥ部７３が接続されてもよい。ｅＮＢ７２−１間は、Ｘ２インタフェースにより接続され、ｅＮＢ７２−１間で制御情報が通信される。
【００５８】
Ｈｏｍｅ−ｅＮＢ７２−２は、ＭＭＥ部７３とＳ１インタフェースにより接続され、Ｈｏｍｅ−ｅＮＢ７２−２とＭＭＥ部７３との間で制御情報が通信される。ひとつのＭＭＥ部７３に対して、複数のＨｏｍｅ−ｅＮＢ７２−２が接続される。あるいは、Ｈｏｍｅ−ｅＮＢ７２−２は、ＨｅＮＢＧＷ（Home-eNB GateWay）７４を介してＭＭＥ部７３と接続される。Ｈｏｍｅ−ｅＮＢ７２−２とＨｅＮＢＧＷ７４とは、Ｓ１インタフェースにより接続され、ＨｅＮＢＧＷ７４とＭＭＥ部７３とはＳ１インタフェースを介して接続される。ひとつまたは複数のＨｏｍｅ−ｅＮＢ７２−２がひとつのＨｅＮＢＧＷ７４と接続され、Ｓ１インタフェースを通して情報が通信される。ＨｅＮＢＧＷ７４は、ひとつまたは複数のＭＭＥ部７３と接続され、Ｓ１インタフェースを通して情報が通信される。
【００５９】
さらに現在３ＧＰＰでは、以下のような構成が検討されている。Ｈｏｍｅ−ｅＮＢ７２−２間のＸ２インタフェースはサポートされない。ＭＭＥ部７３からは、ＨｅＮＢＧＷ７４はｅＮＢ７２−１として見える。Ｈｏｍｅ−ｅＮＢ７２−２からは、ＨｅＮＢＧＷ７４はＭＭＥ部７３として見える。Ｈｏｍｅ−ｅＮＢ７２−２が、ＨｅＮＢＧＷ７４を介してＭＭＥ部７３に接続されるか否かに関係なく、Ｈｏｍｅ−ｅＮＢ７２−２とＭＭＥ部７３との間のインタフェースは、Ｓ１インタフェースで同じである。複数のＭＭＥ部７３にまたがるような、Ｈｏｍｅ−ｅＮＢ７２−２へのモビリティ、あるいはＨｏｍｅ−ｅＮＢ７２−２からのモビリティはサポートされない。Ｈｏｍｅ−ｅＮＢ７２−２は、唯一のセルをサポートする。
【００６０】
図８は、本発明に係る移動端末（図７の移動端末７１）の構成を示すブロック図である。図８に示す移動端末７１の送信処理を説明する。まず、プロトコル処理部８０１からの制御データ、およびアプリケーション部８０２からのユーザデータが、送信データバッファ部８０３へ保存される。送信データバッファ部８０３に保存されたデータは、エンコーダー部８０４へ渡され、誤り訂正などのエンコード処理が施される。エンコード処理を施さずに、送信データバッファ部８０３から変調部８０５へ直接出力されるデータが存在してもよい。エンコーダー部８０４でエンコード処理されたデータは、変調部８０５にて変調処理が行われる。変調されたデータは、ベースバンド信号に変換された後、周波数変換部８０６へ出力され、無線送信周波数に変換される。その後、アンテナ８０７から基地局７２に送信信号が送信される。
【００６１】
また、移動端末７１の受信処理は、以下のとおりに実行される。基地局７２からの無線信号がアンテナ８０７により受信される。受信信号は、周波数変換部８０６にて無線受信周波数からベースバンド信号に変換され、復調部８０８において復調処理が行われる。復調後のデータは、デコーダー部８０９へ渡され、誤り訂正などのデコード処理が行われる。デコードされたデータのうち、制御データはプロトコル処理部８０１へ渡され、ユーザデータはアプリケーション部８０２へ渡される。移動端末７１の一連の処理は、制御部８１０によって制御される。よって制御部８１０は、図８では省略しているが、各部８０１〜８０９と接続している。
【００６２】
図９は、本発明に係る基地局（図７の基地局７２）の構成を示すブロック図である。図９に示す基地局７２の送信処理を説明する。ＥＰＣ通信部９０１は、基地局７２とＥＰＣ（ＭＭＥ部７３、ＨｅＮＢＧＷ７４など）との間のデータの送受信を行う。ＥＰＣは、通信装置に相当する。他基地局通信部９０２は、他の基地局との間のデータの送受信を行う。Ｈｏｍｅ−ｅＮＢ７２−２間のＸ２インタフェースはサポートされない方向であるため、Ｈｏｍｅ−ｅＮＢ７２−２では、他基地局通信部９０２が存在しないことも考えられる。ＥＰＣ通信部９０１および他基地局通信部９０２は、それぞれプロトコル処理部９０３と情報の受け渡しを行う。プロトコル処理部９０３からの制御データ、ならびにＥＰＣ通信部９０１および他基地局通信部９０２からのユーザデータおよび制御データは、送信データバッファ部９０４へ保存される。
【００６３】
送信データバッファ部９０４に保存されたデータは、エンコーダー部９０５へ渡され、誤り訂正などのエンコード処理が施される。エンコード処理を施さずに、送信データバッファ部９０４から変調部９０６へ直接出力されるデータが存在してもよい。エンコードされたデータは、変調部９０６にて変調処理が行われる。変調されたデータは、ベースバンド信号に変換された後、周波数変換部９０７へ出力され、無線送信周波数に変換される。その後、アンテナ９０８より一つもしくは複数の移動端末７１に対して送信信号が送信される。
【００６４】
また、基地局７２の受信処理は以下のとおりに実行される。ひとつもしくは複数の移動端末７１からの無線信号が、アンテナ９０８により受信される。受信信号は、周波数変換部９０７にて無線受信周波数からベースバンド信号に変換され、復調部９０９で復調処理が行われる。復調されたデータは、デコーダー部９１０へ渡され、誤り訂正などのデコード処理が行われる。デコードされたデータのうち、制御データはプロトコル処理部９０３あるいはＥＰＣ通信部９０１、他基地局通信部９０２へ渡され、ユーザデータはＥＰＣ通信部９０１および他基地局通信部９０２へ渡される。基地局７２の一連の処理は、制御部９１１によって制御される。よって制御部９１１は、図９では省略しているが、各部９０１〜９１０と接続している。
【００６５】
現在３ＧＰＰにおいて議論されているＨｏｍｅ−ｅＮＢ７２−２の機能を以下に示す（非特許文献１  ４．６．２章参照）。Ｈｏｍｅ−ｅＮＢ７２−２は、ｅＮＢ７２−１と同じ機能を有する。加えて、ＨｅＮＢＧＷ７４と接続する場合、Ｈｏｍｅ−ｅＮＢ７２−２は、適当なサービングＨｅＮＢＧＷ７４を発見する機能を有する。Ｈｏｍｅ−ｅＮＢ７２−２は、１つのＨｅＮＢＧＷ７４に唯一接続する。つまり、ＨｅＮＢＧＷ７４との接続の場合は、Ｈｏｍｅ−ｅＮＢ７２−２は、Ｓ１インタフェースにおけるＦｌｅｘ機能を使用しない。Ｈｏｍｅ−ｅＮＢ７２−２は、１つのＨｅＮＢＧＷ７４に接続されると、同時に別のＨｅＮＢＧＷ７４や別のＭＭＥ部７３に接続しない。
【００６６】
Ｈｏｍｅ−ｅＮＢ７２−２のＴＡＣとＰＬＭＮ  ＩＤは、ＨｅＮＢＧＷ７４によってサポートされる。Ｈｏｍｅ−ｅＮＢ７２−２をＨｅＮＢＧＷ７４に接続すると、「ＵＥ  ａｔｔａｃｈｍｅｎｔ」でのＭＭＥ部７３の選択は、Ｈｏｍｅ−ｅＮＢ７２−２の代わりに、ＨｅＮＢＧＷ７４によって行われる。Ｈｏｍｅ−ｅＮＢ７２−２は、ネットワーク計画なしで配備される可能性がある。この場合、Ｈｏｍｅ−ｅＮＢ７２−２は、１つの地理的な領域から別の地理的な領域へ移される。したがって、この場合のＨｏｍｅ−ｅＮＢ７２−２は、位置によって、異なったＨｅＮＢＧＷ７４に接続する必要がある。
【００６７】
図１０は、本発明に係るＭＭＥ（図７のＭＭＥ部７３）の構成を示すブロック図である。ＰＤＮ  ＧＷ通信部１００１は、ＭＭＥ部７３とＰＤＮ  ＧＷとの間のデータの送受信を行う。基地局通信部１００２は、ＭＭＥ部７３と基地局７２との間のＳ１インタフェースによるデータの送受信を行う。ＰＤＮ  ＧＷから受信したデータがユーザデータであった場合、ユーザデータは、ＰＤＮ  ＧＷ通信部１００１から、ユーザプレイン通信部１００３経由で基地局通信部１００２に渡され、１つあるいは複数の基地局７２へ送信される。基地局７２から受信したデータがユーザデータであった場合、ユーザデータは、基地局通信部１００２から、ユーザプレイン通信部１００３経由でＰＤＮ  ＧＷ通信部１００１に渡され、ＰＤＮ  ＧＷへ送信される。
【００６８】
ＰＤＮ  ＧＷから受信したデータが制御データであった場合、制御データは、ＰＤＮ  ＧＷ通信部１００１から制御プレイン制御部１００５へ渡される。基地局７２から受信したデータが制御データであった場合、制御データは、基地局通信部１００２から制御プレイン制御部１００５へ渡される。
【００６９】
ＨｅＮＢＧＷ通信部１００４は、ＨｅＮＢＧＷ７４が存在する場合に設けられ、情報種別によって、ＭＭＥ部７３とＨｅＮＢＧＷ７４との間のインタフェース（ＩＦ）によるデータの送受信を行う。ＨｅＮＢＧＷ通信部１００４から受信した制御データは、ＨｅＮＢＧＷ通信部１００４から制御プレイン制御部１００５へ渡される。制御プレイン制御部１００５での処理の結果は、ＰＤＮ  ＧＷ通信部１００１経由でＰＤＮ  ＧＷへ送信される。また、制御プレイン制御部１００５で処理された結果は、基地局通信部１００２経由でＳ１インタフェースにより１つあるいは複数の基地局７２へ送信され、またＨｅＮＢＧＷ通信部１００４経由で１つあるいは複数のＨｅＮＢＧＷ７４へ送信される。
【００７０】
制御プレイン制御部１００５には、ＮＡＳセキュリティ部１００５−１、ＳＡＥベアラコントロール部１００５−２、アイドルステート（Idle State）モビリティ管理部１００５―３などが含まれ、制御プレインに対する処理全般を行う。ＮＡＳセキュリティ部１００５―１は、ＮＡＳ（Non-Access Stratum）メッセージのセキュリティなどを行う。ＳＡＥベアラコントロール部１００５―２は、ＳＡＥ（System Architecture Evolution）のベアラの管理などを行う。アイドルステートモビリティ管理部１００５―３は、待受け状態（ＬＴＥ−ＩＤＬＥ状態、単にアイドルとも称される）のモビリティ管理、待受け状態時のページング信号の生成および制御、傘下の１つあるいは複数の移動端末７１のトラッキングエリア（ＴＡ）の追加、削除、更新、検索、トラッキングエリアリスト（TA List）管理などを行う。
【００７１】
ＭＭＥ部７３は、ＵＥが登録されている（registered）追跡領域（トラッキングエリア：Tracking Area：ＴＡ）に属するセルへ、ページングメッセージを送信することで、ページングプロトコルに着手する。ＭＭＥ部７３に接続されるＨｏｍｅ−ｅＮＢ７２−２のＣＳＧの管理やＣＳＧ−ＩＤの管理、そしてホワイトリスト管理は、アイドルステートモビリティ管理部１００５―３で行ってもよい。
【００７２】
ＣＳＧ−ＩＤの管理では、ＣＳＧ−ＩＤに対応する移動端末とＣＳＧセルとの関係が管理（追加、削除、更新、検索）される。例えば、あるＣＳＧ−ＩＤにユーザアクセス登録された一つまたは複数の移動端末と該ＣＳＧ−ＩＤに属するＣＳＧセルとの関係であってもよい。ホワイトリスト管理では、移動端末とＣＳＧ−ＩＤとの関係が管理（追加、削除、更新、検索）される。例えば、ホワイトリストには、ある移動端末がユーザ登録した一つまたは複数のＣＳＧ−ＩＤが記憶されてもよい。これらのＣＳＧに関する管理は、ＭＭＥ部７３の中の他の部分で行われてもよい。ＭＭＥ部７３の一連の処理は、制御部１００６によって制御される。よって制御部１００６は、図１０では省略しているが、各部１００１〜１００５と接続している。
【００７３】
現在３ＧＰＰにおいて議論されているＭＭＥの機能を以下に示す（非特許文献１  ４．６．２章参照）。ＭＭＥは、ＣＳＧ（Closed Subscriber Groups）のメンバーの１つ、あるいは複数の移動端末のアクセスコントロールを行う。ＭＭＥは、ページングの最適化（Paging optimization）の実行をオプションとして認める。
【００７４】
図１１は、本発明に係るＨｅＮＢＧＷである図７に示すＨｅＮＢＧＷ７４の構成を示すブロック図である。ＥＰＣ通信部１１０１は、ＨｅＮＢＧＷ７４とＭＭＥ部７３との間のＳ１インタフェースによるデータの送受信を行う。基地局通信部１１０２は、ＨｅＮＢＧＷ７４とＨｏｍｅ−ｅＮＢ７２−２との間のＳ１インタフェースによるデータの送受信を行う。ロケーション処理部１１０３は、ＥＰＣ通信部１１０１経由で渡されたＭＭＥ部７３からのデータのうちレジストレーション情報などを、複数のＨｏｍｅ−ｅＮＢ７２−２に送信する処理を行う。ロケーション処理部１１０３で処理されたデータは、基地局通信部１１０２に渡され、ひとつまたは複数のＨｏｍｅ−ｅＮＢ７２−２にＳ１インタフェースを介して送信される。
【００７５】
ロケーション処理部１１０３での処理を必要とせず通過（透過）させるだけのデータは、ＥＰＣ通信部１１０１から基地局通信部１１０２に渡され、ひとつまたは複数のＨｏｍｅ−ｅＮＢ７２−２にＳ１インタフェースを介して送信される。ＨｅＮＢＧＷ７４の一連の処理は、制御部１１０４によって制御される。よって制御部１１０４は、図１１では省略しているが、各部１１０１〜１１０３と接続している。
【００７６】
現在３ＧＰＰにおいて議論されているＨｅＮＢＧＷ７４の機能を以下に示す（非特許文献１  ４．６．２章参照）。ＨｅＮＢＧＷ７４は、Ｓ１アプリケーションについてリレーする。Ｈｏｍｅ−ｅＮＢ７２−２へのＭＭＥ部７３の手順の一部分であるが、ＨｅＮＢＧＷ７４は、移動端末７１に関係しないＳ１アプリケーションについて終端する。ＨｅＮＢＧＷ７４が配置されるとき、移動端末７１に無関係な手順がＨｏｍｅ−ｅＮＢ７２−２とＨｅＮＢＧＷ７４との間、そしてＨｅＮＢＧＷ７４とＭＭＥ部７３との間を通信される。ＨｅＮＢＧＷ７４と他のノードとの間でＸ２インタフェースは設定されない。ＨｅＮＢＧＷ７４は、ページングの最適化（Paging optimization）の実行をオプションとして認める。
【００７７】
次に移動体通信システムにおける一般的なセルサーチ方法の一例を示す。図１２は、ＬＴＥ方式の通信システムにおいて移動端末（ＵＥ）が行うセルサーチから待ち受け動作までの概略を示すフローチャートである。移動端末は、セルサーチを開始すると、ステップＳＴ１２０１で、周辺の基地局から送信される第一同期信号（Ｐ−ＳＳ）、および第二同期信号（Ｓ−ＳＳ）を用いて、スロットタイミング、フレームタイミングの同期をとる。Ｐ−ＳＳとＳ−ＳＳとを合わせて、同期信号（ＳＳ）には、セル毎に割り当てられたＰＣＩ（Physical Cell Identity）に１対１に対応するシンクロナイゼーションコードが割り当てられている。ＰＣＩの数は現在５０４通りが検討されており、この５０４通りのＰＣＩを用いて同期をとるとともに、同期がとれたセルのＰＣＩを検出（特定）する。
【００７８】
次に同期がとれたセルに対して、ステップＳＴ１２０２で、基地局からセル毎に送信される参照信号ＲＳ（Reference Signal）を検出し受信電力の測定を行う。参照信号ＲＳには、ＰＣＩと１対１に対応したコードが用いられており、そのコードで相関をとることによって他セルと分離できる。ステップＳＴ１２０１で特定したＰＣＩから、該セルのＲＳ用のコードを導出することによって、ＲＳを検出し、ＲＳ受信電力を測定することが可能となる。
【００７９】
次にステップＳＴ１２０３で、ステップＳＴ１２０２までで検出されたひとつ以上のセルの中から、ＲＳの受信品質が最も良いセル（例えば、ＲＳの受信電力が最も高いセル、つまりベストセル）を選択する。
【００８０】
次にステップＳＴ１２０４で、ベストセルのＰＢＣＨを受信して、報知情報であるＢＣＣＨを得る。ＰＢＣＨ上のＢＣＣＨには、セル構成情報が含まれるＭＩＢ（Master Information Block）がのる。したがってＰＢＣＨを受信してＢＣＣＨを得ることで、ＭＩＢが得られる。ＭＩＢの情報としては、例えば、ＤＬ（ダウンリンク）システム帯域幅（送信帯域幅設定（transmission bandwidth configuration：dl-bandwidth）とも呼ばれる）、送信アンテナ数、ＳＦＮ（System Frame Number）などがある。
【００８１】
次にステップＳＴ１２０５で、ＭＩＢのセル構成情報をもとに該セルのＤＬ−ＳＣＨを受信して、報知情報ＢＣＣＨの中のＳＩＢ（System Information Block）１を得る。ＳＩＢ１には、該セルへのアクセスに関する情報や、セルセレクションに関する情報、他のＳＩＢ（ＳＩＢｋ；ｋ≧２の整数）のスケジューリング情報が含まれる。また、ＳＩＢ１には、ＴＡＣ（Tracking Area Code）が含まれる。
【００８２】
次にステップＳＴ１２０６で、移動端末は、ステップＳＴ１２０５で受信したＳＩＢ１のＴＡＣと、移動端末が既に保有しているＴＡＣとを比較する。比較した結果、同じならば、該セルで待ち受け動作に入る。比較して異なる場合は、移動端末は該セルを通してコアネットワーク（Core Network，ＥＰＣ）（ＭＭＥなどが含まれる）へ、ＴＡＵ（Tracking Area Update）を行うためにＴＡの変更を要求する。コアネットワークは、ＴＡＵ要求信号とともに移動端末から送られてくる該移動端末の識別番号（ＵＥ−ＩＤなど）をもとに、ＴＡの更新を行う。コアネットワークは、ＴＡの更新後、移動端末にＴＡＵ受領信号を送信する。移動端末は、該セルのＴＡＣで、移動端末が保有するＴＡＣ（あるいはＴＡＣリスト）を書き換える（更新する）。その後、移動端末は、該セルで待ち受け動作に入る。
【００８３】
ＬＴＥやＵＭＴＳ（Universal Mobile Telecommunication System）においては、ＣＳＧ（Closed Subscriber Group）セルの導入が検討されている。前述したように、ＣＳＧセルに登録したひとつまたは複数の移動端末のみにアクセスが許される。ＣＳＧセルと登録されたひとつまたは複数の移動端末とがひとつのＣＳＧを構成する。このように構成されたＣＳＧには、ＣＳＧ−ＩＤと呼ばれる固有の識別番号が付される。なお、ひとつのＣＳＧには、複数のＣＳＧセルがあってもよい。移動端末は、どれかひとつのＣＳＧセルに登録すれば、そのＣＳＧセルが属するＣＳＧの他のＣＳＧセルにはアクセス可能となる。
【００８４】
また、ＬＴＥでのＨｏｍｅ−ｅＮＢやＵＭＴＳでのＨｏｍｅ−ＮＢが、ＣＳＧセルとして使われることがある。ＣＳＧセルに登録した移動端末は、ホワイトリストを有する。具体的には、ホワイトリストはＳＩＭ（Subscriber Identity Module）／ＵＳＩＭに記憶される。ホワイトリストには、移動端末が登録したＣＳＧセルのＣＳＧ情報が格納される。ＣＳＧ情報として具体的には、ＣＳＧ−ＩＤ、ＴＡＩ（Tracking Area Identity）、ＴＡＣなどが考えられる。ＣＳＧ−ＩＤとＴＡＣとが対応付けられていれば、どちらか一方でよい。また、ＣＳＧ−ＩＤおよびＴＡＣと、ＧＣＩ（Global Cell Identity）とが対応付けられていればＧＣＩでもよい。
【００８５】
以上から、ホワイトリストを有しない（本発明においては、ホワイトリストが空（empty）の場合も含める）移動端末は、ＣＳＧセルにアクセスすることは不可能であり、ｎｏｎ−ＣＳＧセルのみにしかアクセスできない。一方、ホワイトリストを有する移動端末は、登録したＣＳＧ−ＩＤのＣＳＧセルにも、ｎｏｎ−ＣＳＧセルにもアクセスすることが可能となる。
【００８６】
３ＧＰＰでは、全ＰＣＩ（Physical Cell Identity）を、ＣＳＧセル用とｎｏｎ−ＣＳＧセル用とに分割（ＰＣＩスプリットと称する）することが議論されている（非特許文献５参照）。またＰＣＩスプリット情報は、システム情報にて基地局から傘下の移動端末に対して報知されることが議論されている。非特許文献５は、ＰＣＩスプリットを用いた移動端末の基本動作を開示する。ＰＣＩスプリット情報を有していない移動端末は、全ＰＣＩを用いて（例えば５０４コード全てを用いて）セルサーチを行う必要がある。これに対して、ＰＣＩスプリット情報を有する移動端末は、当該ＰＣＩスプリット情報を用いてセルサーチを行うことが可能である。
【００８７】
また３ＧＰＰでは、ハイブリッドセルのためのＰＣＩは、ＣＳＧセル用のＰＣＩ範囲の中には含まれないことが決定されている（非特許文献１  １０．７章参照）。
【００８８】
ＨｅＮＢおよびＨＮＢに対しては、様々なサービスへの対応が求められている。例えば、オペレータは、ある決められたＨｅＮＢおよびＨＮＢに移動端末を登録させ、登録した移動端末のみにＨｅＮＢおよびＨＮＢのセルへのアクセスを許可することで、該移動端末が使用できる無線リソースを増大させて、高速に通信を行えるようにする。その分、オペレータは、課金料を通常よりも高く設定する、といったサービスである。
【００８９】
このようなサービスを実現するため、登録した（加入した、メンバーとなった）移動端末のみがアクセスできるＣＳＧ（Closed Subscriber Group cell）セルが導入されている。ＣＳＧ（Closed Subscriber Group cell）セルは、商店街やマンション、学校、会社などへ数多く設置されることが要求される。例えば、商店街では店舗毎、マンションでは部屋毎、学校では教室毎、会社ではセクション毎にＣＳＧセルを設置し、各ＣＳＧセルに登録したユーザのみが該ＣＳＧセルを使用可能とするような使用方法が要求されている。ＨｅＮＢ／ＨＮＢは、マクロセルのカバレッジ外での通信を補完するためだけでなく、上述したような様々なサービスへの対応が求められている。このため、ＨｅＮＢ／ＨＮＢがマクロセルのカバレッジ内に設置される場合も生じる。
【００９０】
ＬＴＥ−Ａで検討される技術の一つとして、ヘテロジーニアスネットワークス（Heterogeneous networks：ＨｅｔＮｅｔｓ）が加えられた。３ＧＰＰでは、ピコｅＮＢ（ピコセル（pico cell））、ホットゾーンセル用のノード、ＨｅＮＢ／ＨＮＢ／ＣＳＧセル、リレーノード、リモートラジオヘッド（ＲＲＨ）のような低出力電力のローカルエリアレンジ（Local-area range）のネットワークノード（ローカルエリアレンジノード（local area range node）、ローカルエリアノード（local area node）、ローカルノード（local node））を扱う。したがって、通常のｅＮＢ（マクロセル）に、このようなローカルエリアレンジノードを一つ以上組み入れたネットワークの運用が要求される。通常のｅＮＢ（マクロセル）に、このようなローカルエリアレンジノードを一つ以上組み入れたネットワークがヘテロジーニアスネットワークスと呼ばれ、干渉低減方法、キャパシティ改善方法などが検討される。
【００９１】
現在３ＧＰＰでは、インフラ（infrastructure）の消費電力低減（Energy Saving）について議論がされている。具体的には、以下の議論がなされている。キャパシティーブースター（capacity booster）として採用された基地局、あるいはセルは、トラフィック負荷（traffic load）を監視し、トラフィックがある閾値以下で、ある期間その状態が続いた場合、スイッチオフ（switch off）できる（非特許文献８参照）。動作中の基地局にて負荷が高い場合、該基地局は、スイッチオフされた基地局に対してスイッチオンを要求できる（非特許文献８参照）。スイッチオフできる基地局とは、基本的なカバレッジ（basic coverage）と基本的なキャパシティー（basic capacity）とを提供するセルとされている（非特許文献９参照）。
【００９２】
実施の形態１で解決する課題について、以下に説明する。非特許文献８では、基本的なカバレッジと基本的なキャパシティーとを提供するセルについて考慮されている。一般的に、基本的なカバレッジと基本的なキャパシティーとを提供するセルは、ワイドエリアｅＮＢ（wide-area eNBs）と考えられている（非特許文献１０参照）。このことから、非特許文献８では、ローカルエリアレンジのネットワークノードについては考慮されていない。よって、従来の技術では、ローカルエリアレンジのネットワークノードにおける、低消費電力化が実現できないという課題が発生する。
【００９３】
以降、便宜のためローカルエリアレンジのネットワークノードを、ローカルｅＮＢ（Local eNB）と記載する。また、ワイドエリアｅＮＢの代表例としては、通常のｅＮＢ（マクロセル）が考えられる。ローカルｅＮＢはローカル基地局装置に相当する。ローカル基地局装置であるローカルｅＮＢは、出力電力が比較的小さい。ワイドエリア基地局装置であるワイドエリアｅＮＢ、たとえば通常のｅＮＢ（マクロセル）は、出力電力が比較的大きい。換言すれば、ローカルｅＮＢの出力電力は、ワイドエリアｅＮＢの出力電力に比べて小さい。
【００９４】
非特許文献８では、Ｘ２インタフェースを用いて、消費電力の低減を実現することが規定されている。一方、上記のとおりローカルｅＮＢの一つであるＨｅＮＢにおいては、Ｘ２インタフェースがサポートされない（非特許文献１  ４．６．１.章参照）。よってＨｅＮＢでは、非特許文献８に開示される方法では消費電力の低減を実現することができないという課題が発生する。
【００９５】
また、非特許文献８に開示された方法を、図１３の状況に適用した場合、以下の課題が発生する。図１３は、非特許文献８の課題を説明するロケーション図である。マクロセル１３０１のカバレッジ１３０２の境界付近、つまりセルエッジ付近にローカルｅＮＢ１３０３が設置されている。ローカルｅＮＢ１３０３のカバレッジ１３０４内に、移動端末１３０５が存在する。移動端末１３０５は、マクロセル１３０１のカバレッジ１３０２の外、つまりマクロセル１３０１の圏外に存在する。移動端末１３０５は、待受け状態とし、ローカルｅＮＢ１３０３にキャンプオンしているとする。
【００９６】
該移動端末１３０５は、待受け状態であるので、ローカルｅＮＢ１３０３のトラフィックに影響を及ぼさない。よってローカルｅＮＢ１３０３は、移動端末１３０５がキャンプオンしている場合であっても、トラフィックがある閾値以下で、ある期間その状態が続いた場合は、スイッチオフが可能となる。該ローカルｅＮＢ１３０３がスイッチオフした場合、該移動端末１３０５は圏外となり、移動体通信システムとしてのサービスを受けることができないという課題が発生する。
【００９７】
また、動作中の基地局、図１３ではマクロセル１３０１にて負荷が高い場合、該基地局は、スイッチオフされた基地局、図１３ではローカルｅＮＢ１３０３に対して、スイッチオンを要求できる。しかし、移動端末１３０５は、マクロセル１３０１の圏外に位置し、さらに待受け状態である。よって移動端末１３０５の存在により、マクロセル１３０１の負荷が高くなることはない。すなわち、該移動端末１３０５の存在を理由に、該ローカルｅＮＢ１３０３のスイッチがオンされることはない。これにより、該移動端末１３０５が移動体通信システムとしてサービスを受けることができない状況が継続するという課題が発生する。
【００９８】
実施の形態１での解決策を以下に示す。本実施の形態では、ローカルｅＮＢにて消費電力の低減をサポートする。消費電力の低減をサポートするための実現方法の具体例を以下に示す。通常の動作から消費電力低減動作への移行のきっかけ（トリガ）の具体例を、以下に３つ開示する。消費電力の低減動作を、低電力動作またはＥｎｅｒｇｙＳａｖｉｎｇ動作と称し、この動作状態を低電力動作状態と称する。通常の動作を、通常動作またはＮｏｒｍａｌ動作と称し、この動作状態を通常動作状態と称する。
【００９９】
（１）ローカルｅＮＢと接続状態にある移動端末が、予め定める期間存在しない場合。具体的には、ローカルｅＮＢの傘下に、ある期間、ＣＯＮＮＥＣＴＥＤの移動端末が存在しない場合、あるいはローカルｅＮＢの傘下に、ある期間、ＩＤＬＥの移動端末のみが存在する場合。
【０１００】
（２）ローカルｅＮＢの送信動作および受信動作のための電源を切断する指示が与えられた場合。具体的には、ローカルｅＮＢの電源がオフ（ＯＦＦ）された場合、具体例としては電源スイッチがＯＦＦされた場合、あるいは消費電力低減がオン（ＯＮ）された場合、具体例としては消費電力低減スイッチがＯＮされた場合。
【０１０１】
（３）他のノードからＥｎｅｒｇｙＳａｖｉｎｇ動作への移行が指示された場合。該指示には、Ｘ２インタフェースまたはＳ１インタフェースまたはバックホールリンクを用いることができる。
【０１０２】
ＥｎｅｒｇｙＳａｖｉｎｇ動作の具体例としては、移動端末に送信すべき信号である下り送信信号の送信動作を停止し、移動端末から送信される信号である上り送信信号の受信動作を行う。すなわち、送信動作をＯＦＦし、受信動作をＯＮする。受信動作をＯＮする点で、非特許文献８に開示されているスイッチオフとは異なる。また、ＥｎｅｒｇｙＳａｖｉｎｇ動作で受信動作をＯＮすることによって、後に述べるＥｎｅｒｇｙＳａｖｉｎｇ動作からＮｏｒｍａｌ動作への移行トリガの具体例（１）「ローカルｅＮＢが移動端末からの上り送信を受信した場合」を用いることが可能となる。
【０１０３】
送信動作をＯＦＦする具体例としては、ユーザデータおよび制御データの送信をＯＦＦする。制御データの具体例としては、ユーザデータに付随する制御データ（具体例としては、Ａｃｋ／Ｎａｃｋなど）、移動端末によるセルサーチに用いるデータ、報知情報、ページングなどである。傘下にＣＯＮＮＥＣＴＥＤの移動端末が存在しなければ、ユーザデータおよびユーザデータに付随する制御データを送信する必要はない。一方、傘下にＣＯＮＮＥＣＴＥＤの移動端末が存在しない場合であっても、移動端末によるセルサーチに用いるデータ、報知情報、ページングの送信は必要となる。よってＥｎｅｒｇｙＳａｖｉｎｇ動作において、移動端末によるセルサーチに用いるデータ、報知情報、ページングの送信をＯＦＦすることは、低消費電力化に有効である。
【０１０４】
またＬＴＥ、ＬＴＥ−Ａでは、移動端末によるセルサーチに用いるＳＳおよびＲＳ、報知情報の送信に用いるＰＢＣＨおよびＰＤＣＣＨ、ならびにページングの送信に用いるＰＤＣＣＨは、周期的に送信する必要がある。よって、移動端末によるセルサーチに用いるデータ、報知情報、ページングの送信をＯＦＦすることは、低消費電力化に有効である。
【０１０５】
受信動作をＯＮする具体例としては、移動端末からの上り送信、具体的には移動端末から送信される上り送信信号を受信する。ＥｎｅｒｇｙＳａｖｉｎｇ動作からＮｏｒｍａｌ動作への移行トリガの具体例を、以下に２つ開示する。
【０１０６】
（１）ローカルｅＮＢが、移動端末からの上り送信を受信した場合。
【０１０７】
（２）ローカルｅＮＢが、バックホールから、予め定める信号、たとえばページング（Ｐａｇｉｎｇ）信号を受信した場合。ここでバックホールとは、リレーノードのバックホールリンクだけでなく、ピコセルやフェムトセル（ＨｅＮＢ）のような有線のバックホールリンクも含むものとする。
【０１０８】
移動端末からの上り送信の受信、あるいはバックホールからのページング（Ｐａｇｉｎｇ）信号の受信でＮｏｒｍａｌ動作へ移行する点において、非特許文献８に開示されている動作中の基地局の負荷に応じてＥｎｅｒｇｙＳａｖｉｎｇ動作中のローカルｅＮＢがスイッチオンされる点と異なる。
【０１０９】
移動端末からの上り送信の具体例を以下に３つ開示する。
【０１１０】
（１）移動端末に対して、上り送信が許可されているリソースが時間的に離散している。これにより、ローカルｅＮＢが、ＥｎｅｒｇｙＳａｖｉｎｇ動作で該上り送信信号（以下「上り信号」という場合がある）を受信するため、連続受信を要せず、間欠受信で足りることとなる。ＥｎｅｒｇｙＳａｖｉｎｇ動作における間欠受信動作は、連続受信動作と比較して低消費電力化に有効である。
【０１１１】
（２）送信が許可されているリソースが時間的に周期を持っている。これにより、移動端末に対する度々の送信が許可されているリソースの通知が不要となる。これにより、無線リソースを有効に活用することができる。
【０１１２】
（３）送信が許可されているリソースの周波数的割当が決まっている。これにより、移動端末およびローカルｅＮＢの処理の負荷を軽減することができる。
【０１１３】
ＬＴＥ、ＬＴＥ−Ａにおいては、上記移動端末からの上り送信にＰＲＡＣＨを用いることができる。
【０１１４】
上記のとおり、上り送信が許可されているリソースが時間的に離散していることにより、ＥｎｅｒｇｙＳａｖｉｎｇ動作の受信動作において、該タイミングのみ受信動作を行えばよくなる。つまり、ＥｎｅｒｇｙＳａｖｉｎｇ動作の受信動作を連続にＯＮする必要がなくなる。よって、低消費電力化に有効となる。この受信動作は、間欠受信動作と称されることもある。
【０１１５】
移動端末が上記上り送信に用いる設定の具体例について、以下に開示する。該上り送信に用いる設定は、ＥｎｅｒｇｙＳａｖｉｎｇを行っているローカルｅＮＢ毎とする。これにより、ローカルｅＮＢは、ＥｎｅｒｇｙＳａｖｉｎｇ時に、自セルの上り送信の設定パラメータを用いて、間欠受信すればよい。よって、ローカルｅＮＢにおいて、自由度の高いＥｎｅｒｇｙＳａｖｉｎｇ動作を実現することができる。
【０１１６】
移動端末が該上り送信に用いる設定を、移動端末が知る方法の具体例について、以下に２つ開示する。
【０１１７】
（１）移動端末は、該上り送信に用いる設定をサービングセルから通知される。
【０１１８】
（２）ローカルｅＮＢがＨｅＮＢである場合において、移動端末がＨｅＮＢの属するＣＳＧに登録される際、移動端末は、該ＨｅＮＢの上り送信に用いる設定を通知される。通知方法の具体例としては、ＨｅＮＢのオーナーにより設定され、該ＨｅＮＢから通知される、ホワイトリスト通知の際に共にネットワーク側から通知されるなどがある。
【０１１９】
上記、上り送信に用いる設定を、移動端末が知る方法の具体例（１）について、以下にさらに開示する。３ＧＰＰ  Ｒ３−０９３３８７（以下「非特許文献１１」という）には、セルフオーガナイズドネットワーク（Self Organized Network：ＳＯＮ）を目的として、ＲＡＣＨ設定（RACH Configuration）をｅＮＢ間でＸ２インタフェースを用いて通知することが開示されている。一方、上記のとおりローカルｅＮＢの一つであるＨｅＮＢにおいては、Ｘ２インタフェースがサポートされない（非特許文献１  ４．６．１.章参照）。よって、ＨｅＮＢでは、非特許文献１１に開示される方法でＲＡＣＨ設定を通知することができないという課題が発生する。
【０１２０】
本実施の形態１では、ローカルｅＮＢは、自セルの上り送信の設定パラメータを、Ｓ１インタフェースを用いて周辺のノードへ通知する。ローカルｅＮＢが、自セルの上り送信の設定パラメータを通知する周辺のノードを決定する方法の具体例について、以下に開示する。
【０１２１】
ローカルｅＮＢが自セルの上り送信の設定パラメータを通知する周辺のノードは、ローカルｅＮＢの周辺無線環境の測定結果に基づいて決定する。周辺無線環境の具体例としては、周辺セルの測定結果がある。周辺セルの測定結果の具体例としては、受信品質、受信電力、パスロス（Path Loss）などがある。
【０１２２】
ローカルｅＮＢは、周辺無線環境の測定結果において、あるノードの受信品質、あるいは受信電力がある閾値以上（あるいは閾値より大きい）であれば、自セルの上り送信の設定パラメータを通知するノードとして、該ノードを選択する。または、ローカルｅＮＢは、周辺無線環境の測定結果において、あるノードのパスロスがある閾値未満（あるいは以下）であれば、自セルの上り送信の設定パラメータを通知するノードとして、該ノードを選択する。自セルの上り送信の設定パラメータを通知するノードは、１つであっても複数であってもよい。上記の方法で、自セルの上り送信の設定パラメータを通知するノードを選択することにより、周辺のノードを選択することが可能となる。これにより、無駄なノードにまで、自セルの上り送信の設定パラメータを通知する必要がなくなり、ローカルｅＮＢの処理の負荷を軽減することができる。
【０１２３】
ローカルｅＮＢの上り送信の設定パラメータの通知を受けたノードは、傘下の移動端末に対して、該情報を通知する。通知の方法の具体例を、以下に２つ開示する。（１）報知情報を用いて通知する。（２）個別信号を用いて通知する。
【０１２４】
ＬＴＥ、ＬＴＥ−Ａにおける報知情報を用いて通知する具体例について、以下に開示する。ＲＡＣＨ設定（RACH Configuration）を用いる。ＲＡＣＨ設定を用いる場合の具体例について、以下に２つ開示する。
【０１２５】
（１）現在のＲＡＣＨ設定中に、サービングセル用、つまりローカルｅＮＢの上り送信の設定パラメータの通知を受けたノード用のＲＡＣＨ設定と、ローカルｅＮＢのＲＡＣＨ設定とを設ける。
【０１２６】
（２）現在のＲＡＣＨ設定とは別に、ＥｎｅｒｇｙＳａｖｉｎｇ動作中のローカルｅＮＢをＮｏｒｍａｌ動作へ移行させるための上り送信設定を設ける。
【０１２７】
上り送信の設定パラメータの具体例を、以下に２つ開示する。
【０１２８】
（１）上り送信が許可されているリソース。リソースの具体例としては、時間的リソースと周波数的リソース、あるいは時間的リソースなどがある。ＬＴＥ、ＬＴＥ−Ａにおいては、ＲＡＣＨ設定。さらに具体例としては、「RACH-ConfigCommon」、「PRACH-config」などがある（３ＧＰＰ  ＴＳ３６．３３１  Ｖ９．０．０（以下「非特許文献１２」という）参照）。
【０１２９】
（２）上り周波数情報。ローカルｅＮＢと傘下の移動端末との間で用いられている上り周波数情報。上り周波数情報の具体例としては、キャリア周波数、周波数バンド、コンポーネントキャリアなどがある。ＬＴＥ、ＬＴＥ−Ａにおいては、「freqInfo」、「ul-CarrierFreq」、「ul-Bandwidth」などがある（非特許文献１２参照）。
【０１３０】
コンポーネントキャリアについて、以下に説明する。ＬＴＥ−Ａシステムでは、ＬＴＥシステムの周波数帯域幅（transmission bandwidths）より大きい周波数帯域幅をサポートすることが考えられている（３ＧＰＰ  ＴＲ  ３６．８１４  Ｖ１.５．０（以下「非特許文献１３」という）５章参照）。そのため、ＬＴＥ−Ａ対応の移動端末は、同時に１つあるいは複数のコンポーネントキャリア（component carrier：ＣＣ）を受信することが考えられている。ＬＴＥ−Ａ対応の移動端末は、同時に複数のコンポーネントキャリア上の受信および送信、あるいは受信のみ、あるいは送信のみをキャリアアグリゲーション（carrier aggregation）するための能力（capability）を持つことが考えられている。
【０１３１】
また、移動端末は、基地局の下り送信、具体的には基地局から送信される下り送信信号を受信し、受信した下り送信に基づいて、基地局の周波数に同期するのが一般的である。該機能は、オートマティックフリークェンシーコントロール（Automatic Frequency Control：ＡＦＣ）と称される。移動端末がＥｎｅｒｇｙＳａｖｉｎｇ動作中のローカルｅＮＢをＮｏｒｍａｌ動作へ移行させるために、該ローカルｅＮＢへ上り送信を行う場合、以下の課題が発生する。本実施の形態１では、ローカルｅＮＢのＥｎｅｒｇｙＳａｖｉｎｇ動作として、送信動作をＯＦＦするので、移動端末がＡＦＣを行う場合に、基となる基地局の下り送信が存在しない。したがって、移動端末がどのようにＡＦＣを実行するかが課題となる。
【０１３２】
本実施の形態１での解決策を以下に３つ開示する。
【０１３３】
（１）移動端末は、サービングセルの下り送信（下りリンク）を受信し、該下り送信の周波数でＡＦＣを実行する。移動端末は、移動端末の上りリンクの周波数を、ローカルｅＮＢと傘下の移動端末との間で用いられている上り周波数情報に設定する。移動端末は、該上りリンクの周波数を用いて、ＥｎｅｒｇｙＳａｖｉｎｇ動作中のローカルｅＮＢをＮｏｒｍａｌ動作へ移行させるために、該ローカルｅＮＢへ上り送信を行う。これによって、移動端末がＥｎｅｒｇｙＳａｖｉｎｇ動作中のローカルｅＮＢに対して、ＡＦＣを実行することが可能となる。
【０１３４】
（２）ＥｎｅｒｇｙＳａｖｉｎｇ動作中のローカルｅＮＢは、サービングセルの下り送信（下りリンク）を受信し、該下り送信の周波数でＡＦＣを実行する。ローカルｅＮＢは、ローカルｅＮＢの移動端末からの上りリンクを受信するための周波数を、ローカルｅＮＢと傘下の移動端末との間で用いられている上り周波数に設定する。ローカルｅＮＢは、該周波数を用いて、移動端末からの上り送信を受信する。ローカルｅＮＢは、上記ＡＦＣ動作を、移動端末からの上り送信を受信する前に行ってもよい。移動端末からの上り送信の具体例としては、ＥｎｅｒｇｙＳａｖｉｎｇ動作中のローカルｅＮＢをＮｏｒｍａｌ動作へ移行させるための上り送信がある。
【０１３５】
（３）上記（１）および（２）を組み合わせて用いる。この場合、移動端末の周波数と、ローカルｅＮＢの周波数とが、（１）あるいは（２）を単独で用いる場合と比較して、より精度良く一致する。よって、移動端末からローカルｅＮＢへの上りリンクの通信品質が向上するという効果を得ることができる。
【０１３６】
次に、移動端末がＥｎｅｒｇｙＳａｖｉｎｇ動作中のローカルｅＮＢをＮｏｒｍａｌ動作へ移行させるために、上り送信（以降、ウェイクアップ用上り送信と称すこともある）を行う状況の具体例について、以下に４つ開示する。
【０１３７】
（１）サービングセルの受信品質が下がった場合、あるいはサービングセルとなり得るセルが存在しない場合。例えば、サービングセルのセルエッジに、ＥｎｅｒｇｙＳａｖｉｎｇ動作中のローカルｅＮＢが存在した場合、移動端末からのウェイクアップ上り送信により、該ローカルｅＮＢがＮｏｒｍａｌ動作に移行する。これによって、サービングセルから該ローカルｅＮＢへハンドオーバ、あるいは該ローカルｅＮＢをセルリセレクトすることで、該移動端末が移動体通信システムのサービスを継続的に受けることができる。
【０１３８】
（２）従来の技術のＲＡＣＨ送信の条件が満たされた場合。具体例としては、ＴＡＵ送信、移動端末側からのサービスリクエストが発生した場合（発呼と称される場合もある）。
【０１３９】
（３）周期的。
【０１４０】
（４）ユーザが操作をした場合。
【０１４１】
上記（１）のサービングセルの受信品質が下がった場合の判断方法の具体例について、以下に開示する。移動端末の測定結果に基づいて、サービングセルの受信品質（受信電力、ＳＩＲなど）が、ある閾値（以降、ウェイクアップ上り送信閾値と称することもある）を下回った場合（以下となった場合、未満となった場合でもよい）、ウェイクアップ上り送信を行うと判断する。あるいは、移動端末の測定結果に基づいて、サービングセルの受信品質（パスロスなど）が、ある閾値（以降、ウェイクアップ上り送信閾値と称することもある）を上回った場合（以上となった場合、より大きくなった場合でもよい）、ウェイクアップ上り送信を行うと判断する。
【０１４２】
該ウェイクアップ上り送信閾値の移動端末への通知方法の具体例について、以下に２つ開示する。
【０１４３】
（１）サービングセルから傘下の移動端末へ通知する。通知方法としては、報知情報が考えられる。状態によらず、傘下の移動端末へ通知可能となることから有効である。また、閾値の変更が容易となることから柔軟な移動体通信システムの構築が可能となる。また、ＬＴＥ、ＬＴＥ−Ａにおいては、ウェイクアップ上り送信閾値を周辺セル測定開始閾値（Ｓintrasearch）（非特許文献３  ５．２．４．２章参照）と併用してもよい。パラメータを削減でき、無線リソースを有効に活用することができる。
【０１４４】
（２）静的に決定する。移動端末への無線リソースを用いた通知が不要となることから、無線リソースを有効に活用することができる。
【０１４５】
特に、ローカルｅＮＢがＨｅＮＢである場合において、移動端末がＥｎｅｒｇｙＳａｖｉｎｇ動作中のローカルｅＮＢをＮｏｒｍａｌ動作へ移行させるために、上り送信（ウェイクアップ上り送信）を行う状況の具体例について、以下に２つ開示する。
【０１４６】
非特許文献１には、ＣＳＧセルのセルセレクションおよびリセレクション方法が、オートノーマスサーチ機能（autonomous search function）に基づくことが開示されている。また非特許文献３には、サービング周波数とは異なる周波数にて「適切なセル」であるＣＳＧセルをサーチするために、移動端末はオートノーマスサーチ機能を用いることが開示されている。さらに非特許文献１には、移動端末は、ＣＳＧセルの手動のセレクション（マニュアルセレクション）をサポートすることが開示されている。移動端末中に構成されたＣＳＧホワイトリストが空であるならば、移動端末によるＣＳＧセルのオートノーマスサーチ機能は無能とされることが開示されている。
【０１４７】
（１）ＣＳＧセルの手動のセレクションのとき。さらに具体例としては、セレクションのための測定を行う前にウェイクアップ上り送信を行う。これにより、移動端末の周辺に、ＥｎｅｒｇｙＳａｖｉｎｇ動作を行っているＨｅＮＢが存在した場合であっても、該ＨｅＮＢをＮｏｒｍａｌ動作へ移行させることが可能となる。したがって、該ＨｅＮＢも対象に含めたＣＳＧセルセレクションを行うことが可能となる。
【０１４８】
（２）オートノーマスサーチ機能が動作中は、周期的に行う。これにより、移動端末の周辺に、ＥｎｅｒｇｙＳａｖｉｎｇ動作を行っているＨｅＮＢが存在した場合であっても、該ＨｅＮＢをＮｏｒｍａｌ動作へ移行させることが可能となる。したがって、該ＨｅＮＢも対象に含めたＣＳＧセルセレクションを行うことが可能となる。このように構成した場合であっても、該移動端末中に構成されたＣＳＧホワイトリストが空である場合は、オートノーマスサーチ機能が動作しなくなる。これに伴い、ＨｅＮＢのＥｎｅｒｇｙＳａｖｉｎｇ動作を解除するための上り送信が止まることになる。したがって、無駄な上り送信がなくなるという効果を得ることができる。ＣＳＧホワイトリストは、許可ＣＳＧリスト（Allowed CSG ID List）と呼ばれることもある。
【０１４９】
上記のとおり、ローカルｅＮＢとしては、ピコｅＮＢ（ピコセル（pico cell））、ホットゾーンセル用のノード、ＨｅＮＢ／ＨＮＢ／ＣＳＧセル、リレーノード、リモートラジオヘッド（ＲＲＨ）などが考えられる。ローカルｅＮＢの種別毎に、ＥｎｅｒｇｙＳａｖｉｎｇ動作からＮｏｒｍａｌ動作への移行トリガを分けてもよい。またローカルｅＮＢの種別毎に、ウェイクアップ上り送信を分けてもよい。またローカルｅＮＢの種別毎に、移動端末がＥｎｅｒｇｙＳａｖｉｎｇ動作中のローカルｅＮＢをＮｏｒｍａｌ動作へ移行させるために上り送信（ウェイクアップ上り送信）を行う状況を分けてもよい。
【０１５０】
具体例としては、リレーノードについては、ウェイクアップ上り送信を行う状況を、サービングセルの受信品質が下がった場合とし、ＨｅＮＢについては、ウェイクアップ用上り送信を行う状況を、オートノーマスサーチ機能が動作中は、周期的に行うとしてもよい。これにより、ローカルｅＮＢの種別毎に、最適なＥｎｅｒｇｙＳａｖｉｎｇ動作を行うことが可能となる。
【０１５１】
以上に述べた本実施の形態１では、サービングセルがマクロセルである場合を説明したが、サービングセルがローカルｅＮＢであっても、実施の形態１と同様に実施可能であり、実施の形態１と同様の効果を得ることができる。
【０１５２】
また本実施の形態１では、ＥｎｅｒｇｙＳａｖｉｎｇ動作を行うノードがローカルｅＮＢである場合を説明したが、ＥｎｅｒｇｙＳａｖｉｎｇ動作を行うノードがワイドエリアｅＮＢであっても、実施の形態１と同様に実施可能であり、実施の形態１と同様の効果を得ることができる。
【０１５３】
本実施の形態１は、非特許文献８などに開示される従来の消費電力の低減技術と組み合わせて用いることができる。
【０１５４】
実施の形態１を用いた具体的な動作例を、図１４および図１５を用いて説明する。図１４は、実施の形態１の解決策を説明するロケーション図である。図１４において、図１３に対応する部分については同一の参照符を付して、説明を省略する。移動端末１４０１は、マクロセル１３０１のカバレッジ１３０２内、つまりマクロセル１３０１の圏内に存在する。
【０１５５】
次に、図１５を用いて、実施の形態１の解決策を用いた場合の移動体通信システムのシーケンス例を説明する。図１５は、実施の形態１の解決策を用いた場合の移動体通信システムのシーケンス例を説明する図である。本動作例では、サービングセルがマクロセル１３０１である場合について説明する。
【０１５６】
ステップ１５０１において、ローカルｅＮＢ１３０３は、上り送信の設定パラメータを通知する周辺のノードを決定する。決定方法の具体例は、上記のとおりである。本動作例においては、上り送信の設定パラメータを通知する周辺のノードの１つとして、マクロセル１３０１が選択されたとする。
【０１５７】
ステップＳＴ１５０２において、ローカルｅＮＢ１３０３は、自セル、すなわちローカルｅＮＢ１３０３の上り送信の設定パラメータをマクロセル１３０１に通知する。上り送信の設定パラメータの具体例は、上記のとおりである。また、上り送信の具体例は、上記のとおりであるが、本動作例においては、上り送信の具体例として、ＰＲＡＣＨを用いる。よって、上り送信の設定パラメータの具体例として、ローカルｅＮＢ１３０３のＲＡＣＨ設定とする。また、上り送信の設定パラメータとして、ローカルｅＮＢと傘下の移動端末との間で用いられている上り周波数情報を通知してもよい。
【０１５８】
ステップＳＴ１５０３において、ローカルｅＮＢ１３０３は、通常の動作から消費電力低減動作（ＥｎｅｒｇｙＳａｖｉｎｇ動作）への移行のトリガの有無を判断する。移行のトリガの具体例は、上記のとおりである。ＥｎｅｒｇｙＳａｖｉｎｇ動作への移行のトリガが有ると判断した場合は、ステップＳＴ１５０４へ移行する。ＥｎｅｒｇｙＳａｖｉｎｇ動作への移行のトリガが無いと判断した場合は、ステップＳＴ１５０３の判断を繰り返す。
【０１５９】
ステップＳＴ１５０４において、ローカルｅＮＢ１３０３は、ＥｎｅｒｇｙＳａｖｉｎｇ動作へ移行する。ＥｎｅｒｇｙＳａｖｉｎｇ動作の具体例としては、上記のとおり、送信動作をＯＦＦし、受信動作をＯＮする。
【０１６０】
ステップＳＴ１５０５において、ローカルｅＮＢ１３０３は、間欠受信を開始する。具体例としては、ローカルｅＮＢ１３０３のＲＡＣＨ設定で上り送信を受信するための、間欠受信を開始する。
【０１６１】
ステップＳＴ１５０２の処理は、ステップＳＴ１５０３の処理の後、あるいはステップＳＴ１５０４の処理の後、あるいはステップＳＴ１５０５の処理の後に行っても、同じ効果を得ることができる。
【０１６２】
ステップＳＴ１５０６において、サービングセルであるマクロセル１３０１は、傘下の移動端末に対して、自セル、すなわちマクロセル１３０１のＲＡＣＨ設定を通知する。傘下の移動端末（ＵＥ）には、移動端末１４０１が含まれる。
【０１６３】
ステップＳＴ１５０７において、マクロセル１３０１は、傘下の移動端末に対して、ステップＳＴ１５０２で受信したローカルｅＮＢ１３０３のＲＡＣＨ設定を通知する。また、ローカルｅＮＢと傘下の移動端末との間で用いられている上り周波数情報を通知してもよい。該ローカルｅＮＢがＥｎｅｒｇｙＳａｖｉｎｇ動作中であるか否かを示す情報を含めてもよい。傘下の移動端末には、移動端末１４０１が含まれる。
【０１６４】
ステップＳＴ１５０８において、移動端末１４０１は、ウェイクアップ用上り送信を行うか否かを判断する。ウェイクアップ用上り送信を行う状況の具体例は、上記のとおりである。本動作例において、ウェイクアップ用上り送信を行う状況として、サービングセルの受信品質が下がった場合とする。具体例としては、移動端末１４０１は、サービングセルであるマクロセル１３０１（以下「サービングセル１３０１」という場合がある）の受信品質が、ウェイクアップ上り送信閾値未満となるか否かを判断する。サービングセル１３０１の受信品質が、ウェイクアップ上り送信閾値未満となる場合は、ステップＳＴ１５０９へ移行する。サービングセル１３０１の受信品質が、ウェイクアップ上り送信閾値未満とならない場合は、ステップＳＴ１５０８の判断を繰り返す。
【０１６５】
ステップＳＴ１５０９において、移動端末１４０１は、ウェイクアップ用上り送信としてのＲＡＣＨ送信を行う。移動端末１４０１による周辺セルの測定にて発見できないローカルｅＮＢに対して、移動端末が上り送信を行うことを可能としてもよい。該ＲＡＣＨ送信では、移動端末１４０１がステップＳＴ１５０７で受信した、ローカルｅＮＢ１３０３のＲＡＣＨ設定を用いて、該ＲＡＣＨを送信する。また、移動端末１４０１がステップＳＴ１５０７で受信した、ローカルｅＮＢと傘下の移動端末との間で用いられている上り周波数を用いて、該ＲＡＣＨを送信してもよい。また上記のとおり、マクロセル１３０１の下り送信を用いて、ローカルｅＮＢに対してＡＦＣを実施して、該ＲＡＣＨを送信してもよい。
【０１６６】
ステップＳＴ１５１０において、ローカルｅＮＢ１３０３は、ＥｎｅｒｇｙＳａｖｉｎｇ動作からＮｏｒｍａｌ動作への移行トリガの有無を判断する。移行トリガの具体例は、上記のとおりである。本動作例においては、移行トリガの具体例として、ローカルｅＮＢ１３０３が移動端末１４０１からの上り送信を受信した場合とする。ローカルｅＮＢ１３０３は、ウェイクアップ用上り送信としてのＲＡＣＨを受信したか否かを判断する。ＲＡＣＨを受信したと判断した場合は、ステップＳＴ１５１１へ移行する。ＲＡＣＨを受信していないと判断した場合は、ステップＳＴ１５１０の判断を繰り返す。
【０１６７】
ステップＳＴ１５１１において、ローカルｅＮＢ１３０３は、Ｎｏｒｍａｌ動作へ移行する。
【０１６８】
以上の実施の形態１により、以下の効果を得ることができる。本実施の形態１によれば、ローカルｅＮＢにおけるＥｎｅｒｇｙＳａｖｉｎｇ動作を実現することが可能となり、移動体通信システムにおけるインフラの消費電力の低減を実現することができる。
【０１６９】
また、非特許文献８の従来の技術では、Ｘ２インタフェースを用いたインフラの消費電力の低減について規定されている。本実施の形態１では、Ｘ２インタフェースを用いないインフラの消費電力の低減方法を開示した。これによって、Ｘ２インタフェースをサポートしないＨｅＮＢなどにおいても、消費電力の低減が可能となる。ＨｅＮＢは上記のとおり、数多く設置されることが要求されているため、ＨｅＮＢで消費電力の低減が実現可能となることは、移動体通信システム全体の消費電力の低減に大きく寄与する。
【０１７０】
実施の形態１では、非特許文献８の従来の技術に開示されたネットワーク側の負荷を用いないで、ＥｎｅｒｇｙＳａｖｉｎｇ動作中のローカルｅＮＢをＮｏｒｍａｌ動作へ移行させることができる。つまり、移動端末の位置（ロケーション）によらず、また移動端末の状態によらず、ＥｎｅｒｇｙＳａｖｉｎｇ動作中のローカルｅＮＢをＮｏｒｍａｌ動作へ移行させることができる。
【０１７１】
これによって、非特許文献８の従来の技術を用いた場合に課題であった図１３に示すようなロケーションにおいても、ローカルｅＮＢ１３０３をスイッチオン、すなわちＮｏｒｍａｌ動作へ移行することが可能となり、移動端末１３０５が移動体通信システムとしてサービスを受けることができないという課題を解決することが可能となる。
【０１７２】
また本実施の形態では、ＥｎｅｒｇｙＳａｖｉｎｇ動作として送信動作をＯＦＦし、受信動作をＯＮすることを開示した。これにより、ＥｎｅｒｇｙＳａｖｉｎｇ動作中に、ローカルｅＮＢの送信部の電源を一括してＯＦＦし、受信部の電源のみをＯＮすればよくなる。したがって、ＥｎｅｒｇｙＳａｖｉｎｇ動作を実現するためのハードウェアの設計が容易になる。
【０１７３】
実施の形態１  変形例１．
実施の形態１の変形例１において解決する課題について説明する。実施の形態１の解決策を実行した場合であっても、マクロセルの周辺にローカルｅＮＢが多数存在した場合には、以下の２つの課題が発生する。
【０１７４】
（１）ローカルｅＮＢからマクロセルへ通知される、ローカルｅＮＢの上り送信の設定パラメータが多くなる。つまり、マクロセルから傘下の移動端末へ通知する、ローカルｅＮＢの上り送信の設定パラメータの種類が増加する。これにより、マクロセルか傘下の移動端末へ通知する、ローカルｅＮＢの上り送信の設定パラメータの情報量が増加する。よって、無線リソースを多く用いなければならないという課題が発生する。
【０１７５】
（２）移動端末が行う、ウェイクアップ用上り送信のための上り送信の設定パラメータの種類が増加する。よって移動端末は、該種類分の上り設定を行う必要が生じ、また該種類分上り送信を行う必要が生じる。これにより、移動端末の処理負荷が高くなり、また移動端末の消費電力が増加するという課題が発生する。
【０１７６】
実施の形態１の変形例１の課題を、図１５および図１６を用いて再度説明する。図１６は、実施の形態１の変形例１の課題を説明するロケーション図である。図１６において、図１３および図１４に対応する部分については同一の参照符を付して、説明を省略する。マクロセル１３０１のカバレッジ１３０２の境界付近、つまりセルエッジ付近に、複数のローカルｅＮＢ、具体的にはローカルｅＮＢ１６０１、ローカルｅＮＢ１６０３、ローカルｅＮＢ１６０５、ローカルｅＮＢ１６０７が設置されている。ローカルｅＮＢ１６０１は、カバレッジ１６０２を持つ。ローカルｅＮＢ１６０３は、カバレッジ１６０４を持つ。ローカルｅＮＢ１６０５は、カバレッジ１６０６を持つ。ローカルｅＮＢ１６０７は、カバレッジ１６０８を持つ。
【０１７７】
図１６に示すようなロケーションで実施の形態１を実行した場合の移動体通信システムのシーケンス例を、図１５を用いて説明する。ステップＳＴ１５０１において、ローカルｅＮＢ１３０３のみならず、ローカルｅＮＢ１６０１、ローカルｅＮＢ１６０３、ローカルｅＮＢ１６０５、ローカルｅＮＢ１６０７においても、上り送信の設定パラメータを通知する周辺のノードとして、マクロセル１３０１が選択される。
【０１７８】
ステップＳＴ１５０２において、ローカルｅＮＢ１３０３は、マクロセル１３０１へ、ローカルｅＮＢ１３０３の上り送信の設定パラメータを通知する。ステップＳＴ１５０２において、ローカルｅＮＢ１６０１は、マクロセル１３０１へ、ローカルｅＮＢ１６０１の上り送信の設定パラメータを通知する。ステップＳＴ１５０２において、ローカルｅＮＢ１６０３は、マクロセル１３０１へ、ローカルｅＮＢ１６０３の上り送信の設定パラメータを通知するステップＳＴ１５０２において、ローカルｅＮＢ１６０５は、マクロセル１３０１へ、ローカルｅＮＢ１６０５の上り送信の設定パラメータを通知する。ステップＳＴ１５０２において、ローカルｅＮＢ１６０７は、マクロセル１３０１へ、ローカルｅＮＢ１６０７の上り送信の設定パラメータを通知する。
【０１７９】
ステップＳＴ１５０７において、マクロセル１３０１は、傘下の移動端末（移動端末１４０１も含まれる）に対して、ステップＳＴ１５０２で受信したローカルｅＮＢ１３０３、ローカルｅＮＢ１６０１、ローカルｅＮＢ１６０３、ローカルｅＮＢ１６０５、ローカルｅＮＢ１６０７のＲＡＣＨ設定を通知する。このように、ローカルｅＮＢの上り送信の設定パラメータの情報量が増加し、無線リソースを多く用いなければならないという課題が発生する。
【０１８０】
ステップＳＴ１５０８において、移動端末１４０１は、ウェイクアップ用上り送信を行うか否か判断し、ウェイクアップ用上り送信を行うと判断した場合、ステップＳＴ１５０９において、ウェイクアップ用上り送信を行う。該ウェイクアップ用上り送信の設定パラメータには、ステップＳＴ１５０７で受信したローカルｅＮＢ１３０３、ローカルｅＮＢ１６０１、ローカルｅＮＢ１６０３、ローカルｅＮＢ１６０５、ローカルｅＮＢ１６０７のＲＡＣＨ設定を用いる。
【０１８１】
このとき、移動端末１４０１は、ローカルｅＮＢ１３０３のカバレッジ１３０４内に位置するが、ローカルｅＮＢ１６０１のカバレッジ１６０２、ローカルｅＮＢ１６０３のカバレッジ１６０４、ローカルｅＮＢ１６０５のカバレッジ１６０６、ローカルｅＮＢ１６０７のカバレッジ１６０８内には無い。よって、移動端末１４０１のロケーションにおいては、ローカルｅＮＢ１３０３のＲＡＣＨ設定のみを用いて、ウェイクアップ用上り送信を行えばよい。なぜならば、例えばローカルｅＮＢ１６０３がＥｎｅｒｇｙＳａｖｉｎｇ動作からＮｏｒｍａｌ動作へ移行したとしても、移動端末１４０１は、該ローカルｅＮＢ１６０３から移動体通信システムのサービスを受けることはできないからである。
【０１８２】
しかし、ローカルｅＮＢのＥｎｅｒｇｙＳａｖｉｎｇ動作として、送信動作がＯＦＦされていることから、移動端末１４０１は、いずれのローカルｅＮＢの圏内に自移動端末が位置するかを判断することができない。よって移動端末１４０１は、ステップＳＴ１５０９において、ステップＳＴ１５０７で受信したローカルｅＮＢ１３０３、ローカルｅＮＢ１６０１、ローカルｅＮＢ１６０３、ローカルｅＮＢ１６０５、ローカルｅＮＢ１６０７のＲＡＣＨ設定を用いて、ウェイクアップ用上り送信を行う必要が生じる。これにより、該種類分（図１６の場合は５種類）の上り設定を行う必要が生じ、また該種類回（図１６の場合は５回）上り送信を行う必要が生じる。これにより、移動端末１４０１の処理負荷が高くなり、また移動端末１４０１の消費電力が増加するという課題が発生する。
【０１８３】
実施の形態１の変形例１での解決策を以下に示す。実施の形態１の解決策と異なる部分を中心に説明する。説明していない部分については、実施の形態１と同様とする。
【０１８４】
本変形例では、移動端末がウェイクアップ用上り送信を行う場合の上り送信に用いる設定を、サービングセルの上り送信に用いる設定と併用する。ローカルｅＮＢは、サービングセルの上り送信に用いる設定に基づいて、ＥｎｅｒｇｙＳａｖｉｎｇ動作を行う。ローカルｅＮＢは、ＥｎｅｒｇｙＳａｖｉｎｇ動作中、該サービングセルの上り送信に用いる設定において送信が許可されるリソースの受信が可能となるように間欠受信してもよい。
【０１８５】
これにより、サービングセルは、傘下の移動端末へローカルｅＮＢの上り送信の設定パラメータを通知する必要が無くなる。これにより、無線リソースを有効に活用することができる。また、サービングセルの処理の負荷を軽減することができる。また、移動端末が行う、ウェイクアップ用上り送信のための上り送信の設定パラメータの種類を減らすことが可能となる。これにより、移動端末の処理の負荷を軽減することができ、また移動端末の低消費電力化を図ることができる。
【０１８６】
ローカルｅＮＢが、該サービングセルの上り送信に用いる設定（上り送信の設定パラメータ）を知る方法の具体例として、以下の（Ａ１）および（Ａ２）の２つを開示する。
【０１８７】
（Ａ１）非特許文献１１には、セルフオーガナイズドネットワーク（Self Organized Network：ＳＯＮ）を目的として、ＲＡＣＨ設定（RACH Configuration）をｅＮＢ間にてＸ２インタフェースを用いて通知することが開示されている。一方、上記のとおり、ローカルｅＮＢの一つであるＨｅＮＢにおいては、Ｘ２インタフェースがサポートされない（非特許文献１  ４．６．１.章参照）。よって非特許文献１１に開示の方法では、ＨｅＮＢに対して、ＲＡＣＨ設定を通知することができないという課題が発生する。本実施の形態１の変形例１では、サービングセルは、自セルの上り送信の設定パラメータを、Ｓ１インタフェースを用いて周辺のノードへ通知する。
【０１８８】
（Ａ２）ローカルｅＮＢは、初期化の際、電源ＯＮの際、あるいは送信ＯＦＦの際に、周辺無線環境の測定を行う場合がある。周辺無線環境の具体例としては、周辺セルの測定結果がある。周辺セルの測定の際、報知情報まで受信し、報知情報をデコードし、報知情報に含まれる周辺セルの上り送信に用いる設定（上り送信の設定パラメータ）を知り、該周辺セルの上り送信に用いる設定を記憶する。該測定、報知情報の受信、周辺セルの上り送信に用いる設定の記憶は、すべてのローカルｅＮＢではなく、ＥｎｅｒｇｙＳａｖｉｎｇ動作を実行可能な能力を有するローカルｅＮＢが行うようにしてもよい。
【０１８９】
ローカルｅＮＢが、サービングセルの上記上り送信に用いる設定（上り送信の設定パラメータ）を知る方法の上記（Ａ１）の具体例を用いた場合に、サービングセルが、自セルの上り送信の設定パラメータを通知する周辺のノードを決定する方法の具体例として、以下の（Ｂ１）および（Ｂ２）の２つを開示する。自セルの上り送信の設定パラメータを通知するノードは、１つであっても複数であってもよい。上記方法で、自セルの上り送信の設定パラメータを通知するノードを選択することにより、周辺のノードを選択することが可能となる。これにより、無駄なノードにまで自セルの上り送信の設定パラメータを通知する必要がなくなり、サービングセルの処理の負荷を軽減することができる。
【０１９０】
（Ｂ１）サービングセルの周辺無線環境の測定結果に基づいて、自セルの上り送信の設定パラメータを通知する周辺のノードを決定する。周辺無線環境の具体例としては、周辺セルの測定結果がある。周辺セルの測定結果の具体例としては、受信品質、受信電力、パスロスなどがある。サービングセルは、周辺無線環境の測定結果において、あるノードの受信品質、あるいは受信電力がある閾値以上（あるいは閾値より大きい）であれば、自セルの上り送信の設定パラメータを通知するノードとして、該ノードを選択する。または、サービングセルは、周辺無線環境の測定結果において、あるノードのパスロスがある閾値未満（あるいは以下）であれば、自セルの上り送信の設定パラメータを通知するノードとして、該ノードを選択する。
【０１９１】
（Ｂ２）サービングセルの傘下の移動端末の測定結果の報告に基づいて、自セルの上り送信の設定パラメータを通知する周辺のノードを決定する。具体例としては、あるノードの受信品質、あるいは受信電力がある閾値以上（あるいは閾値より大きい）であれば、自セルの上り送信の設定パラメータを通知するノードとして、該ノードを選択する。または、サービングセルは、周辺無線環境の測定結果において、あるノードのパスロスがある閾値未満（あるいは以下）であれば、自セルの上り送信の設定パラメータを通知するノードとして、該ノードを選択する。
【０１９２】
ローカルｅＮＢが、上記上り送信に用いる設定（上り送信の設定パラメータ）を知る方法の上記（Ａ２）の具体例を用いた場合に、ローカルｅＮＢが報知情報の受信、報知情報のデコード、上り送信に用いる設定（上り送信の設定パラメータ）の記憶を行う周辺セルを決定する方法の具体例として、以下の（Ｃ）を開示する。
【０１９３】
（Ｃ）ローカルｅＮＢの周辺無線環境の測定結果に基づいて、決定する。周辺無線環境の具体例としては、周辺セルの測定結果がある。周辺セルの測定結果の具体例としては、受信品質、受信電力、パスロスなどがある。
【０１９４】
ローカルｅＮＢは、周辺無線環境の測定結果において、あるノードの受信品質、あるいは受信電力がある閾値以上（あるいは閾値より大きい）であれば、報知情報の受信、報知情報のデコード、上り送信に用いる設定（上り送信の設定パラメータ）の記憶を行う周辺セルとして、該セルを選択する。または、ローカルｅＮＢは、周辺無線環境の測定結果において、あるノードのパスロスがある閾値未満（あるいは以下）であれば、報知情報の受信、報知情報のデコード、上り送信に用いる設定（上り送信の設定パラメータ）の記憶を行う周辺セルとして、該セルを選択する。
【０１９５】
報知情報の受信、報知情報のデコード、上り送信に用いる設定の記憶を行う周辺セルは、１つであっても複数であってもよい。上記方法で、報知情報の受信、報知情報のデコード、上り送信に用いる設定の記憶を行う周辺セルを選択することにより、周辺のセルを選択することが可能となる。これにより、無駄な周辺セルの報知情報の受信、報知情報のデコード、上り送信に用いる設定の記憶をする必要がなくなり、ローカルｅＮＢの処理の負荷を軽減することができる。
【０１９６】
上り送信の設定パラメータの具体例を、以下に２つ開示する。
【０１９７】
（１）上り送信が許可されているリソース。リソースの具体例としては、時間的リソースと周波数的リソース、あるいは時間的リソースなどがある。ＬＴＥ、ＬＴＥ−Ａにおいては、ＲＡＣＨ設定。さらに具体例としては、「RACH-ConfigCommon」、「PRACH-config」などがある（非特許文献１２参照）。
【０１９８】
（２）上り周波数情報。サービングセルと傘下の移動端末との間で用いられている上り周波数情報。上り周波数情報の具体例としては、キャリア周波数、周波数バンド、コンポーネントキャリアなどがある。ＬＴＥ、ＬＴＥ−Ａにおいては「freqInfo」、「ul-CarrierFreq」、「ul-Bandwidth」などがある（非特許文献１２参照）。
【０１９９】
本実施の形態１の変形例１におけるＡＦＣの実行方法の具体例を以下に３つ開示する。
【０２００】
（１）移動端末は、サービングセルの下り送信（下りリンク）を受信し、該下り送信の周波数でＡＦＣを実行する。移動端末は、移動端末の上りリンクの周波数を、サービングセルと傘下の移動端末との間で用いられている上り周波数情報に設定する。移動端末は、該上りリンクの周波数を用いて、ＥｎｅｒｇｙＳａｖｉｎｇ動作中のローカルｅＮＢをＮｏｒｍａｌ動作へ移行させるために、該ローカルｅＮＢへ上り送信を行う。これによって、移動端末がＡＦＣを実行することが可能となる。
【０２０１】
（２）ＥｎｅｒｇｙＳａｖｉｎｇ動作中のローカルｅＮＢは、サービングセルの下り送信（下りリンク）を受信し、該下り送信の周波数でＡＦＣを実行する。ローカルｅＮＢは、ローカルｅＮＢの移動端末からの上りリンクを受信するための周波数を、サービングセルと傘下の移動端末との間で用いられている上り周波数情報に設定する。ローカルｅＮＢは、該周波数を用いて、移動端末からの上り送信を受信する。ローカルｅＮＢは、上記ＡＦＣ動作を、移動端末からの上り送信を受信する前に行ってもよい。移動端末からの上り送信の具体例としては、ＥｎｅｒｇｙＳａｖｉｎｇ動作中のローカルｅＮＢをＮｏｒｍａｌ動作へ移行させるための上り送信がある。
【０２０２】
（３）上記（１）および（２）を組み合わせて用いる。この場合、移動端末の周波数と、ローカルｅＮＢの周波数が、（１）あるいは（２）を単独で用いる場合と比較して、より精度良く一致する。よって、移動端末からローカルｅＮＢへの上りリンクの通信品質が向上するという効果を得ることができる。
【０２０３】
次に、移動端末がウェイクアップ用上り送信を行う状況の具体例について、以下に４つ開示する。
【０２０４】
（１）サービングセルの受信品質が下がった場合、あるいはサービングセルとなり得るセルが存在しない場合。例えば、サービングセルのセルエッジに、ＥｎｅｒｇｙＳａｖｉｎｇ動作中のローカルｅＮＢが存在した場合、移動端末からのウェイクアップ上り送信により、該ローカルｅＮＢがＮｏｒｍａｌ動作に移行する。これによって、サービングセルから該ローカルｅＮＢへハンドオーバ、あるいは該ローカルｅＮＢをセルリセレクトすることで、該移動端末が移動体通信システムのサービスを継続的に受けることができる。
【０２０５】
（２）従来の技術のＲＡＣＨ送信の条件が満たされた場合。具体例としては、ＴＡＵ送信、移動端末側からのサービスリクエストが発生した場合（発呼と称される場合もある）。サービングセルの傘下の移動端末からサービングセルへの通常の上り送信をローカルｅＮＢが受信する。該上り送信を受信したローカルｅＮＢは、自セルに近い移動端末が存在すると判断し、ＥｎｅｒｇｙＳａｖｉｎｇ動作からＮｏｒｍａｌ動作へ移行する。上り送信の具体例としては、ＰＲＡＣＨなどがある。該判断の具体例としては、ローカルｅＮＢは移動端末からの上り送信の受信品質、あるいは受信電力がある閾値以上（あるいは閾値より大きい）であれば、自セルに近い移動端末が存在すると判断する。または、ローカルｅＮＢは移動端末からの上り送信のパスロスがある閾値以下（あるいは未満）であれば、自セルに近い移動端末が存在すると判断する。
【０２０６】
（３）周期的。
【０２０７】
（４）ユーザが操作をした場合。
【０２０８】
実施の形態１の変形例１を用いた具体的な動作例を、図１６および図１７を用いて説明する。実施の形態１の変形例１の解決策を説明するロケーション図である図１６は、上記のとおりであるので、説明を省略する。図１７は、実施の形態１の変形例１の解決策を用いた場合の移動体通信システムのシーケンス例を説明する図である。図１７において、図１５に対応する部分については同一のステップ番号を付して、処理の詳細な説明を省略する。
【０２０９】
本動作例では、ローカルｅＮＢが、サービングセルの上り送信に用いる設定（上り送信の設定パラメータ）を知る方法の上記具体例（Ａ２）を用いた場合について開示する。また、ローカルｅＮＢについては、ローカルｅＮＢ１３０３を例として説明するが、ローカルｅＮＢ１６０１、ローカルｅＮＢ１６０３、ローカルｅＮＢ１６０５、ローカルｅＮＢ１６０７においても同様の動作が行われる。
【０２１０】
ステップＳＴ１７０１において、ローカルｅＮＢ１３０３は、周辺セルの測定を行う。ステップＳＴ１７０２において、ローカルｅＮＢ１３０３は、上り送信の設定パラメータの記憶を行う周辺セルを決定する。決定する具体的な方法例は、上記のとおりである。図１６に示すロケーションにおいて、ローカルｅＮＢ１３０３は、上り送信の設定パラメータの記憶を行う周辺セルとして、マクロセル１３０１を選択する。
【０２１１】
ステップＳＴ１７０３において、ローカルｅＮＢ１３０３は、ステップＳＴ１７０２で決定した周辺セルの上り送信の設定パラメータを記憶する。図１６に示すロケーションにおいて、ローカルｅＮＢ１３０３は、マクロセル１３０１の上り送信の設定パラメータを記憶する。次いで、ローカルｅＮＢ１３０３は、ステップＳＴ１５０３およびステップＳＴ１５０４の処理を行う。
【０２１２】
ステップＳＴ１７０４において、ローカルｅＮＢ１３０３は、間欠受信を開始する。具体例としては、ステップＳＴ１７０３で記憶したマクロセル１３０１の上り送信の設定パラメータ（具体例としてはＲＡＣＨ設定）にて上り送信を受信するための、間欠受信を開始する。次いで、マクロセル１３０１は、ステップＳＴ１５０６の処理を行い、移動端末１４０１は、ステップ１５０８の処理を行う。
【０２１３】
ステップＳＴ１７０５において、移動端末１４０１は、ＲＡＣＨ送信を行う。該ＲＡＣＨ送信では、ステップＳＴ１７０３で記憶した、マクロセル１３０１の上り送信の設定パラメータを用いて、該ＲＡＣＨを送信する。またステップＳＴ１７０３で記憶した、マクロセル１３０１と傘下の移動端末との間で用いられている上り周波数を用いて、該ＲＡＣＨを送信してもよい。次に、ローカルｅＮＢ１３０３は、ステップＳＴ１５１０およびステップＳＴ１５１１の処理を行う。
【０２１４】
本変形例では、サービングセルがマクロセルである場合を説明したが、サービングセルがローカルｅＮＢであっても、実施の形態１の変形例１と同様に実施可能であり、実施の形態１の変形例１と同様の効果を得ることができる。
【０２１５】
また本変形例では、ＥｎｅｒｇｙＳａｖｉｎｇ動作を行うノードがローカルｅＮＢである場合を説明したが、ＥｎｅｒｇｙＳａｖｉｎｇ動作を行うノードがワイドエリアｅＮＢであっても、実施の形態１の変形例１と同様に実施可能であり、実施の形態１の変形例１と同様の効果を得ることができる。
【０２１６】
実施の形態１の変形例１により、実施の形態１の効果に加えて、以下の効果を得ることができる。
【０２１７】
マクロセルの周辺に、ローカルｅＮＢが多数存在した場合であっても、マクロセルから傘下の移動端末へ、ローカルｅＮＢの上り送信の設定パラメータを通知する必要が無くなる。これにより、無線リソースを有効に活用することができる。また、サービングセルの処理の負荷を軽減することができる。
【０２１８】
また、ローカルｅＮＢのＥｎｅｒｇｙＳａｖｉｎｇ動作として、送信動作がＯＦＦされていることから、移動端末が、いずれのローカルｅＮＢの圏内に自移動端末が位置するかを判断することができない場合であっても、ウェイクアップ用上り送信のための上り送信の設定パラメータの種類を減らすことが可能となる。これにより、移動端末の処理の負荷を軽減することができ、また移動端末の低消費電力化を図ることができる。
【０２１９】
実施の形態１  変形例２．
実施の形態１の変形例２において解決する課題について説明する。実施の形態１、および実施の形態１の変形例１の解決策を実行した場合であっても、基地局、例えばマクロセルが密集して配置されている場合には、以下の課題が発生する。
【０２２０】
マクロセルからローカルｅＮＢへ通知される、マクロセルの上り送信の設定パラメータが多くなることが考えられる。あるいは、ローカルｅＮＢで選択される、上り送信の設定パラメータの記憶を行う周辺セルが多くなることが考えられる。
【０２２１】
該ローカルｅＮＢは、ウェイクアップ用上り送信を行う移動端末が、どのマクロセルの上り送信の設定パラメータを用いてウェイクアップ用上り送信を行うか知るすべがない。よって、該ローカルｅＮＢは、通知された複数のマクロセルの上り送信の設定パラメータを用いて、あるいは記憶した複数のマクロセルの上り送信の設定パラメータを用いて、ＥｎｅｒｇｙＳａｖｉｎｇ動作を行う必要が生じる。よって、ローカルｅＮＢのＥｎｅｒｇｙＳａｖｉｎｇ動作が非効率となり、低消費電力化が非効率となる課題が発生する。
【０２２２】
上記課題は、上り送信の設定パラメータのうち、上り送信が許可されている時間的リソース、あるいは上り送信が許可されている時間的リソースの周期などが異なる場合に、特に顕著となる。なぜならば、該複数のマクロセルの上り送信の設定パラメータを用いたウェイクアップ用上り送信を受信するために、ＥｎｅｒｇｙＳａｖｉｎｇ動作中のローカルｅＮＢは、該時間において受信動作をＯＮする必要があるからである。
【０２２３】
実施の形態１の変形例２の課題を、図１７および図１８を用いて再度説明する。図１８は、実施の形態１の変形例２の課題を説明するロケーション図である。マクロセル１８０１は、カバレッジ１８０２を持つ。マクロセル１８０３は、カバレッジ１８０４を持つ。マクロセル１８０５は、カバレッジ１８０６を持つ。ローカルｅＮＢ１８０７は、カバレッジ１８０８を持つ。ローカルｅＮＢ１８０７は、マクロセル１８０１、マクロセル１８０３、マクロセル１８０５のセルエッジ付近に設置されている。マクロセル１８０３のカバレッジ１８０４内には、移動端末１８０９が存在する。
【０２２４】
図１８に示すようなロケーションで実施の形態１の変形例１を実行した場合の移動体通信システムのシーケンス例を、図１７を用いて説明する。ステップＳＴ１７０２において、ローカルｅＮＢ１８０７にて、上り送信の設定パラメータの記憶を行う周辺セルとして、マクロセル１８０１のみならず、マクロセル１８０３、マクロセル１８０５が選択される。
【０２２５】
ステップＳＴ１７０４において、ローカルｅＮＢ１８０７は、間欠受信を開始する。具体例としては、ステップＳＴ１７０３で記憶したマクロセル１８０１、マクロセル１８０３、マクロセル１８０５の上り送信の設定パラメータ（具体例としてはＲＡＣＨ設定）にて上り送信を受信するための、間欠受信を開始する。
【０２２６】
このように複数のマクロセルの上り送信の設定パラメータを用いて、ＥｎｅｒｇｙＳａｖｉｎｇ動作を行う必要が生じる。よって、ローカルｅＮＢのＥｎｅｒｇｙＳａｖｉｎｇ動作が非効率となり、低消費電力化が非効率となる課題が発生する。このとき、マクロセル１８０１、マクロセル１８０３、マクロセル１８０５の上り送信の設定パラメータにて上り送信が許可されている時間的リソース、あるいは上り送信が許可されている時間的リソースの周期などが異なる場合に、特に顕著に課題が発生する。該異なる時間において、ローカルｅＮＢ１８０７は受信動作をＯＮする必要が生じるからである。
【０２２７】
実施の形態１の変形例２での解決策を以下に示す。実施の形態１の解決策と異なる部分を中心に説明する。説明していない部分については、実施の形態１と同様とする。
【０２２８】
ウェイクアップ用上り送信の設定を別途設ける。別途設ける具体的な方法例を以下に２つ開示する。
【０２２９】
（１）現在規格にて決定されている既存の上り送信に用いる設定パラメータの中から、特定の設定パラメータを選択する。該設定を移動端末がウェイクアップ用上り送信を行う場合の上り送信に用いる設定とする。
【０２３０】
（２）移動端末がウェイクアップ用上り送信を行う場合の上り送信に用いる設定（上り送信の設定パラメータ）を新設する。以降、該設定を、ローカルｅＮＢウェイクアップ用上り送信の設定と称することもある。以降、ローカルｅＮＢウェイクアップ用上り送信の設定に基づいて送信される信号を、ローカルｅＮＢウェイクアップ用上り送信、あるいはローカルｅＮＢウェイクアップ用ＲＡＣＨと称することもある。該ローカルｅＮＢウェイクアップ用上り送信の設定は、１種類であってもよいし、複数あってもよい。具体例としては、新たなプリアンブルシーケンスを設けてもよい。具体例としては、新たな周波数−時間軸の物理リソースを設けてもよい。該新たな周波数−時間軸の物理リソースを、「PRACH Configration Index」に加えてもよい。ローカルｅＮＢウェイクアップ用上り送信の具体的な信号例としては、ＰＮ符号などが考えられる。
【０２３１】
このようにローカルｅＮＢウェイクアップ用上り送信の設定を別途設けることによって、基地局、例えばマクロセルが密集して配置されている場合であっても、ウェイクアップ用上り送信を行う移動端末が用いる上り送信の設定パラメータの種類が増加することが無くなる。よって、多くのマクロセルの上り送信の設定パラメータを用いて、ＥｎｅｒｇｙＳａｖｉｎｇ動作を行う必要が無くなる。これによって、効率的なＥｎｅｒｇｙＳａｖｉｎｇ動作が実現可能となり、効率的な消費電力の低減を行うことができる。
【０２３２】
移動端末が、該ローカルｅＮＢウェイクアップ用上り送信の設定（上り送信の設定パラメータ）を知る方法の具体例について、以下に２つ開示する。
【０２３３】
（１）静的（Static）に決定する。具体例としては、規格上決定する。
【０２３４】
（２）各基地局は、傘下の移動端末に対して、現在用いられているローカルｅＮＢウェイクアップ用上り送信の設定（上り送信の設定パラメータ）を通知する。通知の方法の具体例は、以下の２つである。（１）報知情報を用いて通知する。（２）個別信号を用いて通知する。
【０２３５】
実施の形態１の変形例２を用いた具体的な動作例を、図１８および図１９を用いて説明する。まず、実施の形態１の変形例２の解決策を説明するロケーション図である図１８は、上記のとおりであるので、説明を省略する。図１９は、実施の形態１の変形例２の解決策を用いた場合の移動体通信システムのシーケンス例を説明する図である。図１９において、図１５に対応する部分については同一のステップ番号を付して、処理の詳細な説明を省略する。
【０２３６】
本動作例では、移動端末が、ローカルｅＮＢウェイクアップ用上り送信の設定（上り送信の設定パラメータ）を知る方法の上記具体例（１）を用いた場合について開示する。
【０２３７】
ローカルｅＮＢ１８０７は、ステップＳＴ１５０３およびステップＳＴ１５０４の処理を行う。次にステップＳＴ１９０１において、ローカルｅＮＢ１８０７は、間欠受信を開始する。具体例としては、静的に決定されたローカルｅＮＢウェイクアップ用上り送信の設定（上り送信の設定パラメータ）にて上り送信を受信するための、間欠受信を開始する。次に、サービングセルであるマクロセル１８０３は、ステップＳＴ１５０６の処理を行い、移動端末１８０９は、ステップ１５０８の処理を行う。
【０２３８】
ステップＳＴ１９０２において、移動端末１８０９は、ローカルｅＮＢ１８０７に対して、ＲＡＣＨ送信を行う。該ＲＡＣＨ送信では、静的に決定されたローカルｅＮＢウェイクアップ用上り送信の設定（上り送信の設定パラメータ）を用いて、該ＲＡＣＨを送信する。次に、ローカルｅＮＢ１８０７は、ステップＳＴ１５１０およびステップＳＴ１５１１の処理を行う。
【０２３９】
本変形例では、サービングセルがマクロセルである場合を説明したが、サービングセルがローカルｅＮＢであっても、実施の形態１の変形例２と同様に実施可能であり、実施の形態１の変形例２と同様の効果を得ることができる。
【０２４０】
また本変形例では、ＥｎｅｒｇｙＳａｖｉｎｇ動作を行うノードがローカルｅＮＢである場合を説明したが、ＥｎｅｒｇｙＳａｖｉｎｇ動作を行うノードがワイドエリアｅＮＢであっても、実施の形態１の変形例２と同様に実施可能であり、実施の形態１の変形例２と同様の効果を得ることができる。
【０２４１】
実施の形態１の変形例２により、実施の形態１および実施の形態１の変形例１の効果に加えて、以下の効果を得ることができる。
【０２４２】
基地局、例えばマクロセルが密集して配置されている場合であっても、ウェイクアップ用上り送信を行う移動端末が用いる上り送信の設定パラメータの種類が増加することが無くなる。
【０２４３】
また、ウェイクアップ用上り送信を行う移動端末が、どのマクロセル圏内に位置するかを、ローカルｅＮＢが知るすべがなくとも、多くのマクロセルの上り送信の設定パラメータを用いて、ＥｎｅｒｇｙＳａｖｉｎｇ動作を行う必要が無くなる。これによって、効率的なＥｎｅｒｇｙＳａｖｉｎｇ動作が実現可能となり、効率的な消費電力の低減を行うことができる。
【０２４４】
実施の形態１  変形例３．
実施の形態１の変形例３において解決する課題について説明する。実施の形態１の解決策を実行した場合であっても、周辺にＥｎｅｒｇｙＳａｖｉｎｇ動作を行っているローカルｅＮＢが存在しない場合には、以下課題が発生する。
【０２４５】
実施の形態１において開示した、移動端末がウェイクアップ用上り送信を行う状況を満たせば、周辺にＥｎｅｒｇｙＳａｖｉｎｇ動作中のローカルｅＮＢが存在しないにも関わらず、該移動端末はウェイクアップ用上り送信を行う。これにより、以下の２つの課題が発生する。
【０２４６】
（１）移動端末から、該上り送信により、ＥｎｅｒｇｙＳａｖｉｎｇ動作からＮｏｒｍａｌ動作へ移行するローカルｅＮＢが存在しない無用な上り送信が行われる。これにより、無線リソースの無駄が発生し、無用な上り干渉が発生するという課題が生じる。
【０２４７】
（２）移動端末は、ＥｎｅｒｇｙＳａｖｉｎｇ動作からＮｏｒｍａｌ動作へ移行するローカルｅＮＢが存在しない、無用な上り送信を行う必要が生じる。これにより、移動端末の処理負荷が高くなり、消費電力の無駄が発生するという課題が生じる。
【０２４８】
実施の形態１の変形例３での解決策を以下に示す。実施の形態１の解決策と異なる部分を中心に説明する。説明していない部分については、実施の形態１と同様とする。
【０２４９】
移動端末が、周辺にローカルｅＮＢが存在すると判断した場合に、ウェイクアップ用上り送信を行う。あるいは、移動端末が、周辺にＥｎｅｒｇｙＳａｖｉｎｇ動作を実行可能な能力を有するローカルｅＮＢが存在すると判断した場合に、ウェイクアップ用上り送信を行う。あるいは、移動端末が、周辺にＥｎｅｒｇｙＳａｖｉｎｇ動作中、すなわち低電力動作状態のローカルｅＮＢが存在すると判断した場合に、ウェイクアップ用上り送信を行う。
【０２５０】
移動端末が、周辺にローカルｅＮＢが存在するか否かを判断する方法の具体例としては、サービングセルから傘下の移動端末に対して、周辺にローカルｅＮＢが存在するか否かに関する情報を通知する方法が挙げられる。
【０２５１】
周辺にローカルｅＮＢが存在するか否かに関する情報の具体例としては、（１）ローカルｅＮＢが存在するか否かの情報、（２）ローカルｅＮＢが存在する情報、（３）ローカルｅＮＢが存在しない情報、がある。これら（１）〜（３）のいずれかの情報を受信した移動端末は、ローカルｅＮＢがＥｎｅｒｇｙＳａｖｉｎｇ動作中であるか否かを判断することはできないが、周辺にローカルｅＮＢが存在しない場合に行う、移動端末からの無用なウェイクアップ用上り送信を削減することが可能となる。
【０２５２】
移動端末が、周辺にＥｎｅｒｇｙＳａｖｉｎｇ動作を実行可能な能力を有するローカルｅＮＢが存在するか否かを判断する方法の具体例としては、サービングセルから傘下の移動端末に対して、周辺にＥｎｅｒｇｙＳａｖｉｎｇ動作を実行可能な能力を有するローカルｅＮＢが存在するか否かに関する情報を通知する方法が挙げられる。
【０２５３】
周辺にＥｎｅｒｇｙＳａｖｉｎｇ動作を実行可能な能力を有するローカルｅＮＢが存在するか否かに関する情報の具体例としては、（１）ＥｎｅｒｇｙＳａｖｉｎｇ動作を実行可能な能力を有するローカルｅＮＢが存在するか否かの情報、（２）ＥｎｅｒｇｙＳａｖｉｎｇ動作を実行可能な能力を有するローカルｅＮＢが存在する情報、（３）ＥｎｅｒｇｙＳａｖｉｎｇ動作を実行可能な能力を有するローカルｅＮＢが存在しない情報、がある。これら（１）〜（３）のいずれかの情報を受信した移動端末は、ローカルｅＮＢがＥｎｅｒｇｙＳａｖｉｎｇ動作中であるか否かを判断することはできないが、周辺にＥｎｅｒｇｙＳａｖｉｎｇ動作を実行可能な能力を有するローカルｅＮＢが存在しない場合に行う、移動端末からの無用なウェイクアップ用上り送信を削減することが可能となる。
【０２５４】
移動端末が、周辺にＥｎｅｒｇｙＳａｖｉｎｇ動作中のローカルｅＮＢが存在するか否かを判断する方法の具体例としては、サービングセルから傘下の移動端末に対して、周辺にＥｎｅｒｇｙＳａｖｉｎｇ動作中のローカルｅＮＢが存在するか否かに関する情報を通知する方法が挙げられる。
【０２５５】
周辺にＥｎｅｒｇｙＳａｖｉｎｇ動作中のローカルｅＮＢが存在するか否かに関する情報の具体例としては、（１）ＥｎｅｒｇｙＳａｖｉｎｇ動作中のローカルｅＮＢが存在するか否かの情報、（２）ＥｎｅｒｇｙＳａｖｉｎｇ動作中のローカルｅＮＢが存在する情報、（３）ＥｎｅｒｇｙＳａｖｉｎｇ動作中のローカルｅＮＢが存在しない情報、がある。これら（１）〜（３）のいずれかの情報を受信した移動端末は、周辺にＥｎｅｒｇｙＳａｖｉｎｇ動作中のローカルｅＮＢが存在しない場合に行う、移動端末からの無用なウェイクアップ用上り送信を削減することが可能となる。
【０２５６】
サービングセルから傘下の移動端末に対して、周辺にローカルｅＮＢが存在するか否かに関する情報、周辺にＥｎｅｒｇｙＳａｖｉｎｇ動作を実行可能な能力を有するローカルｅＮＢが存在するか否かに関する情報、または周辺にＥｎｅｒｇｙＳａｖｉｎｇ動作中のローカルｅＮＢが存在するか否かに関する情報を通知する方法の具体例を、以下に２つ開示する。（１）報知情報を用いて通知する。（２）個別信号を用いて通知する。
【０２５７】
また、実施の形態１を適用する場合、前述の図１５に示すステップＳＴ１５０７の「傘下の移動端末に対して、ステップＳＴ１５０２で受信したローカルｅＮＢ１３０３のＲＡＣＨ設定を通知」によって、「周辺にＥｎｅｒｇｙＳａｖｉｎｇ動作中のローカルｅＮＢが存在するか否かに関する情報」を合わせて通知することが可能となる。該ステップＳＴ１５０７の「傘下の移動端末に対して、ステップＳＴ１５０２で受信したローカルｅＮＢ１３０３のＲＡＣＨ設定を通知」によって、上記（２）のＥｎｅｒｇｙＳａｖｉｎｇ動作中のローカルｅＮＢが存在する情報を合わせて通知することが可能となる。
【０２５８】
サービングセルが、周辺にローカルｅＮＢが存在するか否かを知る方法の具体例について、以下に開示する。ローカルｅＮＢは、設置されたことを周辺セルへ通知する。該通知には、Ｓ１インタフェースまたはＸ２インタフェースまたはバックホールリンクを用いることができる。ローカルｅＮＢが、設置されたことを通知する周辺セルを決定する方法の具体例は、実施の形態１の変形例１の「ローカルｅＮＢが報知情報の受信、報知情報のデコード、上り送信に用いる設定（上り送信の設定パラメータ）の記憶を行う周辺セルを決定する方法」と同様であるので、説明を省略する。
【０２５９】
サービングセルが、周辺にＥｎｅｒｇｙＳａｖｉｎｇ動作を実行可能な能力を有するローカルｅＮＢが存在するか否かを知る方法の具体例について、以下に開示する。ローカルｅＮＢは設置された場合、ＥｎｅｒｇｙＳａｖｉｎｇ動作を実行可能な能力を有するか否かに関する情報を周辺セルへ通知する。
【０２６０】
ＥｎｅｒｇｙＳａｖｉｎｇ動作を実行可能な能力を有するか否かに関する情報の具体例としては、（１）ＥｎｅｒｇｙＳａｖｉｎｇ動作を実行可能な能力を有するか否かの情報、（２）ＥｎｅｒｇｙＳａｖｉｎｇ動作を実行可能な能力を有する情報、（３）ＥｎｅｒｇｙＳａｖｉｎｇ動作を実行可能な能力を有しない情報、がある。これら（１）〜（３）のいずれかの情報の通知には、Ｓ１インタフェースまたはＸ２インタフェースまたはバックホールリンクを用いることができる。ローカルｅＮＢは設置された場合、ＥｎｅｒｇｙＳａｖｉｎｇ動作を実行可能な能力を有するか否かに関する情報を通知する周辺セルを決定する方法の具体例は、実施の形態１の変形例１の「ローカルｅＮＢが報知情報の受信、報知情報のデコード、上り送信に用いる設定（上り送信の設定パラメータ）の記憶を行う周辺セルを決定する方法」と同様であるので、説明を省略する。
【０２６１】
サービングセルが、周辺にＥｎｅｒｇｙＳａｖｉｎｇ動作中のローカルｅＮＢが存在するか否かを知る方法の具体例として、以下の（Ａ）および（Ｂ）の２つを開示する。
【０２６２】
（Ａ）ローカルｅＮＢは、ＥｎｅｒｇｙＳａｖｉｎｇ動作中か否かに関する情報を周辺セルへ通知する。ＥｎｅｒｇｙＳａｖｉｎｇ動作中か否かに関する情報の具体例としては、（１）ＥｎｅｒｇｙＳａｖｉｎｇ動作開始を示す情報、（２）ＥｎｅｒｇｙＳａｖｉｎｇ動作終了を示す情報、（３）ＥｎｅｒｇｙＳａｖｉｎｇ動作中か否かを示す情報、（４）ＥｎｅｒｇｙＳａｖｉｎｇ動作中を示す情報、（５）ＥｎｅｒｇｙＳａｖｉｎｇ動作中ではないことを示す情報がある。
【０２６３】
非特許文献９には、基地局がスイッチオフした場合、そのことを他の基地局に、Ｘ２インタフェースを用いて通知することが開示されている。一方、上記のとおりローカルｅＮＢの一つであるＨｅＮＢにおいては、Ｘ２インタフェースがサポートされない（非特許文献１  ４．６．１.章参照）。よって非特許文献９に開示される方法では、ＨｅＮＢに対して、スイッチオフしたことを通知することができないという課題が発生する。実施の形態１の変形例３では、ＥｎｅｒｇｙＳａｖｉｎｇ動作中か否かに関する情報を、Ｘ２インタフェース、あるいはＳ１インタフェースを用いて周辺のノードへ通知する。
【０２６４】
ローカルｅＮＢが、ＥｎｅｒｇｙＳａｖｉｎｇ動作中か否かに関する情報を通知する周辺セルを決定する方法の具体例は、実施の形態１の変形例１の「ローカルｅＮＢが報知情報の受信、報知情報のデコード、上り送信に用いる設定（上り送信の設定パラメータ）の記憶を行う周辺セルを決定する方法」と同様であるので、説明を省略する。
【０２６５】
また、実施の形態１を適用する場合、前述の図１５に示すステップＳＴ１５０３において、ローカルｅＮＢ１３０３が、通常の動作から消費電力低減動作（ＥｎｅｒｇｙＳａｖｉｎｇ動作）への移行のトリガの有無を判断し、以降トリガが有ると判断した後に、ステップＳＴ１５０２の処理を実行して、マクロセル１３０１へ、ローカルｅＮＢ１３０３の上り送信の設定パラメータを通知した場合を考える。つまり、ステップＳＴ１５０３において「ＹＥＳ」と判断した後、あるいはステップＳＴ１５０４の後、あるいはステップＳＴ１５０５の後に、ステップＳＴ１５０２を行った場合を考える。
【０２６６】
この場合、該ステップＳＴ１５０２の「マクロセル１３０１へ、ローカルｅＮＢ１３０３の上り送信の設定パラメータを通知」によって、「ＥｎｅｒｇｙＳａｖｉｎｇ動作中か否かに関する情報」を合わせて通知することが可能となる。該ステップＳＴ１５０２の「マクロセル１３０１へ、ローカルｅＮＢ１３０３の上り送信の設定パラメータを通知」によって、上記（１）のＥｎｅｒｇｙＳａｖｉｎｇ動作開始を示す情報、あるいは上記（４）のＥｎｅｒｇｙＳａｖｉｎｇ動作中を示す情報を合わせて通知することが可能となる。
【０２６７】
（Ｂ）サービングセルからＥｎｅｒｇｙＳａｖｉｎｇ動作中のローカルｅＮＢに対する呼び出し信号（Paging信号）を新たに設ける。サービングセルは、ＥｎｅｒｇｙＳａｖｉｎｇ動作中のローカルｅＮＢの、該呼出信号に対しての応答信号（Ａｃｋ信号）を受信することで、周辺にＥｎｅｒｇｙＳａｖｉｎｇ動作中のローカルｅＮＢが存在することを知る。
【０２６８】
サービングセルからＥｎｅｒｇｙＳａｖｉｎｇ動作中のローカルｅＮＢに対する呼出信号の具体例について、以下に開示する。サービングセルからＥｎｅｒｇｙＳａｖｉｎｇ動作中のローカルｅＮＢに対する呼出信号が用いるキャリアについて開示する。呼出信号は、サービングセルと傘下の移動端末との間で用いられている下りキャリアと同じキャリアを、あるいはサービングセルと傘下の移動端末との間で用いられているＣＣ（コンポーネントキャリア）と同じＣＣを用いる。
【０２６９】
ローカルｅＮＢが傘下の移動端末への下り送信に、サービングセルと同じ下りキャリア、あるいは同じＣＣを用いていた場合を考える。その場合、ローカルｅＮＢは、自分の送信信号が干渉源（以降、自己干渉と称することもある）となり、サービングセルからの下り信号を受信することはできない。一方、本発明では、ローカルｅＮＢは、ＥｎｅｒｇｙＳａｖｉｎｇ動作において、送信動作をＯＦＦすることを開示している。よって、上記自己干渉を生じさせることなく、ＥｎｅｒｇｙＳａｖｉｎｇ動作中のローカルｅＮＢに対する呼出信号に、サービングセルと傘下の移動端末との間で用いられている下りキャリアと同じキャリアなどを用いることができる。
【０２７０】
また、ＥｎｅｒｇｙＳａｖｉｎｇ動作中のローカルｅＮＢに対する呼出信号に、傘下の移動端末との間で用いられる通常の下りキャリアと同じキャリアを用いることができることによって、サービングセルの処理負荷の増加を抑えつつ、ＥｎｅｒｇｙＳａｖｉｎｇ動作中のローカルｅＮＢに対する呼出信号を新たに設けることが可能となる。
【０２７１】
サービングセルからＥｎｅｒｇｙＳａｖｉｎｇ動作中のローカルｅＮＢに対する呼出信号をローカルｅＮＢが受信するために用いる識別子（ＲＮＴＩ）の具体例について、以下に２つ開示する。
【０２７２】
（１）移動端末が、サービングセルからの呼出信号を受信するために用いる識別子を用いる。
【０２７３】
（２）サービングセルからＥｎｅｒｇｙＳａｖｉｎｇ動作中のローカルｅＮＢに対する呼出信号をローカルｅＮＢが受信するために用いる識別子を新たに設ける（以降、Ｐ−ＲＮＴＩ＿ローカルｅＮＢと称することもある）。ＬＴＥ、ＬＴＥ−Ａにおいて、移動端末は、ページングチャネル（ＰＣＨ）を受信するために、以下の動作を行う（３ＧＰＰ  ＴＳ  ３６．３２１  Ｖ９．１．０（以下「非特許文献１４」という）５．５章参照）。
【０２７４】
Ｐ-ＲＮＴＩ（Paging-RNTI）用にＰＣＨ割当がＰＤＣＣＨ上で受信された場合、該ＰＤＣＣＨの割当情報に示されているとおり、ＰＤＳＣＨ上にマッピングされるＰＣＨのデコードを試みる。なお、Ｐ-ＲＮＴＩはシステムで１つ、固定とされている（非特許文献１４  ７．１章参照）。よって、サービングセルからＥｎｅｒｇｙＳａｖｉｎｇ動作中のローカルｅＮＢに対する呼出信号をローカルｅＮＢが受信するために用いる識別子と、従来の移動端末がサービングセルからの呼出信号を受信するために用いる識別子（Ｐ-ＲＮＴＩ）とを同じにした場合、ＥｎｅｒｇｙＳａｖｉｎｇ動作中のローカルｅＮＢに対する呼出信号であっても、同じサービングセル傘下の移動端末が、ＰＣＨのデコードを試みる必要が生じる。
【０２７５】
Ｐ-ＲＮＴＩとは別に、Ｐ−ＲＮＴＩ＿ローカルｅＮＢを設けることにより、ＥｎｅｒｇｙＳａｖｉｎｇ動作中のローカルｅＮＢに対する呼出信号に対して、同じサービングセルの傘下の移動端末が、ＰＣＨのデコードを試みることを防ぐことができ、移動端末の処理負荷が増加することを防ぎ、消費電力の増加を防ぐことができる。該Ｐ−ＲＮＴＩ＿ローカルｅＮＢは、システムとして１つとしてもよい。またＰ−ＲＮＴＩ＿ローカルｅＮＢは、システムとして静的に決定するとしてもよい。これにより、ローカルｅＮＢに割当不要という効果を得ることができる。
【０２７６】
サービングセルからＥｎｅｒｇｙＳａｖｉｎｇ動作中のローカルｅＮＢに対する呼出信号の送信タイミングの具体例について、以下に開示する。
【０２７７】
（１）送信タイミングは、時間的に離散している。これにより、ローカルｅＮＢがＥｎｅｒｇｙＳａｖｉｎｇ動作にて該ＥｎｅｒｇｙＳａｖｉｎｇ動作中のローカルｅＮＢに対する呼出信号を受信するため、連続受信を要せず、間欠受信で足りることとなる。ＥｎｅｒｇｙＳａｖｉｎｇ動作における間欠受信動作は、連続受信動作と比較して、低消費電力化に有効である。
【０２７８】
（２）送信が許可されているリソースが時間的に周期を持っている。これにより、ローカルｅＮＢに対する度々の送信が許可されているリソースの通知が不要となる。またサービングセルからＥｎｅｒｇｙＳａｖｉｎｇ動作中のローカルｅＮＢに対する呼出信号の送信タイミングと、ウェイクアップ用上り送信が許可されている時間的リソースとを同じとすることで、更なる低消費電力化が実現できる。またサービングセルからＥｎｅｒｇｙＳａｖｉｎｇ動作中のローカルｅＮＢに対する呼出信号の送信タイミングの周期と、ウェイクアップ用上り送信が許可されている時間的リソースの周期とを同じとすることで、更なる低消費電力化が実現できる。
【０２７９】
また、上記呼出信号に対しての、ＥｎｅｒｇｙＳａｖｉｎｇ動作中のローカルｅＮＢの、該呼出信号に対しての応答信号（Ａｃｋ信号）の送信方法の具体例について、以下に開示する。
【０２８０】
応答信号は、バックホールリンク、Ｓ１インタフェース、Ｘ２インタフェースを用いて通知してもよい。
【０２８１】
応答信号は、サービングセルの傘下の移動端末とサービングセルとの間で用いられている上りキャリアと同じキャリア、あるいはサービングセルの傘下の移動端末とサービングセルとの間で用いられているＣＣと同じＣＣを用いる。これにより、サービングセルは１つのキャリアを用いて受信動作を行えばよく、サービングセルの処理の負荷を軽減することができるという効果を得ることができる。また周波数利用効率を上げるという点からも有効である。実施の形態１の変形例１を用いる場合、移動端末からのウェイクアップ用上り送信で用いる上り周波数情報と、上記応答信号で用いる上り周波数情報とが同じとなる。これにより、ローカルｅＮＢにおける応答信号の送信動作と、ウェイクアップ用上り送信の受信動作とにおいて、同じ周波数を用いることとなる。よってローカルｅＮＢにおいて自己干渉が発生し、受信品質が劣化してウェイクアップ用上り送信の受信失敗が発生する可能性がある。該課題の解決策を以下に開示する。該応答信号の送信動作とウェイクアップ用上り送信の受信動作とのタイミングを異ならせる。これにより、ローカルｅＮＢにおける自己干渉の発生を防止することができる。
【０２８２】
次に、移動端末が周辺にローカルｅＮＢが存在すると判断した場合、あるいは周辺にＥｎｅｒｇｙＳａｖｉｎｇ動作を実行可能な能力を有するローカルｅＮＢが存在すると判断した場合、あるいは周辺にＥｎｅｒｇｙＳａｖｉｎｇ動作中、すなわち低電力動作状態のローカルｅＮＢが存在すると判断した場合に、移動端末がウェイクアップ用上り送信を行う状況の具体例について、以下に５つ開示する。
【０２８３】
（１）サービングセルの受信品質が下がった場合、あるいはサービングセルとなり得るセルが存在しない場合。例えば、サービングセルのセルエッジに、ＥｎｅｒｇｙＳａｖｉｎｇ動作中のローカルｅＮＢが存在した場合、移動端末からのウェイクアップ上り送信により、該ローカルｅＮＢがＮｏｒｍａｌ動作に移行する。これによって、サービングセルから該ローカルｅＮＢへハンドオーバ、あるいは該ローカルｅＮＢをセルリセレクトすることで、該移動端末が移動体通信システムのサービスを継続的に受けることができる。
【０２８４】
（２）従来の技術のＲＡＣＨ送信の条件が満たされた場合。具体例としては、ＴＡＵ送信、移動端末側からのサービスリクエストが発生した場合（発呼と称される場合もある）。
【０２８５】
（３）周期的。
【０２８６】
（４）ユーザが操作をした場合。
【０２８７】
（５）セルセレクションのための周辺セルの測定の際、あるいはセルリセレクションのための周辺セルの測定の際、あるいはハンドオーバのための周辺セルの測定の際に、以下に該当する周辺セルを発見した場合。周辺にローカルｅＮＢが存在する周辺セル、あるいは周辺にＥｎｅｒｇｙＳａｖｉｎｇ動作を実行可能な能力を有するローカルｅＮＢが存在する周辺セル、あるいは周辺にＥｎｅｒｇｙＳａｖｉｎｇ動作中のローカルｅＮＢが存在する周辺セル。この場合、移動端末は周辺セルの測定の際に、周辺セルの報知情報を受信、デコードすることで、周辺にローカルｅＮＢが存在するか否かに関する情報、周辺にＥｎｅｒｇｙＳａｖｉｎｇ動作を実行可能な能力を有するローカルｅＮＢが存在するか否かに関する情報、または周辺にＥｎｅｒｇｙＳａｖｉｎｇ動作中のローカルｅＮＢが存在するか否かに関する情報を取得すればよい。
【０２８８】
実施の形態１の変形例３を用いた具体的な動作例を、図１４および図２０を用いて説明する。まず、実施の形態１の変形例３の解決策を説明するロケーション図である図１４は、上記のとおりであるので、説明を省略する。図２０は、実施の形態１の変形例３の解決策を用いた場合の移動体通信システムのシーケンス例を説明する図である。図２０において、図１５に対応する部分については同一のステップ番号を付して、処理の詳細な説明を省略する。
【０２８９】
本動作例においては、移動端末が、周辺にＥｎｅｒｇｙＳａｖｉｎｇ動作中のローカルｅＮＢが存在すると判断した場合に、ウェイクアップ用上り送信を行う場合を示す。また、サービングセルが、周辺にＥｎｅｒｇｙＳａｖｉｎｇ動作中のローカルｅＮＢが存在するか否かを知る方法は、上記具体例（Ｂ）について示す。
【０２９０】
ローカルｅＮＢ１３０３は、ステップＳＴ１５０１、ステップＳＴ１５０２、ステップＳＴ１５０３およびステップＳＴ１５０４の各処理を行う。次に、ステップＳＴ２００１において、ローカルｅＮＢ１３０３は、間欠受信を開始する。具体例としては、ローカルｅＮＢ１３０３のＲＡＣＨ設定にて上り送信を受信するための、間欠受信を開始する。また併せて、サービングセルからＥｎｅｒｇｙＳａｖｉｎｇ動作中のローカルｅＮＢに対する呼び出し信号を受信するための間欠受信を開始する。つまり、ＥｎｅｒｇｙＳａｖｉｎｇ動作中であっても、両信号の割当てられる送信タイミング、あるいは時間的リソースで受信を行う。
【０２９１】
ステップＳＴ２００２において、サービングセルであるマクロセル１３０１は、ローカルｅＮＢ１３０３へＥｎｅｒｇｙＳａｖｉｎｇ動作中のローカルｅＮＢに対する呼び出し信号を送信する。
【０２９２】
ステップＳＴ２００３において、ローカルｅＮＢ１３０３は、マクロセル１３０１からＥｎｅｒｇｙＳａｖｉｎｇ動作中のローカルｅＮＢに対する呼び出し信号を受信したか否かを判断する。ＥｎｅｒｇｙＳａｖｉｎｇ動作中のローカルｅＮＢに対する呼び出し信号を受信した場合は、ステップＳＴ２００４へ移行する。ＥｎｅｒｇｙＳａｖｉｎｇ動作中のローカルｅＮＢに対する呼び出し信号を受信していない場合は、ステップＳＴ２００３の判断を繰り返す。
【０２９３】
ステップＳＴ２００４において、ローカルｅＮＢ１３０３は、マクロセル１３０１へＥｎｅｒｇｙＳａｖｉｎｇ動作中のローカルｅＮＢに対する呼び出し信号に対する応答信号（Ａｃｋ信号）を送信する。
【０２９４】
ステップＳＴ２００５において、マクロセル１３０１は、ＥｎｅｒｇｙＳａｖｉｎｇ動作中のローカルｅＮＢに対する呼び出し信号に対する応答信号を受信したか否かを判断する。受信した場合は、ステップＳＴ２００６へ移行する。受信しなかった場合は、ステップＳＴ２００７へ移行する。
【０２９５】
ステップＳＴ２００６において、マクロセル１３０１は、周辺にＥｎｅｒｇｙＳａｖｉｎｇ動作中のローカルｅＮＢが存在すると判断する。
【０２９６】
ステップＳＴ２００７において、マクロセル１３０１は、周辺にＥｎｅｒｇｙＳａｖｉｎｇ動作中のローカルｅＮＢが存在しないと判断し、ステップＳＴ２００２へ戻る。
【０２９７】
ステップＳＴ２００８において、マクロセル１３０１は、周辺にＥｎｅｒｇｙＳａｖｉｎｇ動作中のローカルｅＮＢが存在する情報を、移動端末１４０１へ通知する。次に、マクロセル１３０１は、ステップＳＴ１５０６およびステップＳＴ１５０７の処理を行う。
【０２９８】
ステップＳＴ２００９において、移動端末１４０１は、周辺にＥｎｅｒｇｙＳａｖｉｎｇ動作中のローカルｅＮＢが存在するか否かを判断する。存在すると判断した場合は、ステップＳＴ１５０８へ移行する。存在しないと判断した場合は、ステップＳＴ２００９の判断を繰り返す。次に、移動端末１４０１は、ステップＳＴ１５０８およびステップＳＴ１５０９の処理を行い、ローカルｅＮＢ１３０３は、ステップＳＴ１５１０およびステップＳＴ１５１１の処理を行う。
【０２９９】
本動作例においては、移動端末１４０１は、ステップＳＴ２００８において、マクロセル１３０１から、周辺にＥｎｅｒｇｙＳａｖｉｎｇ動作中のローカルｅＮＢが存在する情報を受信した場合は、ステップＳＴ２００９で、周辺にＥｎｅｒｇｙＳａｖｉｎｇ動作中のローカルｅＮＢが存在すると判断する。反対に、ステップＳＴ２００８において、マクロセル１３０１から、周辺にＥｎｅｒｇｙＳａｖｉｎｇ動作中のローカルｅＮＢが存在する情報を受信しない場合は、ステップＳＴ２００９で、周辺にＥｎｅｒｇｙＳａｖｉｎｇ動作中のローカルｅＮＢが存在しないと判断する。
【０３００】
本変形例では、サービングセルがマクロセルである場合を説明したが、サービングセルがローカルｅＮＢであっても、実施の形態１の変形例３と同様に実施可能であり、実施の形態１の変形例３と同様の効果を得ることができる。
【０３０１】
また本変形例では、ＥｎｅｒｇｙＳａｖｉｎｇ動作を行うノードがローカルｅＮＢである場合を説明したが、ＥｎｅｒｇｙＳａｖｉｎｇ動作を行うノードがワイドエリアｅＮＢであっても、実施の形態１の変形例３と同様に実施可能であり、実施の形態１の変形例３と同様の効果を得ることができる。
【０３０２】
本変形例では、実施の形態１と組み合わせた例について主に記載したが、実施の形態１の変形例１、実施の形態１の変形例２とも組み合わせて用いることができる。
【０３０３】
実施の形態１の変形例３により、実施の形態１の効果に加えて、以下の効果を得ることができる。
【０３０４】
移動端末が、周辺にローカルｅＮＢが存在すると判断した場合に、ウェイクアップ用上り送信を行うことができる。あるいは、移動端末が、周辺にＥｎｅｒｇｙＳａｖｉｎｇ動作を実行可能な能力を有するローカルｅＮＢが存在すると判断した場合に、ウェイクアップ用上り送信を行うことができる。あるいは、移動端末が、周辺にＥｎｅｒｇｙＳａｖｉｎｇ動作中のローカルｅＮＢが存在すると判断した場合に、ウェイクアップ用上り送信を行うことができる。
【０３０５】
よって、周辺にローカルｅＮＢが存在する、あるいはＥｎｅｒｇｙＳａｖｉｎｇ動作を実行可能な能力を有するローカルｅＮＢが存在する、あるいは周辺にＥｎｅｒｇｙＳａｖｉｎｇ動作中のローカルｅＮＢが存在する場合にのみ、ウェイクアップ用上り送信を行うことになる。
【０３０６】
これにより、例えば周辺にＥｎｅｒｇｙＳａｖｉｎｇ動作中のローカルｅＮＢが存在しない場合のウェイクアップ用上り送信のような、無用な上り送信を削減することができる。これによって、無線リソースを有効に活用することができ、無用な干渉を除去することが可能となる。また、移動端末の低消費電力化を実現することができる。
【０３０７】
実施の形態１  変形例４．
実施の形態１の変形例４において解決する課題について説明する。実施の形態１の解決策を実行した場合、移動端末からの上り送信電力を決定する際に、以下の課題が発生する。
【０３０８】
ＬＴＥ、ＬＴＥ−Ａにおいて、実施の形態１の解決策を実行し、移動端末からの上り送信にＰＲＡＣＨを用いた場合を考える。
【０３０９】
３ＧＰＰ  ＴＳ  ３６．２１３  Ｖ９．０．１（以下「非特許文献１５」という）には、ＰＲＡＣＨの初期送信電力について、以下の式（１）に示すように規定されている。
【０３１０】
PPRACH=min{Pcmax,PREAMBLE_RECEIVED_TARGET_POWER+PL}  [dBm]            …（１）
式（１）において、「PL」はパスロスを示す。式（１）の「Pcmax」は、以下の式（２）で決定され、式（１）の「PREAMBLE_RECEIVED_TARGET_POWER」は、以下の式（３）に示すように規定される（非特許文献１４  ５．１．３章参照）。
【０３１１】
Pcmax=min{Pemax,Pumax}                        …（２）
式（２）において、「Pemax」は、セル毎に設定され、傘下の移動端末に報知される値であり、「Pumax」は、移動端末の能力（Capability）から決定される。
【０３１２】
PREAMBLE_RECEIVED_TARGET_POWER=preambleInitialReceivedTargetPower
+DELTA_PREAMBLE+(PREAMBLE_TRANSMISSION_COUNTER-1)*powerRampingStep  …（３）
式（３）において、「preambleInitialReceivedTargetPower」は、ＲＡＣＨ設定の一部であり、「DELTA_PREAMBLE」は、プリアンブルフォーマットに基づいて決定される（非特許文献１４  ７.６章参照）。プリアンブルフォーマットは、ＲＡＣＨ設定の一部である。「PREAMBLE_TRANSMISSION_COUNTER」は、何回目のプリアンブル送信かを示す。「powerRampingStep」は、ＲＡＣＨ設定の一部であり、「*」は乗算「×」を示す（非特許文献１２参照）。
【０３１３】
ＬＴＥ、ＬＴＥ−Ａにおいて、実施の形態１の解決策を実行した場合、移動端末で式（１）の「PL」と式（２）の「Pemax」とが不確定となり、移動端末がＰＲＡＣＨの初期送信電力を決定できないという課題が発生する。
【０３１４】
また、３ＧＰＰ  Ｒ１−０９４８３９（以下「非特許文献１６」という）には、以下の事項が開示されている。サービングセルが、自セルの調整情報（coordination Information）を範囲内のＨｅＮＢへ、自セルと接続中（Connected中）の移動端末経由で通知する技術が開示されている。その場合に、該移動端末が該通知に必要な上り送信電力を、該移動端末によるＨｅＮＢの下り受信品質の測定値に基づいて、サービングセルが該移動端末へ通知する、あるいは該移動端末が推測することが開示されている。
【０３１５】
一方、実施の形態１では、ＥｎｅｒｇｙＳａｖｉｎｇ動作中のローカルｅＢＮは、送信動作をＯＦＦしている。つまり、移動端末は、ＥｎｅｒｇｙＳａｖｉｎｇ動作中のローカルｅＮＢの下り受信品質を測定することはできない。
【０３１６】
よって、実施の形態１においては、非特許文献１６に開示される技術を用いて、上り送信電力を決定することはできない。
【０３１７】
実施の形態１の変形例４での解決策を以下に示す。実施の形態１の解決策と異なる部分を中心に説明する。説明していない部分については、実施の形態１と同様とする。
【０３１８】
まず、「Pemax」についての解決策を開示する。ローカルｅＮＢは、自セルの「Pemax」を実施の形態１の上り送信の設定パラメータと同様に、Ｓ１インタフェースを用いて周辺のノードへ通知する。その後、実施の形態１の上り送信の設定パラメータと同様の方法を取ることにより、ＰＲＡＣＨを送信する移動端末は、「Pemax」を知ることができる。移動端末は、該「Pemax」を用いて、ウェイクアップ用上り送信としてのＰＲＡＣＨの初期送信電力を決定する。
【０３１９】
次に、「PL」についての解決策を開示する。移動端末は、サービングセルのパスロスを用いる。これにより、ＰＲＡＣＨを送信する移動端末は、「PL」を確定することができる。移動端末は、該「PL」を用いて、ウェイクアップ用上り送信としてのＰＲＡＣＨの初期送信電力を決定する。
【０３２０】
本変形例では、サービングセルがマクロセルである場合を説明したが、サービングセルがローカルｅＮＢであっても、実施の形態１の変形例４と同様に実施可能であり、実施の形態１の変形例４と同様の効果を得ることができる。
【０３２１】
また本変形例では、ＥｎｅｒｇｙＳａｖｉｎｇ動作を行うノードがローカルｅＮＢである場合を説明したが、ＥｎｅｒｇｙＳａｖｉｎｇ動作を行うノードがワイドエリアｅＮＢであっても、実施の形態１の変形例４と同様に実施可能であり、実施の形態１の変形例４と同様の効果を得ることができる。
【０３２２】
本変形例では、実施の形態１と組み合わせた例について主に記載したが、実施の形態１の変形例１、実施の形態１の変形例２、および実施の形態１の変形例３と組み合わせて用いることができる。
【０３２３】
実施の形態１の変形例４により、実施の形態１の効果に加えて、以下の効果を得ることができる。ＬＴＥ、ＬＴＥ−Ａにおいては、実施の形態１の解決策を実行し、移動端末からの上り送信にＰＲＡＣＨを用いた場合であっても、移動端末がＰＲＡＣＨの初期送信電力を決定することができる。
【０３２４】
実施の形態１  変形例５．
実施の形態１の変形例５において解決する課題について説明する。実施の形態１の変形例４の解決策を実行した場合であっても、以下の課題が発生する。
【０３２５】
実施の形態１の変形例４では、移動端末は、ＰＲＡＣＨの初期送信電力を決定する際、模擬的にサービングセルのパスロスを用いる。よって、移動端末の存在する位置によっては、無用に大きいＰＲＡＣＨの初期送信電力となり、在圏できないローカルｅＮＢのＥｎｅｒｇｙＳａｖｉｎｇ動作を解除してしまう。よって、ローカルｅＮＢの低消費電力化が非効率になるという課題が発生する。また、移動端末の存在する位置によっては、無用に大きいＰＲＡＣＨの初期送信電力となり、無用な上り干渉が発生するという課題が生じる。
【０３２６】
実施の形態１の変形例５の課題を、図２１を用いて再度説明する。図２１は、実施の形態１の変形例５の課題を説明するロケーション図である。図２１において、図１３に対応する部分については同一の参照符を付して、説明を省略する。
【０３２７】
場所Ａに、移動端末２１０１が存在している場合を考える。移動端末２１０１が、ウェイクアップ用上り送信として、ＰＲＡＣＨを送信する場合を考える。移動端末２１０１が、ＰＲＡＣＨの初期送信電力を決定する際、模擬的にサービングセルのパスロスを用いる。場所Ａに位置する移動端末２１０１のサービングセル（マクロセル）１３０１のパスロスは、サービングセル１３０１から移動端末２１０１への下り信号２１０２に基づいて測定される。実施の形態１の変形例４で開示した、ＰＲＡＣＨの初期送信電力を求める式（１）で「PL」は加えられている。サービングセルから遠くに位置する移動端末は、パスロス「PL」も大きくなり、同じ位置から該サービングセルへの上り信号にも同様に大きな送信電力が必要であるという趣旨である。
【０３２８】
場所Ａに位置する移動端末２１０１のサービングセル（マクロセル）１３０１のパスロスがＰＬ＿Ａであったとする。この場合、移動端末２１０１のウェイクアップ用上り送信としてのＰＲＡＣＨ初期送信電力にも、該「ＰＬ＿Ａ」が加えられる。よって概念的に、ウェイクアップ用上り信号パワーは、場所Ａからマクロセル１３０１へ届く上り送信電力と等しい大きさとなるので、ＰＲＡＣＨ２１０３のようになる。よって、場所Ａに位置する移動端末２１０１から送信されるウェイクアップ用上り信号としてのＰＲＡＣＨ２１０３を、ローカルｅＮＢ１３０３が受信可能となる。場所Ａは、ローカルｅＮＢ１３０３のカバレッジ１３０４外である。よって、ローカルｅＮＢ１３０３が、ＥｎｅｒｇｙＳａｖｉｎｇ動作を解除したとしても、移動端末２１０１が、ローカルｅＮＢ１３０３経由で移動体通信システムのサービスを受けることはできない。よって、ローカルｅＮＢで無駄なＥｎｅｒｇｙＳａｖｉｎｇ動作の解除が発生し、低消費電力化が非効率になるという課題が発生する。
【０３２９】
場所Ｂに、移動端末２１０４が存在している場合を考える。移動端末２１０４は、ウェイクアップ用上り送信として、ＰＲＡＣＨを送信する場合を考える。移動端末２１０４が、ＰＲＡＣＨの初期送信電力を決定する際、模擬的にサービングセルのパスロスを用いる。場所Ｂに位置する移動端末２１０４のサービングセル（マクロセル）１３０１のパスロスは、サービングセル１３０１から移動端末２１０４への下り信号２１０５に基づいて測定される。
【０３３０】
場所Ｂに位置する移動端末２１０４のサービングセル（マクロセル）１３０１のパスロスがＰＬ＿Ｂであったとする。この場合、移動端末２１０４のウェイクアップ用上り送信としてのＰＲＡＣＨ初期送信電力にも、該「ＰＬ＿Ｂ」が加えられる。よって概念的に、ウェイクアップ用上り信号パワーは、場所Ｂからマクロセル１３０１へ届く上り送信電力と等しい大きさとなるので、ＰＲＡＣＨ２１０６のようになる。よって、場所Ｂに位置する移動端末２１０４から送信されるウェイクアップ用上り信号としてのＰＲＡＣＨ２１０６を、ローカルｅＮＢ１３０３が受信可能となる。しかし、ローカルｅＮＢ１３０３が受信可能となるためには、ウェイクアップ用上り信号としてのＰＲＡＣＨ２１０７程度の送信電力であれば十分である。よって、無用に大きいＰＲＡＣＨの初期送信電力となり、無用な上り干渉が発生するという課題が発生する。
【０３３１】
実施の形態１の変形例５での解決策を以下に示す。実施の形態１の変形例４の解決策と異なる部分を中心に説明する。説明していない部分については、実施の形態１の変形例４と同様とする。
【０３３２】
ウェイクアップ用上り送信としてのＰＲＡＣＨの初期送信電力を決定する際に用いる「PL」の値を固定値とする。該値の具体例としては、ローカルｅＮＢのセルエッジから、ウェイクアップ用上り送信としてのＰＲＡＣＨを送信した場合にローカルｅＮＢが受信可能となる、必要十分（大き過ぎもせず、小さ過ぎもしない）な値が挙げられる。該値の具体例を以下に２つ開示する。
【０３３３】
（１）静的（Static）に決定する。具体例としては、規格上決定する。
【０３３４】
（２）ローカルｅＮＢ毎とする。各ローカルｅＮＢは、上り送信の設定パラメータとして、サービングセルへ通知する。各基地局は、傘下の移動端末に対して通知する。通知の方法の具体例を以下に２つ開示する。（１）報知情報を用いて通知する。（２）個別信号を用いて通知する。
【０３３５】
図２２は、実施の形態１の変形例５の解決策を用いた場合の概念図である。図２２において、図１３および図２１に対応する部分については同一の参照符を付して、説明を省略する。
【０３３６】
場所Ａに、移動端末２１０１が存在している場合を考える。移動端末２１０１は、ウェイクアップ用上り送信としてＰＲＡＣＨを送信する場合、ＰＲＡＣＨの初期送信電力を決定するために、「PL」として固定値を用いる。該固定値がローカルｅＮＢのセルエッジからウェイクアップ用上り送信としてのＰＲＡＣＨを送信した場合にローカルｅＮＢが受信可能となる、必要十分（大き過ぎもせず、小さ過ぎもしない）な値であった場合を考える。この場合、移動端末２１０１のウェイクアップ用上り送信としてのＰＲＡＣＨ初期送信電力にも該固定値の「PL」が加えられる。よって概念的には図２２のウェイクアップ用上り信号としてのＰＲＡＣＨ２２０１のようになる。よって、場所Ａに位置する移動端末２１０１から送信されるウェイクアップ用上り信号としてのＰＲＡＣＨ２２０１をローカルｅＮＢ１３０３が受信不可能となる。
【０３３７】
場所Ａは、ローカルｅＮＢ１３０３のカバレッジ１３０４外である。よってローカルｅＮＢ１３０３がＥｎｅｒｇｙＳａｖｉｎｇ動作を解除したとしても、移動端末２１０１がローカルｅＮＢ１３０３経由で移動体通信システムのサービスを受けることはできない。本変形例のようにすることによって、このローカルｅＮＢの無駄なＥｎｅｒｇｙＳａｖｉｎｇ動作の解除が起こらないので、低消費電力化が非効率になるという課題を解決することができる。
【０３３８】
場所Ｂに移動端末２１０４が存在している場合を考える。移動端末２１０４は、ウェイクアップ用上り送信としてＰＲＡＣＨを送信する場合、ＰＲＡＣＨの初期送信電力を決定する際、「PL」として固定値を用いる。この場合、移動端末２１０４のウェイクアップ用上り送信としてのＰＲＡＣＨ初期送信電力にも、該固定値「PL」が加えられる。よって概念的には、図２２のウェイクアップ用上り信号としてのＰＲＡＣＨ２２０２のようになる。よって、場所Ｂに位置する移動端末２１０４から送信されるウェイクアップ用上り信号としてのＰＲＡＣＨ２２０２を、ローカルｅＮＢ１３０３が受信可能となる。
【０３３９】
また、ウェイクアップ用上り信号としてのＰＲＡＣＨ２２０２の送信電力は、ローカルｅＮＢ１３０３が受信可能となるために十分である、ウェイクアップ用上り信号としてのＰＲＡＣＨ２１０７の送信電力と大きい差がなくなる。よって、無用に大きいＰＲＡＣＨの初期送信電力となることを防ぎ、無用な上り干渉が発生するという課題を解決することができる。
【０３４０】
本変形例では、サービングセルがマクロセルである場合を説明したが、サービングセルがローカルｅＮＢであっても、実施の形態１の変形例５と同様に実施可能であり、実施の形態１の変形例５と同様の効果を得ることができる。
【０３４１】
また本変形例では、ＥｎｅｒｇｙＳａｖｉｎｇ動作を行うノードがローカルｅＮＢである場合を説明したが、ＥｎｅｒｇｙＳａｖｉｎｇ動作を行うノードがワイドエリアｅＮＢであっても、実施の形態１の変形例５と同様に実施可能であり、実施の形態１の変形例５と同様の効果を得ることができる。
【０３４２】
本変形例では、実施の形態１の変形例４と組み合わせた例について主に記載したが、実施の形態１、実施の形態１の変形例１、実施の形態１の変形例２、および実施の形態１の変形例３と組み合わせて用いることができる。
【０３４３】
実施の形態１の変形例５により、実施の形態１の変形例４の効果に加えて、以下の効果を得ることができる。ウェイクアップ用上り送信としてのＰＲＡＣＨの初期送信電力が必要以上に大きくなることを防ぐことができる。よって、ローカルｅＮＢの無駄なＥｎｅｒｇｙＳａｖｉｎｇ動作の解除を防止し、効率的な低消費電力化を図ることができる。また無用な干渉の発生を抑制することができる。
【０３４４】
実施の形態１  変形例６．
実施の形態１の変形例６において解決する課題について説明する。実施の形態１を用いた場合であっても、以下の課題が発生する。
【０３４５】
非特許文献１５（６．１章）には、ランダムアクセスプロシジャー（Random access procedure）について開示されている。該プロシジャーについて図２３を用いて説明する。図２３は、非特許文献１５に開示されているランダムアクセスプロシジャーを説明する移動体通信システムのシーケンス図である。
【０３４６】
ステップＳＴ２３０１において、移動端末（ＵＥ）は、ランダムアクセスプリアンブル（Random Access Preamble）を、ＰＲＡＣＨを用いて基地局（ｅＮＢ）に送信する。該ＰＲＡＣＨの初期送信電力は、実施の形態１の変形例４などで示したとおりである。
【０３４７】
ステップＳＴ２３０２において、ランダムアクセスプリアンブルを受信した基地局は、ランダムアクセスレスポンス（Random Access Response）を、ＰＤＣＣＨを用いて移動端末に送信する。移動端末は、ランダムアクセスレスポンスが含まれていないかを確認するために、ＲＡ−ＲＮＴＩ（Random Access RNTI）を用いて、ＰＤＣＣＨを受信する必要がある。ＲＡ−ＲＮＴＩとは、移動端末が、ランダムアクセスレスポンスを受信するために用いる識別子である。
【０３４８】
ステップＳＴ２３０３において、ランダムアクセスレスポンスを受信した移動端末は、ランダムアクセスレスポンスにて割当てられたＰＵＳＣＨを用いて、スケジュールドトランスミッション（Scheduled Transmission）を基地局に送信する。
【０３４９】
ステップＳＴ２３０４において、スケジュールドトランスミッションを受信した基地局は、コンテンションレゾリューション（Contention Resolution）を移動端末に送信する。上記のように、移動端末は、基地局でＰＲＡＣＨが受信されたか否かを判断するために、ＲＡ−ＲＮＴＩを用いて、ＰＤＣＣＨを受信する必要がある。
【０３５０】
ＥｎｅｒｇｙＳａｖｉｎｇ動作中のローカルｅＮＢが、該移動端末からのウェイクアップ用上り送信としてのＰＲＡＣＨを受信し、Ｎｏｒｍａｌ動作へ移行して下り送信を開始したとする。しかし、該移動端末がサーチ動作、例えば図１２に示す動作を行い、その結果として該ローカルｅＮＢを発見（Detect）するまでには時間を要する。よって該移動端末が、図２３のステップＳＴ２３０２における該ローカルｅＮＢからのランダムアクセスレスポンスの受信を失敗と判断する可能性が高くなるという課題が発生する。
【０３５１】
また、該移動端末のサービングセルは、該ローカルｅＮＢとは異なるセルである。移動端末は、異なる２つの基地局からのＰＤＣＣＨは受信できない。よって、該ローカルｅＮＢからのランダムアクセスレスポンスがマッピングされるＰＤＣＣＨを受信するために、移動端末は、ハンドオーバあるいはセルリセレクションを実行する必要がある。周辺にＥｎｅｒｇｙＳａｖｉｎｇ中のローカルｅＮＢが存在するという確証もなく、存在したとしても、該ウェイクアップ用上り送信としてのＰＲＡＣＨの受信に成功し、該ローカルｅＮＢがＮｏｒｍａｌ動作へ移行するという確証もない時点で、移動端末は、ハンドオーバあるいはセルリセレクションを実行する必要がある。このように、移動端末の無駄なハンドオーバ処理、あるいは無駄なセルリセレクション処理が発生する。
【０３５２】
実施の形態１の変形例６での解決策を以下に示す。実施の形態１の解決策と異なる部分を中心に説明する。説明していない部分については、実施の形態１と同様とする。
【０３５３】
ウェイクアップ用上り送信としてＰＲＡＣＨを送信した移動端末は、ランダムアクセスレスポンスを受信しなくてもよいものとする。基地局は、ウェイクアップ用上り送信としてのＰＲＡＣＨを受信した場合は、ランダムアクセスレスポンスを、ＰＤＣＣＨを用いて送信しないものとする。
【０３５４】
基地局において上記判断を可能とするために、ウェイクアップ用上り送信としてのＰＲＡＣＨと、従来のＰＲＡＣＨとを区別できるようにする。具体例としては、ランダムアクセスプリアンブルに、ウェイクアップ用上り送信としてのＰＲＡＣＨを示すインジケータを設ける。これにより、基地局は、図２３のステップＳＴ２３０１におけるランダムアクセスプリアンブルの受信時に、該区別を実行することができ、ランダムアクセスレスポンスを送信しない処理を行うことができる。
【０３５５】
図２４は、実施の形態１の変形例６の解決策を用いた場合の移動体通信システムのシーケンス例を説明する図である。図２４において、図２３に対応する部分については同一のステップ番号を付して、処理の詳細な説明を省略する。
【０３５６】
移動端末は、ステップＳＴ２３０１において、ランダムアクセスプリアンブルを、ＰＲＡＣＨを用いて基地局に送信する。ステップＳＴ２４０１において、ランダムアクセスプリアンブルを受信した基地局は、該ランダムアクセスプリアンブルが、ウェイクアップ用上り送信であるか否かを判断する。ウェイクアップ用上り信号であると判断した場合は、ステップＳＴ２４０２へ移行する。ウェイクアップ用上り信号ではないと判断した場合は、ステップＳＴ２３０２へ移行する。ステップＳＴ２３０２では、基地局は、ランダムアクセスレスポンスを、ＰＤＣＣＨを用いて移動端末に送信する。
【０３５７】
ステップＳＴ２４０１の処理の判断の具体例としては、ランダムアクセスプリアンブル中に、ウェイクアップ用上り送信としてのＰＲＡＣＨを示すインジケータがマッピングされていれば、該ランダムアクセスプリアンブルは、ウェイクアップ用上り送信であると判断する。一方、ランダムアクセスプリアンブル中に、ウェイクアップ用上り送信としてのＰＲＡＣＨを示すインジケータがマッピングされていなければ、該ランダムアクセスプリアンブルは、ウェイクアップ用上り送信信号ではないと判断する。
【０３５８】
ステップＳＴ２４０２において、基地局は、ＥｎｅｒｇｙＳａｖｉｎｇ動作中であるか否かを判断する。ＥｎｅｒｇｙＳａｖｉｎｇ動作中であると判断した場合は、ステップＳＴ２４０３へ移行する。ＥｎｅｒｇｙＳａｖｉｎｇ動作中ではないと判断した場合は、処理を終了する。
【０３５９】
ステップＳＴ２４０３において、ＥｎｅｒｇｙＳａｖｉｎｇ中の基地局は、Ｎｏｒｍａｌ動作へ移行する。
【０３６０】
ステップＳＴ２４０４において、ランダムアクセスプリアンブルを送信した移動端末は、該ランダムアクセスプリアンブルがウェイクアップ用上り送信であるか否かを判断する。ウェイクアップ用上り信号であると判断した場合は、処理を終了する。ウェイクアップ用上り信号ではないと判断した場合は、ステップＳＴ２３０３へ移行する。ステップＳＴ２３０３では、移動端末が、ランダムアクセスレスポンスにて割当てられたＰＵＳＣＨを用いて、スケジュールドトランスミッションを基地局に送信する。ステップＳＴ２３０４では、基地局は、コンテンションレゾリューションを移動端末に送信する。
【０３６１】
本変形例では、実施の形態１と組み合わせた例について主に記載したが、実施の形態１の変形例１、実施の形態１の変形例２、実施の形態１の変形例３、実施の形態１の変形例４、および実施の形態１の変形例５と組み合わせて用いることができる。
【０３６２】
実施の形態１の変形例６により、実施の形態１の効果に加えて、以下の効果を得ることができる。ウェイクアップ用上り送信としてのＰＲＡＣＨを送信した移動端末は、ランダムアクセスレスポンスがマッピングされるＰＤＣＣＨを受信する必要がなくなる。これにより、ウェイクアップ用上り送信としてＰＲＡＣＨを送信した移動端末が、ランダムアクセスレスポンスの受信失敗と判断することがなくなる。また、サービングセルとは異なるセルからのＰＤＣＣＨを受信する必要がなくなるので、無駄なハンドオーバ処理、および無駄なセルリセレクション処理を削減できる。
【０３６３】
また、ウェイクアップ用上り送信としてのＰＲＡＣＨを受信した基地局は、ランダムアクセスレスポンスの送信を削減することができる。これにより、基地局の処理の負荷を軽減することができ、無線リソースを有効に活用することができる。
【０３６４】
実施の形態１  変形例７．
実施の形態１の変形例７において解決する課題について説明する。実施の形態１の変形例６を用いた場合であっても、以下の課題が発生する。
【０３６５】
プリアンブルの送信は、基地局で正常に受信されるまで繰り返される。しかし、ウェイクアップ用上り送信としてＰＲＡＣＨを送信した移動端末は、ランダムアクセスレスポンスを受信しなくてもよいものとすると、該移動端末は、該ＰＲＡＣＨが基地局で正常に受信されたか否かを判断することができない。よって、プリアンブル送信動作が不確定となる問題が発生する。
【０３６６】
これに伴い、上り送信電力を決定する際に、実施の形態１の変形例４、実施の形態１の変形例５を用いた場合であっても、以下の課題が発生する。何回目のプリアンブル送信であるかを示す「PREAMBLE_TRANSMISSION_COUNTER」が不確定となる問題が発生する。移動端末がＰＲＡＣＨの初期送信電力を決定できないという課題が再度発生する。
【０３６７】
実施の形態１の変形例７での解決策を以下に示す。実施の形態１と実施の形態１の変形例４、あるいは実施の形態１と実施の形態１の変形例５の解決策と異なる部分を中心に説明する。説明していない部分については、実施の形態１と実施の形態１の変形例４、あるいは実施の形態１と実施の形態１の変形例５と同様とする。
【０３６８】
ウェイクアップ用上り送信としてのＰＲＡＣＨの初期送信電力を決定する際に、ＰＲＡＣＨの送信回数を固定値回繰り返すとする。移動端末の周辺セルの測定により、新たにローカルｅＮＢを検出した場合に繰り返し送信を止めるとしてもよい。
【０３６９】
ウェイクアップ用上り送信としてのＰＲＡＣＨの初期送信電力を決定する際に、ＰＲＡＣＨの送信回数を固定値とする場合は、移動端末は、ＰＲＡＣＨの送信回数までは、自動的にＰＲＡＣＨの再送を行う。
【０３７０】
本変形例では、実施の形態１と実施の形態１の変形例４、あるいは実施の形態１と実施の形態１の変形例５と組み合わせた例について主に記載したが、実施の形態１の変形例１、実施の形態１の変形例２、および実施の形態１の変形例３と組み合わせて用いることができる。
【０３７１】
実施の形態１の変形例７により、実施の形態１、実施の形態１の変形例４、および実施の形態１の変形例５の効果に加えて、以下の効果を得ることができる。ウェイクアップ用上り送信としてＰＲＡＣＨを送信した移動端末は、ランダムアクセスレスポンスを受信しなくてもよいとした場合においても、移動端末がＰＲＡＣＨの送信動作を確定することができ、さらに初期送信電力を決定することができる。
【０３７２】
実施の形態１  変形例８．
実施の形態１の変形例８において解決する課題について説明する。実施の形態１の解決策を実行した場合であっても、以下の課題が発生する。
【０３７３】
実施の形態１を実行し、あるローカルｅＮＢがＥｎｅｒｇｙＳａｖｉｎｇ動作からＮｏｒｍａｌ動作へ移行した場合を考える。この移行により、ある移動端末が、該ローカルｅＮＢのカバレッジ内に位置することとなり、正常に待受けることができたとする。しかし、該移動端末がＣＯＮＮＥＣＴＥＤ状態へ移行しないと仮定する。その場合、該ローカルｅＮＢは、通常の動作から消費電力低減動作への移行のきっかけ（トリガ）を検出し、再度ＥｎｅｒｇｙＳａｖｉｎｇ動作に移行する。これにより、該移動端末が該ローカルｅＮＢに在圏できなくなり、他の周辺セルも存在しない場合において該移動端末は、圏外となり移動体通信システムのサービスを受けられないという課題が発生する。
【０３７４】
実施の形態１の変形例４での解決策を以下に４つ開示する。実施の形態１の解決策と異なる部分を中心に説明する。説明していない部分については、実施の形態１と同様とする。
【０３７５】
（１）ローカルｅＮＢの上り送信の設定を用いて、ウェイクアップ用上り送信を行う。ローカルｅＮＢがＥｎｅｒｇｙＳａｖｉｎｇ動作へ移行した場合、該ローカルｅＮＢがＮｏｒｍａｌ動作時に正常に待受けていた移動端末を仮定する。該移動端末にとって、Ｎｏｒｍａｌ動作時の該ローカルｅＮＢは、サービングセルとなる。該ローカルｅＮＢのＥｎｅｒｇｙＳａｖｉｎｇ動作への移行に伴い、該移動端末におけるサービングセルの受信品質が下がることになる。よって、該移動端末が、ウェイクアップ用上り送信を行う状況が満たされ、該移動端末が、ウェイクアップ用上り送信を行うこととなる。このウェイクアップ用上り送信を受信した該ローカルｅＮＢは、ＥｎｅｒｇｙＳａｖｉｎｇ動作からＮｏｒｍａｌ動作へ移行する。
【０３７６】
（２）ローカルｅＮＢにキャンプオンした後に圏外になった場合、ウェイクアップ用上り送信を行う。キャンプオン中のローカルｅＮＢがＥｎｅｒｇｙＳａｖｉｎｇ動作へ移行したために、該移動端末が圏外となった場合に有効である。該ローカルｅＮＢがＥｎｅｒｇｙＳａｖｉｎｇ動作を実行可能な能力を有する場合のみ、移動端末は該ウェイクアップ用上り送信を行うとしてもよい。該能力を有しない場合は、キャンプオン中のローカルｅＮＢがＥｎｅｒｇｙＳａｖｉｎｇ動作へ移行したために、該移動端末が圏外となる状況は発生しない。よって、移動端末が無駄な上り送信を行うことを防ぐことができ、無線リソースの有効活用、上り干渉の低減、移動端末の低消費電力化を実現できるという効果を得ることができる。
【０３７７】
（３）ウェイクアップ用上り送信を受信したローカルｅＮＢは、一定期間（Ｔ＿ａ）はＮｏｒｍａｌ動作を行うものとする。移動端末が、周期的（Ｔ＿ｂ）にウェイクアップ用上り送信を行う。Ｔ＿ａ≧Ｔ＿ｂとすることで、ウェイクアップ用上り信号を受信可能な範囲に移動端末が存在する場合に、該ローカルｅＮＢが、再度ＥｎｅｒｇｙＳａｖｉｎｇ動作へ移行することを防ぐことができる。
【０３７８】
（４）ローカルｅＮＢは、通常の動作から消費電力低減動作への移行のきっかけ（トリガ）が存在した場合であっても、通常の動作から消費電力低減動作へ移行する前に、傘下に待受け中の移動端末が存在するか否かを確認する。傘下に待受け中の移動端末が存在する場合は、Ｎｏｒｍａｌ動作を継続する。一方、傘下に待受け中の移動端末が存在しない場合は、ＥｎｅｒｇｙＳａｖｉｎｇ動作へ移行する。これにより、傘下に待受け中の移動端末が存在する場合に、該ローカルｅＮＢがＥｎｅｒｇｙＳａｖｉｎｇ動作へ移行することを防ぐことができる。該判断は、通常の動作から消費電力低減動作への移行のきっかけ（トリガ）として実施の形態１に示す具体例（１）「ローカルｅＮＢの傘下にある期間、ＣＯＮＮＥＣＴＥＤの移動端末が存在しない場合、あるいはローカルｅＮＢの傘下にある期間、ＩＤＬＥの移動端末のみが存在する場合」に適用してもよい。
【０３７９】
傘下に待受け中の移動端末が存在するか否かを確認する方法の具体例について、以下に開示する。傘下の移動端末宛に一斉呼出を行う。該呼び出しに応答する移動端末が存在すれば、傘下にＣＯＮＮＥＣＴＥＤ中の移動端末、あるいはＩＤＬＥ中の移動端末が存在すると判断する。一方、該呼び出しに応答する移動端末が存在しなければ、傘下にＣＯＮＮＥＣＴＥＤ中の移動端末もＩＤＬＥ中の移動端末も存在しないと判断する。
【０３８０】
一斉呼び出しの方法の具体例について、以下に開示する。傘下の移動端末宛に、一斉呼出信号（Paging信号）を新たに設ける。傘下の移動端末宛の一斉呼出に用いる識別子（以降、Ｐ−ＲＮＴＩ＿一斉と称することもある）を新たに設ける。従来のＰ−ＲＮＴＩとは別にＰ−ＲＮＴＩ＿一斉を新設することで、以下の効果を得ることができる。従来の方法では、Ｐ−ＲＮＴＩを受信した移動端末は、自移動端末宛の呼び出しであるかを確認するために、ＰＣＨのデコードを試みる必要がある。一方、Ｐ−ＲＮＴＩ＿一斉を受信した移動端末は、全移動端末宛であることを認識できるため、ＰＣＨのデコードを行い、自移動端末宛であるかを確認する必要はなく、応答することが可能となる。これにより、移動端末の処理の負荷を軽減することができ、制御遅延を防止することができる。
【０３８１】
該傘下の移動端末宛の一斉呼出の技術は、ローカルｅＮＢのみではなく、すべてのタイプのｅＮＢで用いることができる。
【０３８２】
本変形例では、サービングセルがマクロセルである場合を説明したが、サービングセルがローカルｅＮＢであっても、実施の形態１の変形例８と同様に実施可能であり、実施の形態１の変形例８と同様の効果を得ることができる。
【０３８３】
また本変形例では、ＥｎｅｒｇｙＳａｖｉｎｇ動作を行うノードがローカルｅＮＢである場合を説明したが、ＥｎｅｒｇｙＳａｖｉｎｇ動作を行うノードがワイドエリアｅＮＢであっても、実施の形態１の変形例８と同様に実施可能であり、実施の形態１の変形例８と同様の効果を得ることができる。
【０３８４】
本変形例では、実施の形態１と組み合わせた例について主に記載したが、実施の形態１の変形例１、実施の形態１の変形例２、実施の形態１の変形例３、実施の形態１の変形例４、実施の形態１の変形例５、実施の形態１の変形例６、実施の形態１の変形例７と組み合わせて用いることができる。
【０３８５】
実施の形態１の変形例８により、実施の形態１の効果に加えて、以下の効果を得ることができる。ローカルｅＮＢが、傘下に移動端末が待受けているにも関わらず、ＥｎｅｒｇｙＳａｖｉｎｇ動作に移行し、該移動端末が圏外となることを防ぐことができる。
【０３８６】
実施の形態１  変形例９．
実施の形態１の変形例９では、実施の形態１の変形例８の課題に対する別の解決策を、以下に開示する。
【０３８７】
ローカルｅＮＢは、ＥｎｅｒｇｙＳａｖｉｎｇ動作中であっても、移動端末のメジャメントに必要な信号、あるいはチャネルを、ある期間送信する。これにより、ローカルｅＮＢがＥｎｅｒｇｙＳａｖｉｎｇ動作中であっても、移動端末は該ローカルｅＮＢの存在を確認することが可能となる。メジャメントに必要な信号、あるいはチャネルの具体例を、以下に３つ開示する。（１）ＳＳ（２）ＰＢＣＨ（３）ＲＳなどがある。
【０３８８】
ある期間の具体例を以下に２つ開示する。
【０３８９】
（１）周期的に送信を行う。周期、および送信期間の値を指定して行う。該値の指定方法の具体例を以下に開示する。静的に決定する。あるいは、ローカルｅＮＢ自身で決定する。あるいは上位装置からＳ１インタフェースを用いて、あるいはＸ２インタフェースを用いて指示する。
【０３９０】
（２）指定期間に送信を行う。送信開始指示、および送信停止指示を行う。あるいは送信開始指示、および送信期間を指示し、送信期間満了後、自動的に送信を停止する。該値の指定方法の具体例を、以下に開示する。ローカルｅＮＢ自身で決定する。あるいは上位装置からＳ１インタフェースを用いて、あるいはＸ２インタフェースを用いて指示する。
【０３９１】
また本変形例では、ＥｎｅｒｇｙＳａｖｉｎｇ動作を行うノードがローカルｅＮＢである場合を説明したが、ＥｎｅｒｇｙＳａｖｉｎｇ動作を行うノードがワイドエリアｅＮＢであっても、実施の形態１の変形例９と同様に実施可能であり、実施の形態１の変形例９と同様の効果を得ることができる。
【０３９２】
本変形例では、実施の形態１と組み合わせた例について主に記載したが、実施の形態１の変形例１、実施の形態１の変形例２、実施の形態１の変形例３、実施の形態１の変形例４、実施の形態１の変形例５、実施の形態１の変形例６、実施の形態１の変形例７と組み合わせて用いることができる。
【０３９３】
実施の形態１の変形例９により、実施の形態１の効果に加えて、以下の効果を得ることができる。ローカルｅＮＢがＥｎｅｒｇｙＳａｖｉｎｇ動作へ移行したとしても、該ローカルｅＮＢのカバレッジ内に存在する移動端末が、該ローカルｅＮＢ受信品質を測定することができる。これにより、該移動端末が、ＥｎｅｒｇｙＳａｖｉｎｇ動作中のローカルｅＮＢの存在を知ることができる。よって、該移動端末が圏外になることを防ぐことができる。また、該移動端末が無用なセルリセレクションを行うことを防ぐことができる。さらには、これを基に、実施の形態１などに開示している上り送信を行うことが可能となる。よって、ＥｎｅｒｇｙＳａｖｉｎｇ動作を行っているローカルｅＮＢをＮｏｒｍａｌ動作へ移行させるための、上り送信を的確に、かつ無駄なく送信することができる。
【０３９４】
実施の形態１  変形例１０．
実施の形態１の変形例１０では、実施の形態１に加えて、さらなる低消費電力化を実現できるＥｎｅｒｇｙＳａｖｉｎｇ動作について、以下に開示する。
【０３９５】
ローカルｅＮＢが属するトラッキングエリア（ＴＡ）内に移動端末が存在する場合、該ローカルｅＮＢは、実施の形態１で開示したＥｎｅｒｇｙＳａｖｉｎｇ動作を行う。一方、ローカルｅＮＢが属するトラッキングエリア（ＴＡ）内に移動端末が存在しない場合、該ローカルｅＮＢは、電源をＯＦＦする。これにより、ＥｎｅｒｇｙＳａｖｉｎｇ動作からＮｏｒｍａｌ動作への移行トリガが発生しない場合において、受信動作をもＯＦＦすることができ、さらなる低消費電力化を行うことができる。なぜなら、該ローカルｅＮＢが属するトラッキングエリア内に移動端末が存在しない場合は、（１）ウェイクアップ用上り送信を行う可能性のある移動端末が、該ローカルｅＮＢの周辺に存在しないこととなり、また（２）バックホールを通じての該ローカルｅＮＢが、Ｐａｇｉｎｇ信号を受信する可能性がないこととなる。よって、該ローカルｅＮＢが属するトラッキングエリア内に移動端末が存在しない場合は、ＥｎｅｒｇｙＳａｖｉｎｇ動作からＮｏｒｍａｌ動作への移行トリガが発生しないと言える。
【０３９６】
図２５は、実施の形態１の変形例１０の解決策を用いた場合の移動体通信システムのシーケンス例を説明する図である。図２５において、図１５に対応する部分については同一のステップ番号を付して、処理の詳細な説明を省略する。
【０３９７】
ステップＳＴ２５０１において、ＭＭＥは、ローカルｅＮＢが属するトラッキングエリア内に移動端末が存在するか否かを判断する。移動端末は、自端末が属するトラッキングエリアが変更した場合は、トラッキングエリアアップデートを行うため、ステップＳＴ２５０１の判断は、従来の技術を複雑にすることなく実現可能である。ステップＳＴ２５０１において、移動端末が存在すると判断した場合は、ステップＳＴ２５０２へ移行し、移動端末が存在しないと判断した場合は、ステップＳＴ２５０３へ移行する。
【０３９８】
ステップＳＴ２５０２において、ＭＭＥは、Ｓ１インタフェース、あるいはＸ２インタフェースを用いて、該ローカルｅＮＢへＥｎｅｒｇｙＳａｖｉｎｇ動作の指示を行う。あるいは、ＭＭＥは、ＨｅＮＢＧＷ経由で上記ＥｎｅｒｇｙＳａｖｉｎｇ動作の指示を行ってもよい。ＥｎｅｒｇｙＳａｖｉｎｇ動作の指示とは、送信動作をＯＦＦし、受信動作をＯＮする指示としてもよい。また送信動作をＯＦＦし、間欠受信をＯＮする指示としてもよい。その後、ステップＳＴ２５０１の判断へ戻る。
【０３９９】
ステップＳＴ２５０３において、ＭＭＥは、Ｓ１インタフェース、あるいはＸ２インタフェースを用いて、該ローカルｅＮＢへ電源ＯＦＦの指示を行う。あるいは、ＭＭＥは、ＨｅＮＢＧＷ経由で上記電源ＯＦＦの指示を行ってもよい。電源ＯＦＦの指示とは、送信動作をＯＦＦし、受信動作をＯＦＦする指示としてもよい。また、送信動作をＯＦＦし、間欠受信をＯＦＦする指示としてもよい。その後、ステップＳＴ２５０１の判断に戻る。ステップＳＴ２５０３において電源ＯＦＦの指示を受信したローカルｅＮＢは、ステップＳＴ１５０１、ステップＳＴ１５０２およびステップＳＴ１５０３の各処理を行い、その後、ステップＳＴ２５０４に移行する。
【０４００】
ステップＳＴ２５０４において、ローカルｅＮＢは、ＥｎｅｒｇｙＳａｖｉｎｇ動作を行うべきか否かを判断する。ステップＳＴ２５０４の判断の具体例を、以下に開示する。ローカルｅＮＢは、ＥｎｅｒｇｙＳａｖｉｎｇ動作の指示を受信した場合、ＥｎｅｒｇｙＳａｖｉｎｇ動作を行うべきと判断する。ローカルｅＮＢは、ＥｎｅｒｇｙＳａｖｉｎｇ動作の指示を受信していない場合、ＥｎｅｒｇｙＳａｖｉｎｇ動作を行うべきでないと判断する。ローカルｅＮＢは、電源ＯＦＦの指示を受信した場合、ＥｎｅｒｇｙＳａｖｉｎｇ動作を行うべきでないと判断する。ローカルｅＮＢは、電源ＯＦＦの指示を受信していない場合、ＥｎｅｒｇｙＳａｖｉｎｇ動作を行うべきと判断する。ＥｎｅｒｇｙＳａｖｉｎｇ動作を行うべきと判断した場合は、ステップＳＴ１５０４へ移行する。ＥｎｅｒｇｙＳａｖｉｎｇ動作を行うべきでないと判断した場合は、ステップＳＴ２５０５へ移行する。
【０４０１】
ステップＳＴ２５０５において、ローカルｅＮＢは、電源をＯＦＦする。具体例としては、送信動作をＯＦＦし、受信動作をＯＦＦする。あるいは、送信動作をＯＦＦし、間欠受信をＯＦＦする。
【０４０２】
ステップＳＴ２５０６において、ローカルｅＮＢは、ＥｎｅｒｇｙＳａｖｉｎｇ動作の指示を受信したか否かを判断する。受信したと判断した場合は、ステップＳＴ１５０４へ移行し、受信していないと判断した場合は、ステップＳＴ２５０６の処理を繰り返す。ローカルｅＮＢは、ステップＳＴ１５０４およびステップＳＴ１５０５の処理を行った後、ステップＳＴ２５０７に移行する。
【０４０３】
ステップＳＴ２５０７において、ローカルｅＮＢは、電源ＯＦＦの指示を受信したか否か判断する。受信したと判断した場合は、ステップＳＴ２５０５へ移行し、受信していないと判断した場合は、ステップＳＴ２５０７の処理を繰り返す。
【０４０４】
本変形例では、サービングセルがマクロセルである場合を説明したが、サービングセルがローカルｅＮＢであっても、実施の形態１の変形例１０と同様に実施可能であり、実施の形態１の変形例１０と同様の効果を得ることができる。
【０４０５】
また本変形例では、ＥｎｅｒｇｙＳａｖｉｎｇ動作を行うノードがローカルｅＮＢである場合を説明したが、ＥｎｅｒｇｙＳａｖｉｎｇ動作を行うノードがワイドエリアｅＮＢであっても、実施の形態１の変形例１０と同様に実施可能であり、実施の形態１の変形例１０と同様の効果を得ることができる。
【０４０６】
本変形例では、実施の形態１と組み合わせた例について主に記載したが、実施の形態１の変形例１、実施の形態１の変形例２、実施の形態１の変形例３、実施の形態１の変形例４、実施の形態１の変形例５、実施の形態１の変形例６、実施の形態１の変形例７、実施の形態１の変形例８、および実施の形態１の変形例９と組み合わせて用いることができる。
【０４０７】
実施の形態１の変形例１０により、実施の形態１の効果に加えて、以下の効果を得ることができる。ＥｎｅｒｇｙＳａｖｉｎｇ動作からＮｏｒｍａｌ動作への移行トリガが発生しない場合において、受信動作をもＯＦＦすることが可能となる。一方、ＥｎｅｒｇｙＳａｖｉｎｇ動作からＮｏｒｍａｌ動作への移行トリガが発生する可能性のある場合、ＥｎｅｒｇｙＳａｖｉｎｇ動作へ移行することができ、受信動作をＯＮすることが可能となる。これにより、実施の形態１の効果を維持しつつ、さらなる低消費電力化を実現することができる。
【０４０８】
実施の形態１  変形例１１．
実施の形態１の変形例１１において解決する課題について説明する。実施の形態１の解決策を実行した場合であっても、以下の課題が発生する。
【０４０９】
ＨｅＮＢは、他のセルの配置位置とは無関係に、オーナーによって配置される。よって、他のセルの受信品質が良好な場所に、ＨｅＮＢが設置される可能性もある。具体例としては、他のセルの近傍にＨｅＮＢが配置されることも考えられる。このようなロケーションにおいて、他のセルがサービングセルであった場合、他のセルの近傍に配置されるＨｅＮＢの周辺では、サービングセルの受信品質は悪くならない。例えばウェイクアップ用上り送信を送信するトリガとしてサービングセルの受信品質で判断する場合など、よって、移動端末がウェイクアップ用上り送信を行う状況が発生しない。よって、他のセルの近傍にＨｅＮＢが設置された場合、移動端末からのウェイクアップ用上り送信では、該ＨｅＮＢは、ＥｎｅｒｇｙＳａｖｉｎｇ動作からＮｏｒｍａｌ動作へ移行できないという課題が発生する。
【０４１０】
図２６は、実施の形態１の変形例１１の課題を説明するロケーション図である。マクロセル２６０１は、カバレッジ２６０９を持つ。カバレッジ２６０９の付近は、マクロセル２６０１からのパスロスが、例えば「９」とする。ＨｅＮＢ２６０２は、マクロセル２６０１からのパスロスが、例えば「１」付近に設置されている。ＨｅＮＢ２６０３は、マクロセル２６０１からのパスロスが、例えば「２」付近に設置されている。ＨｅＮＢ２６０４は、マクロセル２６０１からのパスロスが、例えば「７」付近に設置されている。ＨｅＮＢ２６０５は、マクロセル２６０１からのパスロスが、例えば「８」付近に設置されている。ＨｅＮＢ２６０６は、マクロセル２６０１からのパスロスが、例えば「９」付近に設置されている。図２６の実線２６０７は、マクロセル２６０１からのパスロス「３」のロケーションを示す。図２６の実線２６０８は、マクロセル２６０１からのパスロス「６」のロケーションを示す。図２６の実線２６０９は、マクロセル２６０１からのパスロス「９」のロケーションを示す。
【０４１１】
実施の形態１において、ウェイクアップ用上り送信を行う状況の具体例として（１）サービングセルの受信品質が下がった場合を用い、サービングセルの受信品質が下がったことを判断する方法として、ウェイクアップ上り送信閾値として、パスロスの値「９」を用いる場合を考える。上記の条件で、移動端末がウェイクアップ用上り信号を送信した場合であれば、図２６に示すようなロケーションでは、該ウェイクアップ用上り信号でＨｅＮＢ２６０６のみがＮｏｒｍａｌ動作へ移行する可能性がある。ＨｅＮＢ２６０２、ＨｅＮＢ２６０３、ＨｅＮＢ２６０４、およびＨｅＮＢ２６０５は、該ウェイクアップ用上り信号でＮｏｒｍａｌ動作へ移行する可能性はない。なぜならば、ＨｅＮＢ２６０２、ＨｅＮＢ２６０３、ＨｅＮＢ２６０４、およびＨｅＮＢ２６０５は、マクロセル２６０１からのパスロスが閾値「９」未満に位置するからである。よって、該ＨｅＮＢ２６０２、ＨｅＮＢ２６０３、ＨｅＮＢ２６０４、およびＨｅＮＢ２６０５の周辺では、移動端末はウェイクアップ用上り送信を行う状況に達しないためである。
【０４１２】
ＨｅＮＢが移動端末のオーナーの家に設置されている場合などは、帰宅時にユーザの処理を介さないで、該ＨｅＮＢがＥｎｅｒｇｙＳａｖｉｎｇ動作からＮｏｒｍａｌ動作への移行する手段は、ユーザに優しいシステムの構築という観点でも重要である。該手段は、移動端末が、たとえ待受け中であっても必要である。
【０４１３】
前述のように、非特許文献８は、Ｘ２インタフェースを用いた技術であることから、ＨｅＮＢには適用できない。また非特許文献８は、待受け中の移動端末を考慮していない。
【０４１４】
実施の形態１の変形例１１での解決策を以下に示す。実施の形態１の解決策と異なる部分を中心に説明する。説明していない部分については、実施の形態１と同様とする。
【０４１５】
サービングセルから傘下の移動端末に対して、ＨｅＮＢが存在する情報と、該ＨｅＮＢが存在するロケーションに対するパスロスの情報とを通知する。該情報を受信した移動端末は、サービングセルの受信品質が、ＨｅＮＢが存在すると通知を受けたパスロスとなった場合、ウェイクアップ用上り送信を行う。これにより、該ＨｅＮＢの周辺に該移動端末が存在した場合は、該ＨｅＮＢをＮｏｒｍａｌ動作へ移行することが可能となる。
【０４１６】
また、該情報を受信した移動端末は、いずれかのＣＳＧへ登録している場合（ホワイトリストが空でない）は、サービングセルの受信品質が、ＨｅＮＢが存在すると通知を受けたパスロスとなったときに、ウェイクアップ用上り送信を行うようにしてもよい。あるいは、該情報を受信した移動端末は、いずれかのＣＳＧへ登録していない場合（ホワイトリストが空）は、サービングセルの受信品質が、ＨｅＮＢが存在すると通知を受けたパスロスとなったときであっても、ウェイクアップ用上り送信を行わないようにしてもよい。
【０４１７】
ＨｅＮＢが存在する情報と、該ＨｅＮＢが存在するロケーションに対するパスロスの情報との具体例を以下に示す。図２７は、実施の形態１の変形例１１の解決策のパスロスの情報の具体例である。
【０４１８】
（１）ＨｅＮＢが存在するパスロス。図２６に示すロケーションの場合であれば、図２７（１）に示すような情報となる。移動端末がウェイクアップ上り信号をパスロスに合わせて送信することができ、無駄な上り送信を削減できる。
【０４１９】
（２）パスロスの範囲とその範囲内にＨｅＮＢが存在するか否か。図２６に示すロケーションの場合であれば、図２７（２）に示すような情報となる。ＨｅＮＢの設置数によらず、ＨｅＮＢが存在する情報と、該ＨｅＮＢが存在するロケーションに対するパスロスの情報との情報量が一定となる。設置されるＨｅＮＢが増加した場合、上記方法（１）と比較して、情報量を削減することができる。これにより、無線リソースを有効に活用することができる。またパスロスの範囲の分け方を静的に決定しておき、例えばインデックス１は、０以上３未満を示し、インデックス２は、３以上６未満を示し、インデックス３は、６以上を示すとしておけば、さらなる情報量の削減に繋がる。
【０４２０】
本変形例では、サービングセルがマクロセルである場合を説明したが、サービングセルがローカルｅＮＢであっても、実施の形態１の変形例１１と同様に実施可能であり、実施の形態１の変形例１１と同様の効果を得ることができる。
【０４２１】
本変形例では、実施の形態１と組み合わせた例について主に記載したが、実施の形態１の変形例１、実施の形態１の変形例２、実施の形態１の変形例３、実施の形態１の変形例４、実施の形態１の変形例５、実施の形態１の変形例６、実施の形態１の変形例７、実施の形態１の変形例８、実施の形態１の変形例９、および実施の形態１の変形例１０と組み合わせて用いることができる。
【０４２２】
実施の形態１の変形例１１により、実施の形態１の効果に加えて、以下の効果を得ることができる。他のセルの受信品質が十分な場所に設置される可能性のあるＨｅＮＢにおいても、実施の形態１と同様の効果を得ることができる。
【０４２３】
実施の形態１  変形例１２．
実施の形態１の変形例１２において解決する課題について説明する。実施の形態１の解決策を実行した場合であっても、ローカルｅＮＢがＨｅＮＢであり、該ＨｅＮＢがクローズドアクセスモードで動作する場合は、以下の課題が発生する。
【０４２４】
実施の形態１を用いて、移動端末からのウェイクアップ用上り送信を受信したことにより、該ＨｅＮＢが、ＥｎｅｒｇｙＳａｖｉｎｇ動作からＮｏｒｍａｌ動作へ移行したとする。一方、該移動端末は、該ＨｅＮＢが属するＣＳＧへ未登録であったとする。この場合、該ＨｅＮＢがＮｏｒｍａｌ動作となっても、該移動端末はアクセスすることはもちろん、キャンプオンすることもできないという課題が発生する。また、ＨｅＮＢのＥｎｅｒｇｙＳａｖｉｎｇ動作を無駄に解除することとなり、低消費電力化が非効率になるという課題が発生する。
【０４２５】
実施の形態１の変形例１１での解決策を、以下に２つ開示する。実施の形態１の解決策と異なる部分を中心に説明する。説明していない部分については、実施の形態１と同様とする。
【０４２６】
（１）ＨｅＮＢはＥｎｅｒｇｙＳａｖｉｎｇ動作からＮｏｒｍａｌ動作へ移行する場合、クローズドアクセスモードでは動作せず、オープンアクセスモード、あるいはハイブリッドアクセスモードで動作する。これにより、たとえウェイクアップ用上り送信を行った移動端末が、該ＨｅＮＢの属するＣＳＧに未登録であっても、アクセスおよびキャンプオンが可能となる。
【０４２７】
（２）ＨｅＮＢは、ウェイクアップ上り送信を行った移動端末が、自ＨｅＮＢが属するＣＳＧに登録しているか否かを判断し、登録している場合にＥｎｅｒｇｙＳａｖｉｎｇ動作からＮｏｒｍａｌ動作へ移行する。登録していなければ、ＥｎｅｒｇｙＳａｖｉｎｇ動作を継続する。これにより、ＨｅＮＢの無駄なＥｎｅｒｇｙＳａｖｉｎｇ動作の解除を削減することができる。
【０４２８】
（３）ＨｅＮＢは、ウェイクアップ上り送信を行った移動端末が、自ＨｅＮＢが属するＣＳＧに登録しているか否かを判断し、登録している場合にＥｎｅｒｇｙＳａｖｉｎｇ動作からクローズドアクセスモードとして、あるいはクローズドアクセスモードを許可して、Ｎｏｒｍａｌ動作へ移行する。登録していなければ、オープンアクセスモード、あるいはハイブリッドアクセスモードとして、あるいはクローズドアクセスモードを禁止して、Ｎｏｒｍａｌ動作へ移行する。
【０４２９】
ＨｅＮＢがウェイクアップ上り送信を行った移動端末が、自ＨｅＮＢが属するＣＳＧに登録しているか否かを判断する方法の具体例について、以下に開示する。移動端末からのウェイクアップ上り信号に、移動端末の識別情報（ＵＥ−ＩＤなど）を入れる。ＨｅＮＢは、該移動端末の識別情報に基づいて、該移動端末が自ＨｅＮＢが属するＣＳＧに登録しているか否かを判断する。該判断は、ＨＳＳ（Home Subscriber Server）に問い合わせることで行ってもよい。ＨＳＳとは、３ＧＰＰ移動体通信網における加入者情報データベースであり、認証情報および在圏情報の管理を行うエンティティ（entity）である。
【０４３０】
本変形例では、実施の形態１と組み合わせた例について主に記載したが、実施の形態１の変形例１、実施の形態１の変形例２、実施の形態１の変形例３、実施の形態１の変形例４、実施の形態１の変形例５、実施の形態１の変形例６、実施の形態１の変形例７、実施の形態１の変形例８、実施の形態１の変形例９、実施の形態１の変形例１０、および実施の形態１の変形例１１と組み合わせて用いることができる。
【０４３１】
実施の形態１の変形例１１により、実施の形態１の効果に加えて、以下の効果を得ることができる。移動端末によるウェイクアップ用上り送信の受信により、ＨｅＮＢがＥｎｅｒｇｙＳａｖｉｎｇ動作からＮｏｒｍａｌ動作へ移行したにも関わらず、該移動端末が該ＨｅＮＢの属するＣＳＧに未登録という理由で、該移動端末が該ＨｅＮＢにアクセスできない、あるいはキャンプオンできないという状況の発生を防ぐことができる。これにより、効率的な低消費電力化を実現することができる。
【０４３２】
実施の形態１  変形例１３．
実施の形態１の変形例１３において解決する課題について説明する。実施の形態１の解決策を実行した場合であっても、ローカルｅＮＢがいずれのセルのカバレッジ内にも位置しない、孤立セルの場合、以下の課題が発生する。
【０４３３】
実施の形態１では、移動端末は、ウェイクアップ用上り送信を行う場合、サービングセルの下り送信を用いて、ＡＦＣを実行する。しかし、孤立セルの場合、該ＡＦＣを実行することができないという課題が発生する。ＡＦＣが実行できないと、移動端末側とローカルｅＮＢ側とで周波数のずれが発生する。これにより、受信品質の劣化が生じる。
【０４３４】
実施の形態１の変形例１１での解決策を以下に２つ開示する。実施の形態１の解決策と異なる部分を中心に説明する。説明していない部分については、実施の形態１と同様とする。
【０４３５】
（１）移動端末は、ウェイクアップ用上り送信を行う状況を満たせば、ウェイクアップ用上り送信を行う。該ウェイクアップ用上り送信の具体例を以下に開示する。移動端末は、所定の周波数−時間領域において所定の信号を送信する。ローカルｅＮＢ側では所定の周波数−時間領域での受信電力を測定し、該受信電力が所定の閾値を超えた場合にＥｎｅｒｇｙＳａｖｉｎｇ動作からＮｏｒｍａｌ動作へ移行する。
【０４３６】
所定の周波数−時間領域の具体例としては、周波数領域に幅を持たせる。周波数に幅を持たせることで、周波数のずれが生じた場合の影響を抑えることができる。所定の周波数−時間領域は、静的に決定されているとしてもよい。
【０４３７】
所定の信号の具体例としては、ランダムな信号、あるいはＰＮ信号などがある。
【０４３８】
（２）ローカルｅＮＢは、自セルが孤立セルだと判断した場合、ＥｎｅｒｇｙＳａｖｉｎｇ動作へ移行しない。一方、ローカルｅＮＢは、自セルが孤立セルではないと判断した場合、実施の形態１のＥｎｅｒｇｙＳａｖｉｎｇ動作を実行する。
【０４３９】
自セルが孤立セルだと判断する具体的な方法例を以下に開示する。ローカルｅＮＢは、初期化の際、電源ＯＮの際、あるいは送信ＯＦＦの際、周辺無線環境の測定を行う場合がある。周辺無線環境の具体例としては、周辺セルの受信品質がある。ローカルｅＮＢは、すべての周辺セルの受信品質、あるいは受信電力がある閾値以下（あるいは閾値より小さい）であれば、自セルは孤立セルであると判断する。または、ローカルｅＮＢは、すべての周辺セルのパスロスがある閾値より大きい（あるいは以上）であれば、自セルは孤立セルであると判断する。
【０４４０】
本変形例では、ＥｎｅｒｇｙＳａｖｉｎｇ動作を行うノードがローカルｅＮＢである場合を説明したが、ＥｎｅｒｇｙＳａｖｉｎｇ動作を行うノードがワイドエリアｅＮＢであっても、実施の形態１の変形例１３と同様に実施可能であり、実施の形態１の変形例１３と同様の効果を得ることができる。
【０４４１】
本変形例では、実施の形態１と組み合わせた例について主に記載したが、実施の形態１の変形例１、実施の形態１の変形例２、実施の形態１の変形例３、実施の形態１の変形例４、実施の形態１の変形例５、実施の形態１の変形例６、実施の形態１の変形例７、実施の形態１の変形例８、実施の形態１の変形例９、実施の形態１の変形例１０、実施の形態１の変形例１１、および実施の形態１の変形例１２と組み合わせて用いることができる。
【０４４２】
実施の形態１の変形例１２により、実施の形態１の効果に加えて、孤立セルの問題を解消することが可能となるという効果を得ることができる。
【０４４３】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０４４４】
１３０１，１８０１，１８０３，１８０５，２６０１  マクロセル、１３０２，１３０４，１６０２，１６０４，１６０６，１６０８，１８０２，１８０４，１８０６，１８０８，２６０９  カバレッジ、１３０３，１６０１，１６０３，１６０５，１６０７，１８０７  ローカルｅＮＢ、１４０１，１８０９，２１０１，２１０４  移動端末、２６０２，２６０３，２６０４，２６０５，２６０６  ＨｅＮＢ。
【図１】
2011099513.tif 000003
【図２】
2011099513.tif 000004
【図３】
2011099513.tif 000005
【図４】
2011099513.tif 000006
【図５】
2011099513.tif 000007
【図６】
2011099513.tif 000008
【図７】
2011099513.tif 000009
【図８】
2011099513.tif 000010
【図９】
2011099513.tif 000011
【図１０】
2011099513.tif 000012
【図１１】
2011099513.tif 000013
【図１２】
2011099513.tif 000014
【図１３】
2011099513.tif 000015
【図１４】
2011099513.tif 000016
【図１５】
2011099513.tif 000017
【図１６】
2011099513.tif 000018
【図１７】
2011099513.tif 000019
【図１８】
2011099513.tif 000020
【図１９】
2011099513.tif 000021
【図２０】
2011099513.tif 000022
【図２１】
2011099513.tif 000023
【図２２】
2011099513.tif 000024
【図２３】
2011099513.tif 000025
【図２４】
2011099513.tif 000026
【図２５】
2011099513.tif 000027
【図２６】
2011099513.tif 000028
【図２７】
2011099513.tif 000029
【国際調査報告】
2011099513.tif 000030
2011099513.tif 000031